(57)【要約】本発明の実施形態は、制御情報を送信するための方法、装置、およびシステムを提供し、通信技術の分野に関する。この方法は、ネットワークデバイスによって、第１の制御情報を送信するための第１の時間−周波数ドメインリソースに基づいて、第１の制御情報に含められる少なくとも１つの情報フィールドを決定することと、ネットワークデバイスによって、少なくとも１つの情報フィールドに基づいて第１の制御情報のビットの量を決定することと、ネットワークデバイスによって、第１の制御情報のビットの量に基づいて第１の時間−周波数ドメインリソース上で第１の制御情報をユーザ端末に送信することとを含む。本発明は、データ送信効率を向上させることができる。
2019525641.tif 000002
【特許請求の範囲】
【請求項１】
制御情報を送信するための方法であって、前記方法は、
ネットワークデバイスによって、第１の制御情報を送信するための第１の時間−周波数ドメインリソースに基づいて、前記第１の制御情報に含められる少なくとも１つの情報フィールドを決定するステップと、
前記ネットワークデバイスによって、前記少なくとも１つの情報フィールドに基づいて前記第１の制御情報のビットの量を決定するステップと、
前記ネットワークデバイスによって、前記第１の制御情報の前記ビットの量に基づいて前記第１の時間−周波数ドメインリソース上で前記第１の制御情報をユーザ端末に送信するステップとを含む方法。
【請求項２】
前記第１の時間−周波数ドメインリソースが第１の時間領域内の時間−周波数ドメインリソースであるとき、前記少なくとも１つの情報フィールドは、第１の情報フィールドを含み、前記第１の情報フィールドにおいて伝達される情報は、少なくとも２つの制御情報フォーマットのうちの一方を示すために使用されるかまたは少なくとも２つの時間長のうちの一方を示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項１に記載の方法。
【請求項３】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項１に記載の方法。
【請求項４】
前記第１の時間−周波数ドメインリソースは、第２の時間領域内の時間−周波数ドメインリソースであり、前記少なくとも１つの情報フィールドは第３の情報フィールドを含み、前記第３の情報フィールドにおいて伝達される情報は、サウンディング参照信号ＳＲＳを送信するように前記ユーザ端末をトリガするために使用され、前記第２の時間領域は、前記ネットワークデバイスによって構成されるかまたは事前に定義される、請求項１に記載の方法。
【請求項５】
前記第１の時間−周波数ドメインリソースは、第３の時間領域内の時間−周波数ドメインリソースであり、前記少なくとも１つの情報フィールドは第４の情報フィールドを含み、前記第４の情報フィールドにおいて伝達される情報は、チャネル品質情報ＣＳＩを送信するように前記ユーザ端末をトリガするために使用され、前記第３の時間領域は、前記ネットワークデバイスによって構成されるかまたは事前に定義される、請求項１に記載の方法。
【請求項６】
前記第１の時間−周波数ドメインリソースは、前記ＰＤＣＣＨ領域内の時間−周波数ドメインリソース、前記ダウンリンクサブフレーム内の前記最初の１つ、２つ、３つ、または４つのシンボルが属する前記時間領域内の時間−周波数ドメインリソース、および０．５ｍｓ以下の送信時間内の時間−周波数ドメインリソースの３つのうちの少なくとも１つを含む、請求項１または３乃至５のいずれか一項に記載の方法。
【請求項７】
制御情報を送信するための方法であって、前記方法は、
ネットワークデバイスによって、第１の制御情報に含まれる少なくとも１つの情報フィールドを決定するステップであって、前記少なくとも１つの情報フィールドにおいて伝達される情報が、
少なくとも１つの送信時間内に受信および／または送信される情報に対応する冗長バージョン情報、
Ｎ個の送信時間を示し、前記第１の制御情報が、ユーザ端末に前記Ｎ個の送信時間内に情報を受信するように指示するために使用され、および／または前記Ｎ個の送信時間内に情報を送信するように前記ユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む、ステップと、
前記ネットワークデバイスによって、前記第１の制御情報を前記ユーザ端末に送信するステップとを含む方法。
【請求項８】
前記少なくとも１つの情報フィールドは第１の情報フィールドを含み、前記第１の情報フィールドにおいて伝達される情報は、前記少なくとも１つの送信時間内に受信および／または送信される情報に対応する前記冗長バージョン情報を含み、
前記ネットワークデバイスによって、前記第１の制御情報を前記ユーザ端末に送信する前に、
前記ネットワークデバイスによって、Ｍを決定するステップであって、前記少なくとも１つの送信時間がＭ個の送信時間であり、Ｍが１以上の正の整数である、ステップと、
前記ネットワークデバイスによって、Ｍ、前記第１の情報フィールドのビットの量、ならびに前記Ｍ個の送信時間内に受信および／または送信される前記情報に対応する前記冗長バージョン情報に基づいて前記第１の情報フィールドの少なくとも１つのビットのステータスを決定するステップとを含む、請求項７に記載の方法。
【請求項９】
前記少なくとも１つの情報フィールドは、第２の情報フィールドを含み、前記第２の情報フィールドにおいて伝達される情報はＮを含み、
前記ネットワークデバイスによって、前記第１の制御情報を前記ユーザ端末に送信する前に、
ネットワークデバイスによって、Ｎおよび第１の対応に基づいて前記第２の情報フィールドの少なくとも１つのビットのステータスを決定するステップであって、前記第１の対応が、前記少なくとも１つのビットのステータスとＮとの対応であり、前記第１の対応が、前記ネットワークデバイスによって構成されるかまたは事前に定義される、ステップとをさらに含む、請求項７に記載の方法。
【請求項１０】
前記少なくとも１つの情報フィールドは第３の情報フィールドを含み、前記第３の情報フィールドにおいて伝達される情報は、前記アップリンクデータが前記少なくとも１つの送信時間内に前記アップリンクチャネル上で送信されるべきかどうかを示す情報を含み、
前記ネットワークデバイスによって、前記第１の制御情報を前記ユーザ端末に送信する前に、
前記ネットワークデバイスによって、Ｐを決定するステップであって、Ｐが、前記ユーザ端末がＰ個の送信時間内に情報を受信すべきであることを示し、および／もしくは前記ユーザ端末が、前記Ｐ個の送信時間内に情報を送信すべきであることを示し、Ｐが１以上の正の整数である、ステップ、
Ｐが１よりも大きいときに、前記ネットワークデバイスによって、前記第３の情報フィールドがＫビットの情報フィールドであることを決定し、かつ前記第３の情報フィールドが、前記アップリンクデータが前記Ｐ個の送信時間内のＫ個の送信時間内に前記アップリンクチャネル上で送信されるべきであるかどうかを示すために使用されることを決定するステップであって、Ｋが、１以上でＰ以下の正の整数である、ステップ、ならびに／または
Ｐが１に等しいとき、前記ネットワークデバイスによって、前記第３の情報フィールドが変調および符号化方式ＭＣＳ情報フィールドであることを決定し、かつ前記第３の情報フィールドが、前記アップリンクデータが１つの送信時間内に前記アップリンクチャネル上で送信されるべきであるかどうかを示すために使用されることを決定するステップとを含む、請求項７に記載の方法。
【請求項１１】
前記少なくとも１つの送信時間のうちの１つまたは複数は、０．５ｍｓ以下の期間である、請求項７乃至１０のいずれか一項に記載の方法。
【請求項１２】
制御情報を検出するための方法であって、前記方法は、
ユーザ端末によって、第１の制御情報を検出するための第１の時間−周波数ドメインリソースに基づいて、前記第１の制御情報に含められる少なくとも１つの情報フィールドを決定するステップと、
前記ユーザ端末によって、前記少なくとも１つの情報フィールドに基づいて前記第１の制御情報のビットの量を決定するステップと、
前記ユーザ端末によって、前記第１の制御情報の前記ビットの量に基づいて前記第１の時間−周波数ドメインリソース上で前記第１の制御情報を検出するステップと、
前記ユーザ端末によって、前記第１の制御情報を検出した後に前記第１の制御情報を受信するステップとを含む方法。
【請求項１３】
前記第１の時間−周波数ドメインリソースが第１の時間領域内の時間−周波数ドメインリソースであるとき、前記少なくとも１つの情報フィールドは、第１の情報フィールドを含み、前記第１の情報フィールドにおいて伝達される情報は、少なくとも２つの制御情報フォーマットのうちの一方を示すために使用されるかまたは少なくとも２つの時間長のうちの一方を示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項１２に記載の方法。
【請求項１４】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項１２に記載の方法。
【請求項１５】
前記第１の時間−周波数ドメインリソースは、第２の時間領域内の時間−周波数ドメインリソースであり、前記少なくとも１つの情報フィールドは第３の情報フィールドを含み、前記第３の情報フィールドにおいて伝達される情報は、サウンディング参照信号ＳＲＳを送信するように前記ユーザ端末をトリガするために使用され、前記第２の時間領域は、受信される上位層シグナリングに基づいて前記ユーザ端末によって決定されるかまたは事前に定義される、請求項１２に記載の方法。
【請求項１６】
前記第１の時間−周波数ドメインリソースは、第３の時間領域内の時間−周波数ドメインリソースであり、前記少なくとも１つの情報フィールドは第４の情報フィールドを含み、前記第４の情報フィールドにおいて伝達される情報は、チャネル品質情報ＣＳＩを送信するように前記ユーザ端末をトリガするために使用され、前記第３の時間領域は、受信される上位層シグナリングに基づいて前記ユーザ端末によって決定されるかまたは事前に定義される、請求項１２に記載の方法。
【請求項１７】
前記第１の時間−周波数ドメインリソースは、前記ＰＤＣＣＨ領域内の時間−周波数ドメインリソース、前記ダウンリンクサブフレーム内の前記最初の１つ、２つ、３つ、または４つのシンボルが属する前記時間領域内の時間−周波数ドメインリソース、および０．５ｍｓ以下の送信時間内の時間−周波数ドメインリソースの３つのうちの少なくとも１つを含む、請求項１２または１４乃至１６のいずれか一項に記載の方法。
【請求項１８】
制御情報を検出するための方法であって、前記方法は、
ユーザ端末によって、第１の制御情報を受信するステップであって、前記第１の制御情報が少なくとも１つの情報フィールドを含み、前記少なくとも１つの情報フィールドにおいて伝達される情報が、
少なくとも１つの送信時間内に受信および／または送信される情報に対応する冗長バージョン情報、
Ｎ個の送信時間を示し、前記第１の制御情報が、ユーザ端末に前記Ｎ個の送信時間内に情報を受信するように指示するために使用され、および／または前記Ｎ個の送信時間内に情報を送信するように前記ユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む、ステップと、
前記ユーザ端末によって、前記少なくとも１つの情報フィールドにおいて伝達される前記情報を取得するステップとを含む方法。
【請求項１９】
前記少なくとも１つの情報フィールド内の第１の情報フィールドにおいて伝達される情報は、前記少なくとも１つの送信時間内に受信および／または送信される前記情報に対応する前記冗長バージョン情報を含み、前記ユーザ端末によって、前記少なくとも１つの情報フィールドにおいて伝達される前記情報を取得する前記ステップは、
前記ユーザ端末によって、前記第１の情報フィールドの少なくとも１つのビットのステータスを決定するステップと、
前記ユーザ端末によって、Ｍを決定するステップであって、前記少なくとも１つの送信時間がＭ個の送信時間であり、Ｍが１以上の正の整数である、ステップと、
前記ユーザ端末によって、前記第１の情報フィールドのビットの量、前記第１の情報フィールドの前記少なくとも１つのビットの前記ステータス、およびＭに基づいて、前記Ｍ個の送信時間内に受信および／または送信される前記情報に対応する前記冗長バージョン情報を決定するステップとを含む、請求項１８に記載の方法。
【請求項２０】
前記少なくとも１つの情報フィールド内の第２の情報フィールドにおいて伝達される情報はＮを含み、前記ユーザ端末によって、前記少なくとも１つの情報フィールドにおいて伝達される前記情報を取得する前記ステップは、
前記ユーザ端末によって、前記第２の情報フィールドの少なくとも１つのビットのステータスを決定するステップと、
前記ユーザ端末によって、第１の対応および前記第２の情報フィールドの前記少なくとも１つのビットの前記ステータスに基づいて、Ｎを決定するステップであって、前記第１の対応が、前記少なくとも１つのビットの前記ステータスとＮとの間の対応であり、前記第１の対応が、前記ユーザ端末によって、受信される上位層シグナリングに基づいて決定されるかまたは事前に定義される、ステップとを含む、請求項１８に記載の方法。
【請求項２１】
前記少なくとも１つの情報フィールド内の第３の情報フィールドにおいて伝達される情報は、前記アップリンクデータが前記少なくとも１つの送信時間内に前記アップリンクチャネル上で送信されるべきであるかどうかを示す情報を含み、前記ユーザ端末によって、前記少なくとも１つの情報フィールドにおいて伝達される前記情報を取得する前記ステップは、
前記ユーザ端末によって、Ｐを決定するステップであって、Ｐが、前記ユーザ端末がＰ個の送信時間内に情報を受信すべきであることを示し、および／もしくは前記ユーザ端末が、前記Ｐ個の送信時間内に情報を送信すべきであることを示し、Ｐが１以上の正の整数である、ステップと、
Ｐが１よりも大きいときに、前記ユーザ端末によって、前記第３の情報フィールドがＫビットの情報フィールドであることを決定し、かつ前記第３の情報フィールドにおいて伝達される前記情報が、前記アップリンクデータが前記Ｐ個の送信時間内のＫ個の送信時間内に前記アップリンクチャネル上で送信されるべきであるかどうかを示すために使用されることを決定する、ステップ、ならびに／または
Ｐが１に等しいとき、前記ユーザ端末によって、前記第３の情報フィールドが変調および符号化方式ＭＣＳ情報フィールドであることを決定し、かつ前記第３の情報フィールドにおいて伝達される前記情報が、前記アップリンクデータがＰ個の送信時間内に前記アップリンクチャネル上で送信されるべきであるかどうかを示すと決定する、ステップとを含む、請求項１８に記載の方法。
【請求項２２】
前記少なくとも１つの送信時間のうちの１つまたは複数は、０．５ｍｓ以下の期間である、請求項１８乃至２１のいずれか一項に記載の方法。
【請求項２３】
制御情報を検出するための方法であって、前記方法は、
ユーザ端末によって、第１の制御情報を受信するステップであって、前記第１の制御情報が、少なくとも１つの送信時間内にアップリンクチャネルによって占有される時間−周波数リソースを示すために使用される、ステップと、
前記ユーザ端末によって、前記アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するステップと、
前記ユーザ端末によって、比情報を決定するステップであって、前記比情報が、前記アップリンクチャネルによって占有される前記時間−周波数リソースに対する、前記アップリンクチャネル上で前記アップリンク制御情報によって占有される必要がある前記時間−周波数リソースの比、または前記アップリンクチャネルによって占有される前記時間−周波数リソースに対する、前記少なくとも１つの送信時間内に送信されるべき前記アップリンクデータによって占有される必要がある前記時間−周波数リソースの比、または前記少なくとも１つの送信時間内に送信されるべき前記アップリンクデータによって占有される必要がある前記時間−周波数リソースに対する、前記アップリンクチャネル上で前記アップリンク制御情報によって占有される必要がある前記時間−周波数リソースの比である、ステップと、
前記ユーザ端末によって、前記比情報に基づいて、前記アップリンクチャネル上で前記アップリンクデータを送信すべきかどうかを決定するステップとを含む方法。
【請求項２４】
ネットワークデバイスであって、前記ネットワークデバイスは、
第１の制御情報を送信するための第１の時間−周波数ドメインリソースに基づいて、前記第１の制御情報に含められる少なくとも１つの情報フィールドを決定するように構成された決定モジュールであって、
前記少なくとも１つの情報フィールドに基づいて前記第１の制御情報のビットの量を決定するようにさらに構成された決定モジュールと、
前記第１の制御情報の前記ビットの量に基づいて前記第１の時間−周波数ドメインリソース上で前記第１の制御情報をユーザ端末に送信するように構成された送信モジュールとを備えるネットワークデバイス。
【請求項２５】
前記第１の時間−周波数ドメインリソースが第１の時間領域内の時間−周波数ドメインリソースであるとき、前記少なくとも１つの情報フィールドは、第１の情報フィールドを含み、前記第１の情報フィールドにおいて伝達される情報は、少なくとも２つの制御情報フォーマットのうちの一方を示すために使用されるかまたは少なくとも２つの時間長のうちの一方を示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項２４に記載のネットワークデバイス。
【請求項２６】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項２４に記載のネットワークデバイス。
【請求項２７】
前記第１の時間−周波数ドメインリソースは、第２の時間領域内の時間−周波数ドメインリソースであり、前記少なくとも１つの情報フィールドは第３の情報フィールドを含み、前記第３の情報フィールドにおいて伝達される情報は、サウンディング参照信号ＳＲＳを送信するように前記ユーザ端末をトリガするために使用され、前記第２の時間領域は、事前に定義されるかまたは構成される、請求項２４に記載のネットワークデバイス。
【請求項２８】
前記第１の時間−周波数ドメインリソースは、第３の時間領域内の時間−周波数ドメインリソースであり、前記少なくとも１つの情報フィールドは第４の情報フィールドを含み、前記第４の情報フィールドにおいて伝達される情報は、チャネル品質情報ＣＳＩを送信するように前記ユーザ端末をトリガするために使用され、前記第３の時間領域は、事前に定義されるかまたは構成される、請求項２４に記載のネットワークデバイス。
【請求項２９】
前記第１の時間−周波数ドメインリソースは、前記ＰＤＣＣＨ領域内の時間−周波数ドメインリソース、前記ダウンリンクサブフレーム内の前記最初の１つ、２つ、３つ、または４つのシンボルが属する前記時間領域内の時間−周波数ドメインリソース、および０．５ｍｓ以下の送信時間内の時間−周波数ドメインリソースの３つのうちの少なくとも１つを含む、請求項２４または２６乃至２８のいずれか一項に記載のネットワークデバイス。
【請求項３０】
ネットワークデバイスであって、前記ネットワークデバイスは、
第１の制御情報に含まれる少なくとも１つの情報フィールドを決定するように構成された決定モジュールであって、前記少なくとも１つの情報フィールドにおいて伝達される情報が、
少なくとも１つの送信時間内に受信および／または送信される情報に対応する冗長バージョン情報、
Ｎ個の送信時間を示し、前記第１の制御情報が、ユーザ端末に前記Ｎ個の送信時間内に情報を受信するように指示するために使用され、および／または前記Ｎ個の送信時間内に情報を送信するように前記ユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む、決定モジュールと、
前記第１の制御情報を前記ユーザ端末に送信するように構成された送信モジュールとを備えるネットワークデバイス。
【請求項３１】
前記少なくとも１つの情報フィールドは第１の情報フィールドを含み、前記第１の情報フィールドにおいて伝達される情報は、前記少なくとも１つの送信時間内に受信および／または送信される情報に対応する前記冗長バージョン情報を含み、
前記決定モジュールは、
Ｍを決定することであって、前記少なくとも１つの送信時間がＭ個の送信時間であり、Ｍが１以上の正の整数である、Ｍを決定することと、
Ｍ、前記第１の情報フィールドのビットの量、ならびに前記Ｍ個の送信時間内に受信および／または送信される前記情報に対応する前記冗長バージョン情報に基づいて前記第１の情報フィールドの少なくとも１つのビットのステータスを決定することとを行うようにさらに構成される、請求項３０に記載のネットワークデバイス。
【請求項３２】
前記少なくとも１つの情報フィールドは、第２の情報フィールドを含み、前記第２の情報フィールドにおいて伝達される情報はＮを含み、
前記決定モジュールは、
Ｎおよび第１の対応に基づいて前記第２の情報フィールドの少なくとも１つのビットのステータスを決定することであって、前記第１の対応が、前記少なくとも１つのビットの前記ステータスとＮとの対応であり、前記第１の対応が、前記ネットワークデバイスによって構成されるかまたは事前に定義される、決定することを行うようにさらに構成される、請求項３０に記載のネットワークデバイス。
【請求項３３】
前記少なくとも１つの情報フィールドは第３の情報フィールドを含み、前記第３の情報フィールドにおいて伝達される情報は、前記アップリンクデータが前記少なくとも１つの送信時間内に前記アップリンクチャネル上で送信されるべきかどうかを示す情報を含み、
前記決定モジュールは、
Ｐを決定することであって、Ｐが、前記ユーザ端末がＰ個の送信時間内に情報を受信すべきであることを示し、および／もしくは前記ユーザ端末が、前記Ｐ個の送信時間内に情報を送信すべきであることを示し、Ｐが１以上の正の整数である、Ｐを決定すること、
Ｐが１よりも大きいときに、前記第３の情報フィールドがＫビットの情報フィールドであることを決定し、かつ前記第３の情報フィールドが、前記アップリンクデータが前記Ｐ個の送信時間内のＫ個の送信時間内に前記アップリンクチャネル上で送信されるべきであるかどうかを示すために使用されることを決定することであって、Ｋが、１以上でＰ以下の正の整数である、Ｐが１よりも大きいときの決定を行うこと、ならびに／または
Ｐが１に等しいとき、前記情報フィールドが変調および符号化方式ＭＣＳ情報であることを決定し、かつ前記第３の情報フィールドが、前記アップリンクデータが１つの送信時間内に前記アップリンクチャネル上で送信されるべきであるかどうかを示すために使用されることを決定することを行うようにさらに構成される、請求項３０に記載のネットワークデバイス。
【請求項３４】
前記少なくとも１つの送信時間のうちの１つまたは複数は、０．５ｍｓ以下の期間である、請求項３０乃至３３のいずれか一項に記載のネットワークデバイス。
【請求項３５】
ユーザ端末であって、前記ユーザ端末は、
第１の制御情報を検出するための第１の時間−周波数ドメインリソースに基づいて、前記第１の制御情報に含められる少なくとも１つの情報フィールドを決定するように構成された決定モジュールであって、
前記少なくとも１つの情報フィールドに基づいて前記第１の制御情報のビットの量を決定するようにさらに構成された決定モジュールと、
前記第１の制御情報の前記ビットの量に基づいて前記第１の時間−周波数ドメインリソース上で前記第１の制御情報を検出するように構成された検出モジュールと、
前記検出モジュールが前記第１の制御情報を検出した後に前記第１の制御情報を受信するように構成された受信モジュールとを備えるユーザ端末。
【請求項３６】
前記第１の時間−周波数ドメインリソースが第１の時間領域内の時間−周波数ドメインリソースであるとき、前記少なくとも１つの情報フィールドは、第１の情報フィールドを含み、前記第１の情報フィールドにおいて伝達される情報は、少なくとも２つの制御情報フォーマットのうちの一方を示すために使用されるかまたは少なくとも２つの時間長のうちの一方を示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項３５に記載のユーザ端末。
【請求項３７】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、前記第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である、請求項３５に記載のユーザ端末。
【請求項３８】
前記第１の時間−周波数ドメインリソースは、第２の時間領域内の時間−周波数ドメインリソースであり、前記少なくとも１つの情報フィールドは第３の情報フィールドを含み、前記第３の情報フィールドにおいて伝達される情報は、サウンディング参照信号ＳＲＳを送信するように前記ユーザ端末をトリガするために使用され、前記第２の時間領域は、受信された上位層シグナリングに基づいて前記ユーザ端末によって決定されるかまたは事前に定義される、請求項３５に記載のユーザ端末。
【請求項３９】
前記第１の時間−周波数ドメインリソースは、第３の時間領域内の時間−周波数ドメインリソースであり、前記少なくとも１つの情報フィールドは第４の情報フィールドを含み、前記第４の情報フィールドにおいて伝達される情報は、チャネル品質情報ＣＳＩを送信するようにトリガするために使用され、前記第３の時間領域は、受信される上位層シグナリングに基づいて決定されるかまたは事前に定義される、請求項３５に記載のユーザ端末。
【請求項４０】
前記第１の時間−周波数ドメインリソースは、前記ＰＤＣＣＨ領域内の時間−周波数ドメインリソース、前記ダウンリンクサブフレーム内の前記最初の１つ、２つ、３つ、または４つのシンボルが属する前記時間領域内の時間−周波数ドメインリソース、および０．５ｍｓ以下の送信時間内の時間−周波数ドメインリソースの３つのうちの少なくとも１つを含む、請求項３５または３７乃至３９のいずれか一項に記載のユーザ端末。
【請求項４１】
ユーザ端末であって、前記ユーザ端末は、
第１の制御情報を受信するように構成された受信モジュールであって、前記第１の制御情報が少なくとも１つの情報フィールドを含み、前記少なくとも１つの情報フィールドにおいて伝達される情報が、
少なくとも１つの送信時間内に受信および／または送信される情報に対応する冗長バージョン情報、
Ｎ個の送信時間を示し、前記第１の制御情報が、前記Ｎ個の送信時間内に情報を受信するように指示するために使用され、および／または前記Ｎ個の送信時間内に情報を送信するようにトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む、受信モジュールと、
前記少なくとも１つの情報フィールドにおいて伝達される前記情報を取得するように構成された取得モジュールとを含むユーザ端末。
【請求項４２】
前記少なくとも１つの情報フィールド内の第１の情報フィールドにおいて伝達される情報は、前記少なくとも１つの送信時間内に受信および／または送信される前記情報に対応する前記冗長バージョン情報を含み、前記取得モジュールは、
前記第１の情報フィールドの少なくとも１つのビットのステータスを決定することと、
Ｍを決定することであって、前記少なくとも１つの送信時間がＭ個の送信時間であり、Ｍが１以上の正の整数である、Ｍを決定することと、
前記第１の情報フィールドのビットの量、前記第１の情報フィールドの前記少なくとも１つのビットの前記ステータス、およびＭに基づいて、前記Ｍ個の送信時間内に受信および／または送信される前記情報に対応する前記冗長バージョン情報を決定することとを行うようにさらに構成される、請求項４１にユーザ端末。
【請求項４３】
前記少なくとも１つの情報フィールド内の第２の情報フィールドにおいて伝達される情報はＮを含み、前記取得モジュールは、
前記第２の情報フィールドの少なくとも１つのビットのステータスを決定することと、
第１の対応および前記第２の情報フィールドの前記少なくとも１つのビットの前記ステータスに基づいて、Ｎを決定することであって、前記第１の対応が、前記少なくとも１つのビットの前記ステータスとＮとの間の対応であり、前記第１の対応が、受信される上位層シグナリングに基づいて事前に定義されるかまたは決定される、Ｎを決定することとを行うようにさらに構成される、請求項４１に記載のユーザ端末。
【請求項４４】
前記少なくとも１つの情報フィールド内の第３の情報フィールドにおいて伝達される情報は、前記アップリンクデータが前記少なくとも１つの送信時間内に前記アップリンクチャネル上で送信されるべきであるかどうかを示す情報を含み、前記取得モジュールは、
Ｐを決定することであって、Ｐが、前記ユーザ端末がＰ個の送信時間内に情報を受信すべきであることを示し、および／もしくは前記ユーザ端末が、前記Ｐ個の送信時間内に情報を送信すべきであることを示し、Ｐが１以上の正の整数である、Ｐを決定すること、
Ｐが１よりも大きいときに、前記第３の情報フィールドがＫビットの情報フィールドであることを決定し、かつ前記第３の情報フィールドにおいて伝達される前記情報が、前記アップリンクデータが前記Ｐ個の送信時間内のＫ個の送信時間内に前記アップリンクチャネル上で送信されるべきであるかどうかを示すために使用されることを決定すること、ならびに／または
Ｐが１に等しいとき、前記第３の情報フィールドが変調および符号化方式ＭＣＳ情報であることを決定し、かつ前記第３の情報フィールドにおいて伝達される前記情報が、前記アップリンクデータがＰ個の送信時間内に前記アップリンクチャネル上で送信されるべきであるかどうかを示すと決定することを行うようにさらに構成される、請求項４１に記載のユーザ端末。
【請求項４５】
前記少なくとも１つの送信時間のうちの１つまたは複数は、０．５ｍｓ以下の期間である、請求項４１乃至４４のいずれか一項に記載のユーザ端末。
【請求項４６】
ユーザ端末であって、前記ユーザ端末は、
第１の制御情報を受信するように構成された受信モジュールであって、前記第１の制御情報が、少なくとも１つの送信時間内にアップリンクチャネルによって占有される時間−周波数リソースを示すために使用される受信モジュールと、
前記アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成された決定モジュールとを備え、
前記決定モジュールは、比情報を決定するようにさらに構成され、前記比情報は、前記アップリンクチャネルによって占有される前記時間−周波数リソースに対する、前記アップリンクチャネル上で前記アップリンク制御情報によって占有される必要がある前記時間−周波数リソースの比、または前記アップリンクチャネルによって占有される前記時間−周波数リソースに対する、前記少なくとも１つの送信時間内に送信されるべき前記アップリンクデータによって占有される必要がある前記時間−周波数リソースの比、または前記少なくとも１つの送信時間内に送信されるべき前記アップリンクデータによって占有される必要がある前記時間−周波数リソースに対する、前記アップリンクチャネル上で前記アップリンク制御情報によって占有される必要がある前記時間−周波数リソースの比であり、
前記決定モジュールは、前記比情報に基づいて、前記アップリンクチャネル上で前記アップリンクデータを送信すべきかどうかを決定するようにさらに構成されるユーザ端末。
【発明の詳細な説明】
【技術分野】
【０００１】
本発明は、通信技術の分野に関し、詳細には、制御情報を送信するための方法、装置、およびシステムに関する。
【背景技術】
【０００２】
通信技術の発展とともに、ロングタームエボリューション（ＬＴＥ、Ｌｏｎｇ  Ｔｅｒｍ  Ｅｖｏｌｕｔｉｏｎ）システムがより広く適用されている。ＬＴＥシステムでは、様々な物理チャネル上のデータが１ｍｓのＴＴＩ（Ｔｒａｎｓｍｉｓｓｉｏｎ  Ｔｉｍｅ  Ｉｎｔｅｒｖａｌ、送信時間間隔）に基づいて送信されることがある。ＬＴＥシステムではショートＴＴＩデータ送信機構がさらに設定されて、データ送信遅延を短縮し、データ送信効率を向上させている。ショートＴＴＩの期間は、１サブフレームまたは１ｍｓよりも短く、たとえば、０．５ｍｓまたは０．２５ｍｓであることがある。
【０００３】
ＬＴＥシステムでは、ネットワークデバイスは、情報をＡ  ＴＴＩでＵＥ（Ｕｓｅｒ  Ｅｑｕｉｐｍｅｎｔ、ユーザ端末）に送信するか、または情報をＡ  ＴＴＩで送信するようＵＥに指示する際、制御情報をＡ  ＴＴＩで送信する。ここで、Ａは、１以上の正の整数である。たとえば、制御情報は、ＤＣＩ（Ｄｏｗｎｌｉｎｋ  Ｃｏｎｔｒｏｌ  Ｉｎｆｏｒｍａｔｉｏｎ、ダウンリンク制御情報）であることがある。制御情報は、ＣＳＩ（Ｃｈａｎｎｅｌ  Ｓｔａｔｅ  Ｉｎｆｏｒｍａｔｉｏｎ、チャネル状態情報）指示情報およびＳＲＳ（Ｓｏｕｎｄｉｎｇ  Ｒｅｆｅｒｅｎｃｅ  Ｓｙｍｂｏｌ、サウンディング参照信号）要求情報などの複数のサブ情報を含むことがある。
【０００４】
制御情報には、ＳＲＳ要求情報などの１つのサブ情報が常に存在することがある。しかし、ＴＴＩが短縮された後、制御情報はより頻繁に出現することがある。この場合、制御情報中のあるサブ情報は冗長であることがある。冗長なサブ情報は、制御情報によって占有されるシステムリソースのオーバーヘッドを増大させ、データ送信効率を低下させる。
【発明の概要】
【０００５】
従来技術における問題を解決するために、本発明の実施形態は、制御情報を送信するための方法、装置、およびシステムを提供する。次のように技術的解決手段が与えられる。
【０００６】
第１の態様によれば、制御情報を送信するための方法が提供される。この方法では、ネットワークデバイスが、第１の制御情報を送信するための第１の時間−周波数ドメインリソースに基づいて、第１の制御情報に含められる少なくとも１つの情報フィールドを決定し、ネットワークデバイスは、少なくとも１つの情報フィールドに基づいて第１の制御情報のビットの量を決定し、次いで、ネットワークデバイスは、第１の制御情報のビットの量に基づいて第１の時間−周波数ドメインリソース上で第１の制御情報をユーザ端末に送信する。
【０００７】
ネットワークデバイスによってユーザ端末に送信されるビットの総量
は、第１の制御情報のビットの量以上であってもよい。
【０００８】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０００９】
第１の情報フィールドにおいて伝達される情報は、フォーマット識別指示情報またはＴＴＩ期間指示情報を含む。少なくとも２つの制御情報フォーマットは、１ｍｓのＴＴＩを示す制御情報フォーマットと１ｍｓよりも短いＴＴＩのフォーマットとを含んでもよく、または少なくとも２つの制御情報フォーマットは、第１の制御情報フォーマットと第２の制御情報フォーマットとを含んでもよい。少なくとも２つの時間長は、１ｍｓの期間と１ｍｓよりも短い期間とを含んでもよい。ここで、期間は、ユーザ端末がこの期間内で情報を受信するかまたは情報を送信することを示してもよい。
【００１０】
第１の時間−周波数ドメインリソースが第１の時間領域内にないとき、たとえば、第１の時間−周波数ドメインリソースが、０．５ｍｓ以下の送信時間内の時間−周波数ドメインリソースであるとき、第１の制御情報の情報フィールドは、第１の情報フィールドにおいて伝達される情報を含まないことがある。
【００１１】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００１２】
第２の情報フィールドにおいて伝達される情報は、ダウンリンクデータチャネルのリソース使用状況を示す情報である。ダウンリンク制御チャネルによって占有される時間−周波数ドメインリソースは、送信時間内にＤＣＩを伝達するためにダウンリンク制御チャネルによって占有される制御チャネル要素（Ｃｏｎｔｒｏｌ  Ｃｈａｎｎｅｌ  Ｅｌｅｍｅｎｔ、ＣＣＥ）、または送信時間においてダウンリンク制御チャネルによって占有されるリソースブロックＲＢ、または送信時間においてダウンリンク制御チャネルによって占有されるリソース要素ＲＥを含んでもよい。ダウンリンク制御チャネルによって占有されない時間−周波数ドメインリソースは、送信時間内にＤＣＩを伝達するためにダウンリンク制御チャネルによって占有されないＣＣＥ、または送信時間においてダウンリンク制御チャネルによって占有されないリソースブロックＲＢ、または送信時間においてダウンリンク制御チャネルによって占有されないリソース要素ＲＥを含んでもよい。ダウンリンクデータチャネルによって占有される時間−周波数ドメインリソースは、送信時間内にダウンリンクデータチャネルによって占有されるリソースブロックＲＢ、または送信時間においてダウンリンクデータチャネルによって占有されるリソース要素ＲＥを含んでもよい。送信時間は、２シンボル送信時間、０．５ｍｓ以下の送信時間、または１ｍｓの送信時間であってもよい。
【００１３】
第１の時間−周波数ドメインリソースが第１の時間領域を超える時間−周波数ドメインリソースであることは、第１の時間−周波数ドメインリソースが、０．５ｍｓ以下の送信時間内の時間−周波数ドメインリソースであることを含む。第１の時間−周波数ドメインリソースが第１の時間領域内であるとき、第１の制御情報の情報フィールドは、第２の情報フィールドにおいて伝達される情報を含まなくてもよい。
【００１４】
別の考えられる設計では、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、ネットワークデバイスによって構成されるかまたは事前に定義される。
【００１５】
第３の情報フィールドにおいて伝達される情報は、ＳＲＳ要求情報を含む。
【００１６】
ネットワークデバイスは、第１の制御情報の情報フィールドが第３の情報フィールドを含むことがあることを決定した後、ユーザ端末がサウンディング参照信号ＳＲＳを送信するようにトリガされるかどうかに応じて第３の情報フィールドのビットのステータスを設定してもよい。第１の時間−周波数ドメインリソースが第２の時間領域内ではないとき、第１の制御情報の情報フィールドは、第３の情報フィールドにおいて伝達される情報を含まなくてもよい。
【００１７】
別の考えられる設計では、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、ネットワークデバイスによって構成されるかまたは事前に定義される。
【００１８】
第４の情報フィールドにおいて伝達される情報は、チャネル状態ＣＳＩ指示情報を含む。
【００１９】
ネットワークデバイスは、第１の制御情報の情報フィールドが第４の情報フィールドを含むことがあることを決定した後、ユーザ端末がチャネル品質情報ＣＳＩを送信するようにトリガされるかどうかに応じて第４の情報フィールドのビットのステータスを設定してもよい。第１の時間−周波数ドメインリソースが第３の時間領域内ではないとき、第１の制御情報の情報フィールドは、第４の情報フィールドにおいて伝達される情報を含まなくてもよい。
【００２０】
第３の時間領域は、ＰＤＣＣＨ領域などの、固定された時間領域または事前に定義された時間領域である。このことはこの実施形態では限定されない。
【００２１】
代替として、第３の時間領域は、ネットワークデバイスによってユーザ端末のＣＳＩ指示情報を受信した以前の時間に基づいて決定されてもよい。
【００２２】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００２３】
第２の態様によれば、制御情報を送信するための方法が提供される。この方法では、ネットワークデバイスが、第１の制御情報に含まれる少なくとも１つの情報フィールドを決定し、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含み、
ネットワークデバイスは、第１の制御情報をユーザ端末に送信する。
【００２４】
ネットワークデバイスは、従来技術における解決手段を使用して、第１の制御情報に含まれる情報フィールドを決定してもよく、または本発明において提供される解決手段を使用して、第１の制御情報に含まれる情報フィールドを決定してもよい。
【００２５】
別の考えられる設計では、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
この方法は、ネットワークデバイスが、第１の制御情報をユーザ端末に送信する前に、
ネットワークデバイスが、Ｍを決定することであって、少なくとも１つの送信時間がＭ個の送信時間であり、Ｍが１以上の正の整数である、Ｍを決定することと、
ネットワークデバイスが、Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定することとをさらに含む。
【００２６】
Ｍは、第１の制御情報または他の制御情報に基づいてネットワークデバイスによって決定されてもよく、またはネットワークデバイスによってユーザ端末に送信される上位層シグナリングに基づいて決定されてもよく、ユーザ機器のトラフィック量に基づいてネットワークデバイスによってユーザ機器に割り振られてもよく、またはネットワークデバイス自体によって決定されてもよい。第１の情報フィールドのビットの量は、第１の情報フィールドに含まれる情報のビットの量または第１の情報フィールドに含まれるビットの量である。
【００２７】
ネットワークデバイスは、送信時間の数と、第１の情報フィールドのビットの量と、第１の情報フィールドのビットのステータスと、少なくとも１つの送信時間内に受信および／または送信される情報に対応する冗長バージョン情報との対応を事前に記憶してもよい。ネットワークデバイスは、対応、Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定してもよい。Ｍ個の送信時間は、連続していてもまたは不連続であってもよい。
【００２８】
対応は、具体的には次のように定められてもよい。第１の情報フィールドのビットの量がＸであるとき、Ｘの値が上位層シグナリングに基づいて構成されるか、固定されるか、または事前に定義されることがある場合、ネットワークデバイスは、Ｘの値とＭの値との関係に基づいて冗長バージョンを示すビットの量を決定し、Ｍ個の送信時間内に受信および／または送信される情報に対応する冗長バージョン情報に基づいて第１の情報フィールドの少なくとも１つのビットのステータスをさらに決定してもよい。次のように３つのケースが含められる。
【００２９】
（１）ＭがＸよりも大きいとき、Ｘにおける１つのビットが、冗長バージョンの種類を示すために使用され、少なくとも１つのビットの１つの状態が、少なくとも２つの送信時間内の１つの冗長バージョンに対応する。
【００３０】
（２）ＭがＸよりも小さく、Ｍが事前に設定された第１のしきい値よりも大きいとき、Ｘにおける各ビットの１つの状態が、最大で１ＴＴＩの冗長バージョンに対応する。事前に設定された第１のしきい値は、正の整数であり、Ｘ／２またはＸ／３を切り捨てることによって得られてもよい。このことはこの実施形態では限定されない。
【００３１】
（３）Ｍが事前に設定された第１のしきい値以下であるとき、ｉビットごとの１つの状態が、最大で１ＴＴＩの冗長バージョンに対応する。事前に設定された第１のしきい値は、正の整数であり、Ｘ／ｉを切り捨てることによって得られてもよく、ここで、ｉは１以上の正の整数である。
【００３２】
別の考えられる設計では、少なくとも１つの情報フィールドは、第２の情報フィールドを含み、第２の情報フィールドにおいて伝達される情報はＮを含み、
この方法は、ネットワークデバイスが第１の制御情報をユーザ端末に送信する前に、
ネットワークデバイスが、Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、ステータスを決定することをさらに含む。
【００３３】
第２の情報フィールドのビットの量は固定されてもよくまたは事前に定義されてもよい。これに応じて、第２の情報フィールドによって示されることがある送信時間の量セットにおける要素の数は、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成されるかまたは事前に定義される。
【００３４】
代替として、第２の情報フィールドのビットの量は可変である。ネットワークデバイスは、スケジュールされた送信時間の期間に基づいて第２の情報フィールドのビットの量を決定し、次いで、Ｎおよび第１の対応に基づいて第２の情報フィールドの少なくとも１つのビットのステータスを決定してもよい。
【００３５】
別の考えられる設計では、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
この方法は、ネットワークデバイスが第１の制御情報をユーザ端末に送信する前に、
ネットワークデバイスが、Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいとき、ネットワークデバイスが、第３の情報フィールドがＫビットの情報フィールドであることを決定することであって、第３の情報フィールドが、アップリンクデータがＰ個の送信時間内のＫ個の送信時間内にアップリンクチャネル上で送信されるべきであることを示すために使用され、Ｋが、１以上でＰ以下の正の整数であり、すなわち、第３の情報フィールドが、アップリンクデータがＫ個の送信時間の一部においてアップリンクチャネル上で送信されるべきであり、かつＫ個の送信時間の他の部分ではアップリンクチャネル上でアップリンクデータが送信されるべきではないことを示すために使用されることがある、Ｐが１よりも大きいときの決定を行うこと、ならびに／または
Ｐが１に等しいとき、ネットワークデバイスが、第３の情報フィールドが変調および符号化方式ＭＣＳ情報フィールドであり、第３の情報フィールドが、アップリンクデータが１つの送信時間内にアップリンクチャネル上で送信されるべきであることを示すために使用されることを決定することであって、ＭＣＳ情報フィールドのビットの状態２９が、送信時間内のアップリンクチャネル上ではアップリンクデータが送信されるべきではないことを示すために使用されることがある、Ｐが１に等しいときの決定を行うことをさらに含む。
【００３６】
ネットワークデバイスはＰと１を比較する。
【００３７】
別の考えられる設計では、少なくとも１つの送信時間のうちの１つまたは複数は、０．５ｍｓ以下の期間である。
【００３８】
さらに、この実施形態は、制御情報を送信するための方法を提供する。この方法のための処理手順は次のように行われてもよい。ネットワークデバイスが、第１の制御情報を送信する。ここで、第１の制御情報は、第１の期間を有する少なくとも１つの送信時間におけるユーザ端末のスケジューリング情報の指示を含み、スケジューリング情報は、送信時間内に情報を受信するようにユーザ端末をトリガし、および／またはユーザ端末がＰ個の送信時間内に情報を送信すべきであることを示すために使用され、第１の期間は、０．５ｍｓ以下の期間である。ネットワークデバイスが、第２の制御情報を送信する。ここで、第２の制御情報は、少なくとも１つの送信時間のうちの１つにおいてアップリンクチャネル上でアップリンクデータが送信されるべきであるかどうかを示すために使用される。
【００３９】
この方法では、第１の制御情報を送信した後で、ネットワークデバイスは、１つの制御情報（すなわち、第２の制御情報）を別個に送信し、ユーザ端末がアップリンクデータを少なくとも１つの送信時間内にアップリンクチャネル上で送信すべきであるかどうかを示す。
【００４０】
第３の態様によれば、制御情報を検出するための方法が提供される。この方法では、ユーザ端末が、第１の制御情報を検出するための第１の時間−周波数ドメインリソースに基づいて、第１の制御情報に含められる少なくとも１つの情報フィールドを決定し、ユーザ端末が、少なくとも１つの情報フィールドに基づいて第１の制御情報のビットの量を決定し、次いで、第１の制御情報のビットの量に基づいて第１の時間−周波数ドメインリソース上で第１の制御情報を検出し、ユーザ端末が、第１の検出情報を検出した後に第１の制御情報を受信する。
【００４１】
ネットワークデバイスによってユーザ端末に送信されるビットの総量は、第１の制御情報のビットの量以上であってもよい。
【００４２】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００４３】
第１の情報フィールドにおいて伝達される情報は、フォーマット識別指示情報またはＴＴＩ期間指示情報を含む。少なくとも２つの制御情報フォーマットは、１ｍｓのＴＴＩを示す制御情報フォーマットと１ｍｓよりも短いＴＴＩのフォーマットとを含んでもよく、または少なくとも２つの制御情報フォーマットは、第１の制御情報フォーマットと第２の制御情報フォーマットとを含んでもよい。少なくとも２つの時間長は、１ｍｓの期間と１ｍｓよりも短い期間とを含んでもよい。ここで、期間は、ユーザ端末がこの期間内で情報を受信するかまたは情報を送信することを示してもよい。
【００４４】
第１の時間−周波数ドメインリソースが第１の時間領域内にないとき、たとえば、第１の時間−周波数ドメインリソースが、０．５ｍｓ以下の送信時間内の時間−周波数ドメインリソースであるとき、第１の制御情報の情報フィールドは、第１の情報フィールドにおいて伝達される情報を含まないことがある。
【００４５】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００４６】
第２の情報フィールドにおいて伝達される情報は、ダウンリンクデータチャネルのリソース使用状況を示す情報である。ダウンリンク制御チャネルによって占有される時間−周波数ドメインリソースは、送信時間内にＤＣＩを伝達するためにダウンリンク制御チャネルによって占有されるＣＣＥ、または送信時間においてダウンリンク制御チャネルによって占有されるリソースブロックＲＢ、または送信時間においてダウンリンク制御チャネルによって占有されるリソース要素ＲＥを含んでもよい。ダウンリンク制御チャネルによって占有されない時間−周波数ドメインリソースは、送信時間内にＤＣＩを伝達するためにダウンリンク制御チャネルによって占有されないＣＣＥ、または送信時間においてダウンリンク制御チャネルによって占有されないリソースブロックＲＢ、または送信時間においてダウンリンク制御チャネルによって占有されないリソース要素ＲＥを含んでもよい。ダウンリンクデータチャネルによって占有される時間−周波数ドメインリソースは、送信時間内にダウンリンクデータチャネルによって占有されるリソースブロックＲＢ、または送信時間においてダウンリンクデータチャネルによって占有されるリソース要素ＲＥを含んでもよい。
【００４７】
第１の時間−周波数ドメインリソースが第１の時間領域を超える時間−周波数ドメインリソースであることは、第１の時間−周波数ドメインリソースが、０．５ｍｓ以下の送信時間内の時間−周波数ドメインリソースであることを含む。第１の時間−周波数ドメインリソースが第１の時間領域内であるとき、第１の制御情報の情報フィールドは、第２の情報フィールドにおいて伝達される情報を含まなくてもよい。
【００４８】
別の考えられる設計では、第１の時間−周波数ドメインリソースが、第２の時間領域内の時間−周波数ドメインリソースであるとき、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【００４９】
第３の情報フィールドにおいて伝達される情報は、ＳＲＳ要求情報を含む。
【００５０】
ユーザ端末は、第１の制御情報の情報フィールドが第３の情報フィールドにおいて伝達される情報を含むことがあると決定した後、第３の情報フィールドのビットのステータスに基づいて、サウンディング参照情報ＳＲＳを送信すべきかどうかを決定してもよい。第１の時間−周波数ドメインリソースが第２の時間領域内ではないとき、ユーザ端末は、第１の制御情報の情報フィールドが、第３の情報フィールドにおいて伝達される情報を含まないと決定してもよい。
【００５１】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、受信される上位層シグナリングに基づいてユーザ端末によって決定されるかまたは事前に定義される。
【００５２】
第４の情報フィールドにおいて伝達される情報は、周期的チャネル状態ＣＳＩ指示情報を含む。
【００５３】
ユーザ端末は、第１の制御情報の情報フィールドが第４の情報フィールドを含むことがあると決定した後、第４の情報フィールドのビットのステータスに基づいて、チャネル品質情報ＣＳＩを送信すべきかどうかを決定してもよい。第１の時間−周波数ドメインリソースが第３の時間領域内ではないとき、ユーザ端末は、第１の制御情報の情報フィールドが、第４の情報フィールドにおいて伝達される情報を含まないと決定してもよい。具体的には、第１の制御情報の情報フィールドは、第４の情報フィールドを含まなくてもよく、または第１の制御情報の情報フィールドは、第４の情報フィールドを含むが、第４の情報フィールドは、チャネル品質情報ＣＳＩを送信するようにユーザ端末をトリガするために使用される情報を伝達せず、または第１の制御情報の情報フィールドは、第４の情報フィールドを含むが、ユーザ端末は、第４の情報フィールドにおいて伝達され、チャネル品質情報ＣＳＩを送信するようにユーザ端末をトリガするために使用される情報を受信しない。第４の情報フィールドのビットの量は、ユーザ端末によって決定されてもよく、または事前に定義されてもよい。
【００５４】
第３の時間領域は、ＰＤＣＣＨ領域などの、固定された時間領域または事前に定義された時間領域である。このことはこの実施形態では限定されない。
【００５５】
代替として、第３の時間領域は、ネットワークデバイスによってユーザ端末のＣＳＩ指示情報を受信した以前の時間に基づいて決定されてもよい。
【００５６】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００５７】
第４の態様によれば、制御情報を検出するための方法が提供される。この方法では、ユーザ端末が、第１の制御情報を受信し、第１の制御情報は少なくとも１つの情報フィールドを含み、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含み、
ユーザ端末は、少なくとも１つの情報フィールドにおいて伝達される情報を取得する。
【００５８】
ユーザ端末は、従来技術における解決手段を使用して、第１の制御情報に含まれる情報フィールドを決定してもよく、または本発明において提供される解決手段を使用して、第１の制御情報に含まれる情報フィールドを決定してもよい。
【００５９】
考えられる設計では、少なくとも１つの情報フィールド内の第１の情報フィールドにおいて伝達される情報は、少なくとも１つの送信時間内に受信および／または送信される情報に対応する冗長バージョン情報を含み、ユーザ端末が少なくとも１つの情報フィールドにおいて伝達される情報を取得することは、
ユーザ端末が第１の情報フィールドの少なくとも１つのビットのステータスを決定することと、
ユーザ端末が、Ｍを決定することであって、少なくとも１つの送信時間がＭ個の送信時間であり、Ｍが１以上の正の整数である、Ｍを決定することと、
ユーザ端末が、第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することとを含む。
【００６０】
Ｍは、ユーザ端末がＭ個の送信時間内に情報を受信すべきであることを示し、および／またはＭ個の送信時間内に情報を送信するようにユーザ端末をトリガするために使用される。Ｍは、第１の制御情報または他の制御情報に基づいてユーザ端末によって決定されてもよく、またはネットワークデバイスによってユーザ端末に送信される上位層シグナリングに基づいて決定されてもよく、またはユーザ端末のトラフィック量に基づいてネットワークデバイスによってユーザ機器に割り振られてもよい。Ｍ個の送信時間は、連続していてもまたは不連続であってもよい。このことはこの実施形態では限定されない。
【００６１】
ユーザ端末は、送信時間の数と、第１の情報フィールドのビットの量と、第１の情報フィールドのビットのステータスと、少なくとも１つの送信時間内に受信および／または送信される情報に対応する冗長バージョン情報との対応を事前に記憶してもよい。ユーザ端末は、対応、Ｍ、第１の情報フィールドのビットの量、および少なくとも１つのビットのステータスに基づいて、Ｍ個の送信時間内に受信および／または送信される情報に対応する冗長バージョン情報を決定してもよい。
【００６２】
対応は、具体的には次のように定められてもよい。第１の情報フィールドのビットの量がＸであるとき、Ｘの値が上位層シグナリングに基づいて構成されるか、固定されるか、または事前に定義されることがある場合、ユーザ端末は、Ｘの値とＭの値との関係に基づいて冗長バージョンを示すビットの量を決定し、Ｍ個の送信時間内に受信および／または送信される情報に対応する冗長バージョン情報に基づいて第１の情報フィールドの少なくとも１つのビットのステータスをさらに決定してもよい。次のように３つのケースが含められる。
【００６３】
（１）ＭがＸよりも大きいとき、Ｘにおける１つのビットが、冗長バージョンの種類を示すために使用され、少なくとも１つのビットの１つの状態が、少なくとも２つの送信時間内の１つの冗長バージョンに対応する。
【００６４】
（２）ＭがＸよりも小さく、Ｍが事前に設定された第１のしきい値よりも大きいとき、Ｘにおける各ビットの１つの状態は、最大で１ＴＴＩの冗長バージョンに対応する。事前に設定された第１のしきい値は、正の整数であり、Ｘ／２またはＸ／３を切り捨てることによって得られてもよい。このことはこの実施形態では限定されない。
【００６５】
（３）Ｍが事前に設定された第１のしきい値以下であるとき、ｉビットごとの１つの状態が、最大で１ＴＴＩの冗長バージョンに対応する。事前に設定された第１のしきい値は、正の整数であり、Ｘ／ｉを切り捨てることによって得られてもよく、ここで、ｉは１以上の正の整数である。
【００６６】
別の考えられる設計では、少なくとも１つの情報フィールド内の第２の情報フィールドにおいて伝達される情報はＮを含み、ユーザ端末が少なくとも１つの情報フィールドにおいて伝達される情報を取得することは、
ユーザ端末が、第２の情報フィールドの少なくとも１つのビットのステータスを決定することと、
ユーザ端末が、第１の対応および第２の情報フィールドの少なくとも１つのビットのステータスに基づいて、Ｎを決定することであって、第１の対応が、少なくとも１つのビットのステータスとＮとの間の対応であり、第１の対応が、ユーザ端末によって、受信される上位層シグナリングに基づいて決定されるか、または事前に定義される、Ｎを決定することとを含む。
【００６７】
第２の情報フィールドのビットの量は固定されてもよくまたは事前に定義されてもよい。これに応じて、第２の情報フィールドによって示されることがある送信時間の量セットにおける要素の数は、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成されるかまたは事前に定義される。
【００６８】
代替として、第２の情報フィールドのビットの量は可変である。ユーザ端末は、スケジュールされた送信時間の期間に基づいて第２の情報フィールドのビットの量を決定し、次いで、Ｎおよび第１の対応に基づいて第２の情報フィールドの少なくとも１つのビットのステータスを決定してもよい。
【００６９】
別の考えられる設計では、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、ユーザ端末が少なくとも１つの情報フィールドにおいて伝達される情報を取得することは、
ユーザ端末が、Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいとき、ユーザ端末が、第３の情報フィールドがＫビットの情報フィールドであると決定することであって、第３の情報フィールドにおいて伝達される情報が、アップリンクデータがＰ個の送信時間内のＫ個の送信時間内にアップリンクチャネル上で送信されるべきであるかどうかを示し、すなわち、第３の情報フィールドが、アップリンクデータがＫ個の送信時間の一部においてアップリンクチャネル上で送信されるべきであり、かつＫ個の送信時間の他の部分ではアップリンクチャネル上でアップリンクデータが送信されるべきではないことを示すために使用されることがある、Ｐが１よりも大きいときの決定を行うこと、ならびに／または
Ｐが１に等しいとき、ユーザ端末が、第３の情報フィールドが変調および符号化方式ＭＣＳ情報フィールドであり、第３の情報フィールドにおいて伝達される情報が、アップリンクデータがＰ個の送信時間内にアップリンクチャネル上で送信されるべきであるかどうかを示し、ＭＣＳ情報フィールドのビットの状態２９が、送信時間内のアップリンクチャネル上ではアップリンクデータが送信されるべきではないことを示すために使用されることがある、Ｐが１に等しいときの決定を行うことを含む。
【００７０】
ユーザ端末は、Ｐと１を比較し、Ｐは、Ｎと同じであってもよく、またはＮと異なってもよい。
【００７１】
別の考えられる設計では、少なくとも１つの送信時間のうちの１つまたは複数は、０．５ｍｓ以下の期間である。
【００７２】
第５の態様によれば、制御情報を検出するための方法が提供される。この方法では、ユーザ端末が、第１の制御情報を受信し、この場合、第１の制御情報は、少なくとも１つの送信時間においてアップリンクチャネルによって占有される時間−周波数リソースを示すために使用される。ユーザ端末は、アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定し、ユーザ端末は、比情報を決定し、この場合、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、ユーザ端末は、比情報に基づいて、アップリンクデータをアップリンクチャネル上で送信すべきかどうかを決定する。
【００７３】
アップリンク制御情報によって占有される必要がある時間−周波数リソースは、アップリンク制御情報のビットの量またはアップリンク制御情報に対応する期間であってもよい。少なくとも１つの送信時間内に送信されるべきアップリンクデータによって占有される必要がある時間−周波数リソースは、アップリンクデータのビットの量またはアップリンクデータに対応する期間であってもよい。代替として、アップリンク制御情報によって占有される必要がある時間−周波数リソースは、アップリンク制御情報のビットの量またはアップリンク制御情報の変調および符号化方式に基づいて決定されてもよい。代替として、アップリンクデータによって占有される必要がある時間−周波数リソースは、アップリンクデータのビットの量またはアップリンクデータの変調および符号化方式に基づいて決定されてもよい。
【００７４】
比が、アップリンクチャネルによって占有される時間−周波数リソースに対する、アップリンクチャネル上でアップリンク制御情報によって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であるとき、比情報が、事前に設定された第２のしきい値よりも大きい場合、アップリンクチャネル上でアップリンクデータが送信されるべきではないと決定されてもよく、または比情報が事前に設定された第２のしきい値以下である場合、アップリンクデータがアップリンクチャネル上で送信されるべきであると決定されてもよい。比が、アップリンクチャネルによって占有される時間−周波数リソースに対する、少なくとも１つの送信時間内に送信されるべきアップリンクデータによって占有される必要がある時間−周波数リソースの比であるとき、に対する、アップリンクチャネルによって占有される必要がある時間−周波数リソースの比であるとき、比情報が、事前に設定された第２のしきい値よりも小さい場合、アップリンクチャネル上でアップリンクデータが送信されるべきではないと決定されてもよく、または比情報が事前に設定された第２のしきい値以上である場合、アップリンクデータがアップリンクチャネル上で送信されるべきであると決定されてもよい。事前に設定された第２のしきい値は、シグナリングを使用することによってネットワークによって通知されてもよくまたは事前に定義されてもよい。
【００７５】
第６の態様によれば、ネットワークデバイスが提供され、ネットワークデバイスは、
ネットワークデバイスによって、第１の制御情報を送信するための第１の時間−周波数ドメインリソースに基づいて、第１の制御情報に含められる少なくとも１つの情報フィールドを決定するように構成された決定モジュールであって、
少なくとも１つの情報フィールドに基づいて第１の制御情報のビットの量を決定するようにさらに構成された決定モジュールと、
第１の制御情報のビットの量に基づいて第１の時間−周波数ドメインリソース上で第１の制御情報をユーザ端末に送信するように構成された送信モジュールとを含む。
【００７６】
考えられる設計では、時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００７７】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００７８】
別の考えられる設計では、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【００７９】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、事前に定義されるかまたは構成される。
【００８０】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００８１】
第７の態様によれば、ネットワークデバイスが提供され、ネットワークデバイスは、
第１の制御情報に含まれる少なくとも１つの情報フィールドを決定するように構成された決定モジュールであって、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む決定モジュールと、
第１の制御情報をユーザ端末に送信するように構成された送信モジュールとを含む。
【００８２】
別の考えられる設計では、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
決定モジュールは、
Ｍを決定することであって、少なくとも１つの送信時間がＭ個の送信時間であり、Ｍが１以上の正の整数である、Ｍを決定することと、
Ｍ、第１の情報フィールドのビットの量、およびＭ個の送信時間内に受信および／または送信される情報に対応する冗長バージョン情報に基づいて第１の情報フィールドの少なくとも１つのビットのステータスを決定することとを行うようにさらに構成される。
【００８３】
別の考えられる設計では、少なくとも１つの情報フィールドは、第２の情報フィールドを含み、第２の情報フィールドにおいて伝達される情報はＮを含み、
決定モジュールは、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定することを行うようにさらに構成される。
【００８４】
別の考えられる設計では、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
決定モジュールは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、Ｐが１よりも大きいときの決定を行うこと、ならびに／または
Ｐが１に等しいとき、第３の情報フィールドが変調および符号化方式ＭＣＳ情報であることを決定し、かつ第３の情報フィールドが、アップリンクデータが１つの送信時間内にアップリンクチャネル上で送信されるべきであるかどうかを示すために使用されることを決定することを行うようにさらに構成される。
【００８５】
別の考えられる設計では、少なくとも１つの送信時間のうちの１つまたは複数は、０．５ｍｓ以下の期間である。
【００８６】
第８の態様によれば、ユーザ端末が提供され、ユーザ端末は、
第１の制御情報を検出するための第１の時間−周波数ドメインリソースに基づいて、第１の制御情報に含められる少なくとも１つの情報フィールドを決定するように構成された決定モジュールであって、
少なくとも１つの情報フィールドに基づいて第１の制御情報のビットの量を決定するようにさらに構成された決定モジュールと、
第１の制御情報のビットの量に基づいて第１の時間−周波数ドメインリソース上で第１の制御情報を検出するように構成された検出モジュールと、
検出モジュールが第１の制御情報を検出した後に第１の制御情報を受信するように構成された受信モジュールとを含む。
【００８７】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００８８】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、ダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００８９】
別の考えられる設計では、第１の時間−周波数ドメインリソースが、第２の時間領域内の時間−周波数ドメインリソースであるとき、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【００９０】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにトリガするために使用され、第３の時間領域は、受信される上位層シグナリングに基づいて決定されるかまたは事前に定義される。
【００９１】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００９２】
第９の態様によれば、ユーザ端末が提供され、ユーザ端末は、
第１の制御情報を受信するように構成された受信モジュールであって、第１の制御情報が少なくとも１つの情報フィールドを含み、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、Ｎ個の送信時間内に情報を受信するように指示するために使用され、および／またはＮ個の送信時間内に情報を送信するようにトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む受信モジュールと、
少なくとも１つの情報フィールドにおいて伝達される情報を取得するように構成された取得モジュールとを含む。
【００９３】
考えられる設計では、少なくとも１つの情報フィールド内の第１の情報フィールドにおいて伝達される情報は、少なくとも１つの送信時間内に受信および／または送信される情報に対応する冗長バージョン情報を含み、取得モジュールは、
第１の情報フィールドの少なくとも１つのビットのステータスを決定することと、
Ｍを決定することであって、少なくとも１つの送信時間がＭ個の送信時間であり、Ｍが１以上の正の整数である、Ｍを決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することとを行うようにさらに構成される。
【００９４】
別の考えられる設計では、少なくとも１つの情報フィールド内の第２の情報フィールドにおいて伝達される情報はＮを含み、取得モジュールは、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいて決定されるか、または事前に定義される、Ｎを決定することとを行うようにさらに構成される。
【００９５】
別の考えられる設計では、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、取得モジュールは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであると決定し、かつ第３の情報フィールドにおいて伝達される情報が、アップリンクデータがＰ個の送信時間内のＫ個の送信時間内にアップリンクチャネル上で送信されるべきであるかどうかを示すと決定すること、ならびに／または
Ｐが１に等しいとき、第３の情報フィールドが変調および符号化方式ＭＣＳ情報であると決定し、かつ第３の情報フィールドにおいて伝達される情報が、アップリンクデータがＰ個の送信時間内にアップリンクチャネル上で送信されるべきであるかどうかを示すと決定することを行うようにさらに構成される。
【００９６】
別の考えられる設計では、少なくとも１つの送信時間のうちの１つまたは複数は、０．５ｍｓ以下の期間である。
【００９７】
第１０の態様によれば、ユーザ端末が提供され、ユーザ端末は、
第１の制御情報を受信するように構成された受信モジュールであって、第１の制御情報が、少なくとも１つの送信時間内にアップリンクチャネルによって占有される時間−周波数リソースを示すために使用される受信モジュールと、
アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成された決定モジュールとを備え、
決定モジュールは、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
決定モジュールは、比情報に基づいて、アップリンクチャネル上でアップリンクデータを送信すべきかどうかを決定するようにさらに構成される。
【００９８】
第１１の態様によれば、ネットワークデバイスが提供され、ネットワークデバイスは、
第１の制御情報を送信するための第１の時間−周波数ドメインリソースに基づいて、第１の制御情報に含められる少なくとも１つの情報フィールドを決定するように構成されたプロセッサであって、
少なくとも１つの情報フィールドに基づいて第１の制御情報のビットの量を決定するようにさらに構成されたプロセッサと、
第１の制御情報のビットの量に基づいて第１の時間−周波数ドメインリソース上で第１の制御情報をユーザ端末に送信するように構成されたトランシーバとを含む。
【００９９】
考えられる設計では、時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１００】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１０１】
別の考えられる設計では、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【０１０２】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するように前記ユーザ端末をトリガするために使用され、第３の時間領域は、事前に定義されるかまたは構成される。
【０１０３】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０１０４】
第１２の態様によれば、ネットワークデバイスが提供され、ネットワークデバイスは、
第１の制御情報に含まれる少なくとも１つの情報フィールドを決定するように構成されたプロセッサであって、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含むプロセッサと、
第１の制御情報をユーザ端末に送信するように構成されたトランシーバとを含む。
【０１０５】
別の考えられる設計では、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
プロセッサは、
Ｍを決定することであって、少なくとも１つの送信時間がＭ個の送信時間であり、Ｍが１以上の正の整数である、Ｍを決定することと、
Ｍ、第１の情報フィールドのビットの量、およびＭ個の送信時間内に受信および／または送信される情報に対応する冗長バージョン情報に基づいて第１の情報フィールドの少なくとも１つのビットのステータスを決定することとを行うようにさらに構成される。
【０１０６】
別の考えられる設計では、少なくとも１つの情報フィールドは、第２の情報フィールドを含み、第２の情報フィールドにおいて伝達される情報はＮを含み、
プロセッサは、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定することを行うようにさらに構成される。
【０１０７】
別の考えられる設計では、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
プロセッサは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、Ｐが１よりも大きいときの決定を行うこと、ならびに／または
Ｐが１に等しいとき、第３の情報フィールドが変調および符号化方式ＭＣＳ情報であることを決定し、かつ第３の情報フィールドが、アップリンクデータが１つの送信時間内にアップリンクチャネル上で送信されるべきであるかどうかを示すために使用されることを決定することを行うようにさらに構成される。
【０１０８】
別の考えられる設計では、少なくとも１つの送信時間のうちの１つまたは複数は、０．５ｍｓ以下の期間である。
【０１０９】
第１３の態様によれば、ユーザ端末が提供され、ユーザ端末は、
第１の制御情報を検出するための第１の時間−周波数ドメインリソースに基づいて、第１の制御情報に含められる少なくとも１つの情報フィールドを決定するように構成されたプロセッサであって、
少なくとも１つの情報フィールドに基づいて第１の制御情報のビットの量を決定するようにさらに構成され、
第１の制御情報のビットの量に基づいて第１の時間−周波数ドメインリソース上で第１の制御情報を検出するようにさらに構成されたプロセッサと、
検出モジュールが第１の制御情報を検出した後に第１の制御情報を受信するように構成されたトランシーバとを含む。
【０１１０】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１１１】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１１２】
別の考えられる設計では、第１の時間−周波数ドメインリソースが、第２の時間領域内の時間−周波数ドメインリソースであるとき、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【０１１３】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにトリガするために使用され、第３の時間領域は、受信される上位層シグナリングに基づいて決定されるかまたは事前に定義される。
【０１１４】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０１１５】
第１４の態様によれば、ユーザ端末が提供され、ユーザ端末は、
第１の制御情報を受信するように構成されたプロセッサであって、第１の制御情報が少なくとも１つの情報フィールドを含み、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、Ｎ個の送信時間内に情報を受信するように指示するために使用され、および／またはＮ個の送信時間内に情報を送信するようにトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含むプロセッサを含み、
プロセッサは、少なくとも１つの情報フィールドにおいて伝達される情報を取得するようにさらに構成される。
【０１１６】
考えられる設計では、少なくとも１つの情報フィールド内の第１の情報フィールドにおいて伝達される情報は、少なくとも１つの送信時間内に受信および／または送信される情報に対応する冗長バージョン情報を含み、プロセッサは、
第１の情報フィールドの少なくとも１つのビットのステータスを決定することと、
Ｍを決定することであって、少なくとも１つの送信時間がＭ個の送信時間であり、Ｍが１以上の正の整数である、Ｍを決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することとを行うようにさらに構成される。
【０１１７】
別の考えられる設計では、少なくとも１つの情報フィールド内の第２の情報フィールドにおいて伝達される情報はＮを含み、プロセッサは、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいて決定されるか、または事前に定義される、Ｎを決定することとを行うようにさらに構成される。
【０１１８】
別の考えられる設計では、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、プロセッサは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであると決定し、かつ第３の情報フィールドにおいて伝達される情報が、アップリンクデータがＰ個の送信時間内のＫ個の送信時間内にアップリンクチャネル上で送信されるべきであるかどうかを示すために使用されると決定すること、ならびに／または
Ｐが１に等しいとき、第３の情報フィールドが変調および符号化方式ＭＣＳ情報フィールドであると決定し、かつ第３の情報フィールドにおいて伝達される情報が、アップリンクデータがＰ個の送信時間内にアップリンクチャネル上で送信されるべきであるかどうかを示すと決定することを行うようにさらに構成される。
【０１１９】
別の考えられる設計では、少なくとも１つの送信時間のうちの１つまたは複数は、０．５ｍｓ以下の期間である。
【０１２０】
第１５の態様によれば、ユーザ端末が提供され、ユーザ端末は、
第１の制御情報を受信するように構成されたトランシーバであって、第１の制御情報が、少なくとも１つの送信時間内にアップリンクチャネルによって占有される時間−周波数リソースを示すために使用されるトランシーバと、
アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成されたプロセッサとを含み、
プロセッサは、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
プロセッサは、比情報に基づいて、アップリンクチャネル上でアップリンクデータを送信すべきかどうかを決定するようにさらに構成される。
【０１２１】
本発明の実施形態において提示された技術的解決手段の有利な効果は次のように得られる。
【０１２２】
本発明の実施形態では、ネットワークデバイスは、第１の制御情報を送信するための第１の時間−周波数ドメインリソースに基づいて、第１の制御情報に含められる少なくとも１つの情報フィールドを決定し、少なくとも１つの情報フィールドに基づいて第１の制御情報のビットの量を決定し、第１の制御情報のビットの量に基づいて第１の時間−周波数ドメインリソース上で第１の制御情報をユーザ端末に送信する。前述の処理に基づいて、制御情報中の冗長情報が低減されることができ、データ送信効率が改善されることができる。
【図面の簡単な説明】
【０１２３】
本発明の実施形態における技術的解決手段についてより明確に説明するために、以下に、実施形態を説明するのに必要な添付の図面について簡単に説明する。以下の説明における添付の図面が本発明のいくつかの実施形態を示すものにすぎないことは明らかであり、当業者は、創造的な努力なしにこれらの添付の図面から他の図面を導き得る。
【０１２４】
【図１】本発明の実施形態１によるシステム構成図である。
【図２】本発明の一実施形態によるネットワークデバイスまたはユーザ端末の概略構造図である。
【図３】本発明の一実施形態による物理チャネルの概略図である。
【図４】本発明の一実施形態による、制御情報を送信するための方法のフローチャートである。
【図５】本発明の実施形態による、制御情報を送信するための方法のフローチャートである。
【図６】本発明の一実施形態による、制御情報を検出するための方法のフローチャートである。
【図７】本発明の一実施形態による、制御情報を検出するための方法のフローチャートである。
【図８】本発明の一実施形態による、制御情報を検出するための方法のフローチャートである。
【図９】本発明の一実施形態によるネットワークデバイスの概略構造図である。
【図１０】本発明の一実施形態によるユーザ端末の概略構造図である。
【図１１】本発明の一実施形態によるユーザ端末の概略構造図である。
【図１２】本発明の一実施形態によるユーザ端末の概略構造図である。
【発明を実施するための形態】
【０１２５】
本発明の目的、技術的解決策、および利点をより明らかにするために、以下で、添付の図面を参照しながら詳細に本発明の実装形態についてさらに説明する。
【０１２６】
実際に、ネットワークデバイスおよびユーザ端末は、ＬＴＥシステムを使用することによって制御情報およびサービスデータなどのデータを送信し得る。ネットワークデバイスによってユーザ端末に送信されるデータはダウンリンクデータと呼ばれることがあり、ユーザ端末によってネットワークデバイスに送信されるデータはアップリンクデータと呼ばれることがある。ネットワークデバイスは基地局であり得、ユーザ端末はモバイル端末またはＰＣ（ｐｅｒｓｏｎａｌ  ｃｏｍｐｕｔｅｒ、パーソナルコンピュータ）端末であり得る。図１は、本発明の一実施形態によるシステムアーキテクチャ図である。
【０１２７】
図１のネットワークデバイスは、図２のコンピューティングデバイスを使用することによって実装され得る。コンピューティングデバイスの概略組織構造図が図２に示されている。コンピューティングデバイスは、プロセッサ２１０、トランシーバ２２０、およびメモリ２３０を含むことがあり、トランシーバ２２０とメモリ２３０の両方がプロセッサ２１０に接続され得る。トランシーバ２２０は、メッセージまたはデータを受信するように構成され得る。トランシーバ２２０は、限定されないが、アンテナ、少なくとも１つの増幅器、チューナー、１つまたは複数の発振器、カプラ、ＬＮＡ（Ｌｏｗ  Ｎｏｉｓｅ  Ａｍｐｌｉｆｉｅｒ、低雑音増幅器）、デュプレクサなどを含み得る。トランシーバ２２０は、アナログ信号またはデジタル信号を受信および送信し得、受信されたデジタル信号をプロセッサ２１０に送信し得、それにより、プロセッサ２１０は、受信されたデータを処理することができる。プロセッサ２１０は、コンピューティングデバイスの制御センターであり、様々なインターフェースおよびラインを使用することによってトランシーバ２２０およびメモリ２３０などのコンピューティングデバイスの各部分を接続し得る。任意選択で、プロセッサ２１０は１つまたは複数の処理ユニットを含み得る。好ましくは、プロセッサ２１０はアプリケーションプロセッサおよびモデムプロセッサを組み込み得る。アプリケーションプロセッサは、オペレーティングシステムを主に処理する。モデムプロセッサは、ワイヤレス通信を主に処理する。プロセッサ２１０は、代替としてデジタル信号プロセッサ、専用集積回路、フィールドプログラマブルゲートアレイ、別のプログラマブル論理デバイスなどであり得る。コンピューティングデバイスはメモリ２３０をさらに含み得る。メモリ２３０は、揮発性メモリ（英語：ｖｏｌａｔｉｌｅ  ｍｅｍｏｒｙ）、たとえば、ランダムアクセスメモリ（英語：ｒａｎｄｏｍ  ａｃｃｅｓｓ  ｍｅｍｏｒｙ、略してＲＡＭ）を含み得る。メモリは、代替として、不揮発性メモリ（英語：ｎｏｎ−ｖｏｌａｔｉｌｅ  ｍｅｍｏｒｙ）、たとえば、読取り専用メモリ（英語：ｒｅａｄ−ｏｎｌｙ  ｍｅｍｏｒｙ、略してＲＯＭ）、フラッシュメモリ（英語：ｆｌａｓｈ  ｍｅｍｏｒｙ）、ハードディスクドライブ（英語：ｈａｒｄ  ｄｉｓｋ  ｄｒｉｖｅ、略してＨＤＤ）、またはソリッドステートドライブ（英語：ｓｏｌｉｄ−ｓｔａｔｅ  ｄｒｉｖｅ、略してＳＳＤ）を含み得る。メモリ２３０は、代替として、メモリの上記のタイプの組合せを含み得る。本出願において提供される技術的解決策がソフトウェアによって実装されるとき、本出願の図４および図５において提供される制御情報を送信するための方法を実装するために使用されるプログラムコードは、メモリ２３０に記憶され、プロセッサ２１０およびトランシーバ２２０によって実行される。
【０１２８】
加えて、図２は、本発明の一実施形態によるユーザ端末の概略構造図であり得る。ユーザ端末は、プロセッサ２１０、トランシーバ２２０、およびメモリ２３０を含み得る。メモリ２３０は、コンピュータ実行可能プログラムコードを記憶するように構成される。プロセッサ２１０は、メモリ２３０およびトランシーバ２２０に結合される。
【０１２９】
プログラムコードはインストラクションを含む。プロセッサ２１０がインストラクションを実行するとき、インストラクションは、ユーザ端末が、図６から図８における関係するステップを実行することを可能にする。
【０１３０】
ＬＴＥシステムは、通常、データを送信するためにフレーム構造を使用する。フレーム構造は、無線フレーム（ｒａｄｉｏ  ｆｒａｍｅ）と、サブフレーム（ｓｕｂｆｒａｍｅ）と、シンボルとの３つの層を含み得る。無線フレームは１０個のサブフレームを含むことがあり、各サブフレームの期間は１ミリ秒（ｍｓ）であり得、各サブフレームは２つのスロット（ｓｌｏｔ）を含むことがあり、各スロットは０．５ｍｓであり得る。各スロットは複数のシンボルを含み得る。各スロットに含まれるシンボルの数は、サブフレーム内のＣＰ（ｃｙｃｌｉｃ  ｐｒｅｆｉｘ、サイクリックプレフィックス）の長さに関係する。たとえば、サブフレーム内のＣＰがＮＣＰ（ｎｏｒｍａ  ｌＣＰ）ノーマルサイクリックプレフィックスである場合、各スロットは７つのシンボルを含み、対応して、各サブフレームは１４個のシンボルを含む。具体的には、各サブフレームは、シーケンス番号がそれぞれ＃０、＃１、＃２、＃３、＃４、＃５、＃６、＃０、＃１、＃２、＃３、＃４、＃５、および＃６であるシンボルを含む。サブフレームにおいて、物理チャネルは異なることがあり、図３に示されているように、サブフレームは１４個のシンボルを含む。
【０１３１】
本明細書では、「複数の」は、少なくとも２つを指す。「および／または」という用語は、関連する対象を記述するための関連付け関係を記述し、３つの関係が存在し得ることを表す。たとえば、Ａおよび／またはＢは、Ａのみが存在すると、ＡとＢの両方が存在すると、Ｂのみが存在するとの３つの場合を表し得る。文字「／」は、概して、関連する対象間の「または」関係を示す。
【０１３２】
本発明について説明される前に、まず、本発明の実施形態において使用される技術用語について手短に説明される。
【０１３３】
ダウンリンク制御チャネルは、ショート物理ダウンリンク制御チャネル（Ｓｈｏｒｔ  Ｐｈｙｓｉｃａｌ  Ｄｏｗｎｌｉｎｋ  Ｃｏｎｔｒｏｌ  Ｃｈａｎｎｅｌ、ｓＰＤＣＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、またはダウンリンク制御情報を送信するための別の物理チャネルのうちの少なくとも１つと置き換えられ得る。ｓＰＤＣＣＨは、送信時間内に制御情報を送信するための時間−周波数ドメインリソースであり得、送信時間は、０．５ｍｓ以下である送信時間であり得る。
【０１３４】
ダウンリンクデータチャネルは、ショート物理ダウンリンク共有チャネル（Ｓｈｏｒｔ  Ｐｈｙｓｉｃａｌ  Ｄｏｗｎｌｉｎｋ  Ｓｈａｒｅｄ  Ｃｈａｎｎｅｌ、ｓＰＤＳＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、またはダウンリンクデータ情報を送信するための別の物理チャネルのうちの少なくとも１つと置き換えられ得る。ｓＰＤＳＣＨは、送信時間内にデータを送信するための時間−周波数ドメインリソースであり得、送信時間は、０．５ｍｓ以下である送信時間であり得る。
【０１３５】
シンボルは、ＯＦＤＭシンボルまたはＳＣ−ＦＤＭＡシンボルを意味する。シンボルは、１５ｋＨｚサブキャリア間隔をもつＬＴＥシステムの直交周波数分割多元接続ＯＦＤＭＡシンボル、シングルキャリア周波数分割多元接続ＳＣ−ＦＤＭＡシンボル、またはより大きいサブキャリア占有周波数をもつ通信システムのシンボルである。これは、この実施形態では限定されない。
【０１３６】
送信時間の期間は、情報送信のための時間単位、たとえば、ＴＴＩ（Ｔｒａｎｓｍｉｓｓｉｏｎ  Ｔｉｍｅ  Ｉｎｔｅｒｖａｌ、送信時間間隔）、時間ドメインリソースのセグメント、送信時間単位、または時間領域を示し得る。たとえば、送信時間はＴＴＩであることがあり、ＴＴＩの期間は１ｍｓであるか、または送信時間は短いＴＴＩであることがあり、短いＴＴＩの期間は、１つのサブフレームまたは１ｍｓよりも短く、たとえば、０．５ｍｓ、７シンボル期間、６シンボル期間、５シンボル期間、４シンボル期間、３シンボル期間、２シンボル期間、または１シンボル期間である。ＬＴＥシステムでは、特定の期間の送信時間内に様々な物理チャネルが送信され得る。さらに、物理チャネルは、送信時間内に全部または一部の時間−周波数ドメインリソース上で送信され得る。
【０１３７】
各ＴＴＩ内に、ネットワークデバイスによってＵＥ（Ｕｓｅｒ  Ｅｑｕｉｐｍｅｎｔ、ユーザ端末）に送信される制御情報が含められ得る。制御情報はＤＣＩ（Ｄｏｗｎｌｉｎｋ  Ｃｏｎｔｒｏｌ  Ｉｎｆｏｒｍａｔｉｏｎ、ダウンリンク制御情報）であり得、制御情報は少なくとも１つの情報フィールドを含み得る。異なる情報フィールドは、異なる処理を実行するようにユーザ端末に指示するために使用される、異なる制御コンテンツを含み得る。たとえば、制御コンテンツは、制御情報フォーマット指示情報またはＳＲＳ（Ｓｏｕｎｄｉｎｇ  Ｒｅｆｅｒｅｎｃｅ  Ｓｙｍｂｏｌ、サウンディング参照信号）要求情報であり得る。
【０１３８】
ＴＴＩ内に制御情報によって占有される送信リソース（すなわち、時間−周波数ドメインリソース）を最小限に抑え、ＴＴＩ送信効率を改善するために、この実施形態は、制御情報を送信するための方法を提供し、本方法はネットワークデバイスによって実行され得る。図４に示されているように、本方法の処理手順は以下の通りであり得る。
【０１３９】
ステップ４０１：ネットワークデバイスが、第１の制御情報を送信するための第１の時間−周波数ドメインリソースに基づいて、第１の制御情報に含められる少なくとも１つの情報フィールドを決定する。
【０１４０】
第１の時間−周波数ドメインリソースは、第１の制御情報を送信するための時間−周波数ドメインリソースであり、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。第１の時間−周波数ドメインリソースは、第１の制御領域または第１のダウンリンク制御チャネル領域と呼ばれることもある。たとえば、第１の時間−周波数ドメインリソースが、ダウンリンクサブフレーム内の最初の３つのシンボルが属する時間領域内の時間−周波数ドメインリソースであり、ダウンリンクサブフレームが、ＮＣＰをもつサブフレームであるとき、第１の時間−周波数ドメインリソースは、シーケンス番号がダウンリンクサブフレームの第１のスロット内で＃０、＃１、および＃２であるシンボルを含む。
【０１４１】
一実装形態では、ユーザ端末に第１の制御情報を送信する前に、ネットワークデバイスは、第１の制御情報を送信するための１つまたは複数の時間−周波数ドメインリソース（すなわち、第１の時間−周波数ドメインリソース）を割り振ることがあり、次いで、第１の制御情報を送信するための第１の時間−周波数ドメインリソースに基づいて、第１の制御情報に含められる少なくとも１つの情報フィールドを決定し得る。
【０１４２】
この実施形態では、第１の制御情報を送信するための時間−周波数ドメインリソースが異なるとき、第１の制御情報に含められる情報フィールドは、異なることもあるかまたは同じであることもある。一実装方法では、第１の制御情報を送信するための第１の時間−周波数ドメインリソースが時間ドメインリソースＢであるとき、第１の制御情報は第１の情報フィールドを含むか、または第１の制御情報を送信するための第１の時間−周波数ドメインリソースが時間ドメインリソースＣであるとき、第１の制御情報は第１の情報フィールドを含まない。別の実装方法では、第１の制御情報を送信するための第１の時間−周波数ドメインリソースが時間ドメインリソースＢであるとき、第１の制御情報は第１の情報フィールドを含み、第１の情報フィールドは第１のサブ情報を示すために使用されるか、または第１の制御情報を送信するための第１の時間−周波数ドメインリソースが時間ドメインリソースＣであるとき、第１の制御情報は第１の情報フィールドを含むが、第１の情報フィールドは、第１のサブ情報を示すために使用されないかもしくは予約済みで使用されない。
【０１４３】
この実施形態では、１つまたは複数の第１の制御情報があり得る。複数の第１の制御情報がある場合、対応して、本発明に従って制御情報を送信するための方法は、各制御情報について実行され得る。
【０１４４】
ステップ４０２：ネットワークデバイスが、少なくとも１つの情報フィールドに基づいて第１の制御情報のビットの量を決定する。
【０１４５】
一実装形態では、ネットワークデバイスは、第１の制御情報のビットの量を取得するために、第１の制御情報に含められる各情報フィールドのビットの量に基づいて、すべての情報フィールドのビットの量の和を計算し得る。
【０１４６】
ステップ４０３：ネットワークデバイスが、第１の制御情報のビットの量に基づいて第１の時間−周波数ドメインリソース上で第１の制御情報をユーザ端末に送信する。
【０１４７】
一実装形態では、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。
【０１４８】
任意選択で、この実施形態の実装シナリオでは、ネットワークデバイスは、第１の制御情報が、第１の情報フィールドにおいて伝達される情報を含むかどうかを決定し得る。対応する処理手順は以下の通りであり得る。第１の時間−周波数ドメインリソースが第１の時間領域内の時間−周波数ドメインリソースであるとき、少なくとも１つの情報フィールドは第１の情報フィールドを含む。
【０１４９】
第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１５０】
物理ダウンリンク制御チャネルＰＤＣＣＨ領域はサブフレームのいくつかの開始シンボル内にあり、基地局は、ＰＣＦＩＣＨチャネルを使用することによってＰＤＣＣＨ領域について、セルによってサービスされるすべてのユーザ端末に通知し、ＰＤＣＣＨ領域はサブフレーム内で異なり得ることに留意されたい。しかしながら、ダウンリンクサブフレーム内の最初の１つ、２つ、３つ、または４つのシンボルは、ダウンリンクサブフレームのＰＤＣＣＨ領域よりも大きいか、それよりも小さいか、またはそれに等しくなり得る。
【０１５１】
第１の情報フィールドにおいて伝達される情報は、フォーマット識別指示情報またはＴＴＩ期間指示情報を含む。
【０１５２】
一実装形態では、少なくとも２つの制御情報フォーマットは、ＤＣＩフォーマット０、ＤＣＩフォーマット１、ＤＣＩフォーマット２、もしくはＤＣＩフォーマット４など、１ｍｓのＴＴＩを示す制御情報フォーマット、およびＤＣＩフォーマット７ＡもしくはＤＣＩフォーマット７Ｂなど、１ｍｓよりも短いＴＴＩのフォーマットを含み得るか、または少なくとも２つの制御情報フォーマットは、ＤＣＩフォーマット０およびＤＣＩフォーマット７Ａなど、第１の制御情報フォーマットおよび第２の制御情報フォーマットを含み得る。上記の特定のフォーマットの数は限定されない。少なくとも２つの時間長は、１ｍｓの期間および１ｍｓよりも短い期間を含み得る。ここで、期間は、ユーザ端末がその期間内に情報を受信するかまたは情報を送信すべきことを示し得る。
【０１５３】
ネットワークデバイスは、第１の時間−周波数ドメインリソースが第１の時間領域内にあるかどうかを決定し得る。第１の時間−周波数ドメインリソースが第１の時間領域内にある場合、第１の制御情報の情報フィールドは、第１の情報フィールドにおいて伝達される情報を含むことがあり、第１の情報フィールドのビットのステータスは、第１の制御情報の制御情報フォーマットまたは期間に基づいて設定される。特に、ネットワークデバイスは、第１の制御情報の情報フィールドに第１の情報フィールドを追加することがあるか、または第１の制御情報に第１の情報フィールドのビットを直接追加し、第１の制御情報の制御情報フォーマットもしくは期間に基づいて第１の情報フィールドのビットのステータスを設定し得る。第１の情報フィールドが第１の制御情報の情報フィールド内にすでに存在するか、または第１の情報フィールドのビットがすでに追加されている場合、ネットワークデバイスは、第１の情報フィールドのビットのステータスを有効として設定し得るか、または第１の制御情報の制御情報フォーマットもしくは期間に基づいて第１の情報フィールドのビットのステータスを直接設定し得る。
【０１５４】
第１の時間−周波数ドメインリソースが第１の時間領域内にない場合、たとえば、第１の時間−周波数ドメインリソースが、０．５ｍｓ以下である送信時間内の時間−周波数ドメインリソースである場合、第１の制御情報の情報フィールドは、第１の情報フィールドにおいて伝達される情報を含まないことがある。特に、ネットワークデバイスは、第１の制御情報の情報フィールドに第１の情報フィールドを追加しないことがあり、すなわち、第１の制御情報のビットの量は、第１の情報フィールドのビットを含まない。第１の情報フィールドが第１の制御情報の情報フィールド内にすでに存在する場合、ネットワークデバイスは、第１の情報フィールドが予約済み状態にあることを決定し、第１の制御情報から第１の情報フィールドを削除するか、または第１の制御情報から第１の情報フィールドのビットを削除することがあり、予約済み状態は、第１の情報フィールドのビットが依然として第１の制御情報内にあるが、第１の情報フィールドのビットのステータスがもはや有効でないかまたは指示情報の意味をもはや有しないことを意味する。第１の情報フィールドのビットの量は、ネットワークデバイスによって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内の時間−周波数ドメインリソースの一部であり得ることに留意されたい。
【０１５５】
たとえば、第１の制御情報を送信するための時間−周波数ドメインリソースがＰＤＣＣＨ領域内にある場合、第１の制御情報の情報フィールドは、第１の情報フィールドにおいて伝達される情報を含むか、または第１の制御情報を送信するための時間−周波数ドメインリソースがｓＰＤＣＣＨ領域内にある場合、第１の制御情報の情報フィールドは、第１の情報フィールドにおいて伝達される情報を含まず、ｓＰＤＣＣＨ領域は、０．５ｍｓ以下である送信時間内のダウンリンク制御情報の時間領域であり得るか、または０．５ｍｓ以下である送信時間であり得る。たとえば、送信時間は２シンボルＴＴＩであり、ｓＰＤＣＣＨ領域は、２シンボルＴＴＩの１つのシンボルであり得るかまたは２シンボルＴＴＩであり得る。別の例では、第１の制御情報を送信するための時間−周波数ドメインリソースが、ダウンリンクサブフレーム内の最初の１つ、２つ、３つ、もしくは４つのシンボルが属する時間領域内にある場合、第１の制御情報の情報フィールドは、第１の情報フィールドにおいて伝達される情報を含むか、または第１の制御情報を送信するための時間−周波数ドメインリソースが、ダウンリンクサブフレーム内の最初の１つ、２つ、３つ、もしくは４つのシンボルが属する時間領域内にない場合、第１の制御情報の情報フィールドは、第１の情報フィールドにおいて伝達される情報を含まない。
【０１５６】
この解決策の有益な効果は以下の通りである。ＰＤＣＣＨ領域において、またはダウンリンクサブフレーム内の最初の１つ、２つ、３つ、または４つのシンボルが属する時間領域において、基地局によってユーザ端末に送信される制御情報は、１ｍｓのＴＴＩを示すために使用される制御情報であり得るか、または、１ｍｓよりも短い、短いＴＴＩを示すために使用される制御情報であり得る。したがって、ユーザ端末によって制御情報をブラインド検出する回数を低減するために、基地局は、２つのタイプの制御情報におけるビットの量が同じになるように設定し、この時に使用されるべき特定の制御情報を示すために第１の制御情報の第１の情報フィールドを使用し得る。しかしながら、第１の時間−周波数ドメインリソースがダウンリンクサブフレーム内の時間領域以外の時間領域内にあるとき、基地局によってユーザ端末に送信される制御情報は、１ｍｓよりも短い、短いＴＴＩを示すために使用される制御情報のみであり得る。これに基づいて、この解決策では、第１の情報フィールドにおいて伝達される情報は、第１の時間−周波数ドメインリソースが第１の時間領域内にあるときのみ送信され、第１の情報フィールドにおいて伝達される情報は、他の場合には送信されない。これは、第１の情報フィールドにおいて伝達される情報を送信する頻度を効果的に低減し、制御情報内の冗長情報を低減し、データ転送効率を改善することができる。
【０１５７】
任意選択で、この実施形態の別の実装シナリオでは、ネットワークデバイスは、第１の制御情報が、第２の情報フィールドにおいて伝達される情報を含むかどうかを決定し得る。対応する処理手順は以下の通りであり得る。第１の時間−周波数ドメインリソースが第１の時間領域を超える時間−周波数ドメインリソースであるとき、少なくとも１つの情報フィールドは第２の情報フィールドを含む。
【０１５８】
第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用される。第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１５９】
第２の情報フィールドにおいて伝達される情報は、ダウンリンクデータチャネルのリソース使用を示す情報である。
【０１６０】
一実装形態では、第２の情報フィールドにおいて伝達される情報は、ダウンリンク制御チャネルによって占有されない時間−周波数ドメインリソースを含み得るか、またはダウンリンク制御チャネルによって占有される時間−周波数ドメインリソースを示すために使用されるか、またはダウンリンクデータチャネルによって占有される時間−周波数ドメインリソースを示すために使用される。ダウンリンク制御チャネルによって占有される時間−周波数ドメインリソースは、送信時間内にＤＣＩを伝達するためにダウンリンク制御チャネルによって占有されるＣＣＥ、または送信時間内にダウンリンク制御チャネルによって占有されるリソースブロックＲＢ、または送信時間内にダウンリンク制御チャネルによって占有されるリソース要素ＲＥを含み得る。ダウンリンク制御チャネルによって占有されない時間−周波数ドメインリソースは、送信時間内にＤＣＩを伝達するためにダウンリンク制御チャネルによって占有されないＣＣＥ、または送信時間内にダウンリンク制御チャネルによって占有されないリソースブロックＲＢ、または送信時間内にダウンリンク制御チャネルによって占有されないリソース要素ＲＥを含み得る。ダウンリンクデータチャネルによって占有される時間−周波数ドメインリソースは、送信時間内にダウンリンクデータチャネルによって占有されるリソースブロックＲＢ、または送信時間内にダウンリンクデータチャネルによって占有されるリソース要素ＲＥを含み得る。この実施形態では、送信時間は、２シンボル送信時間、０．５ｍｓ以下である送信時間、または１ｍｓである送信時間であり得ることに留意されたい。
【０１６１】
ネットワークデバイスは、第１の時間−周波数ドメインリソースが第１の時間領域内の時間−周波数ドメインリソースであるかどうかを決定し得る。第１の時間−周波数ドメインリソースが第１の時間領域を超える時間−周波数ドメインリソースである場合、たとえば、第１の時間−周波数ドメインリソースが、０．５ｍｓ以下である送信時間内の時間−周波数ドメインリソースである場合、第１の制御情報の情報フィールドは、第２の情報フィールドにおいて伝達される情報を含むことがあり、第２の情報フィールドのビットのステータスは、ダウンリンク制御チャネルによって占有されない時間−周波数ドメインリソースまたはダウンリンク制御チャネルによって占有される時間−周波数ドメインリソースまたはダウンリンクデータチャネルによって占有される時間−周波数ドメインリソースのステータスに基づいて設定される。特に、ネットワークデバイスは、第１の制御情報の情報フィールドに第２の情報フィールドを追加し得るか、または第１の制御情報に第２の情報フィールドのビットを追加し、ダウンリンク制御チャネルによって占有されない時間−周波数ドメインリソースもしくはダウンリンク制御チャネルによって占有される時間−周波数ドメインリソースもしくはダウンリンクデータチャネルによって占有される時間−周波数ドメインリソースのステータスに基づいて第２の情報フィールドのビットのステータスを設定し得るか、または第２の情報フィールドが第１の制御情報の情報フィールド内にすでに存在するか、もしくは第２の情報フィールドのビットがすでに追加されている場合、ネットワークデバイスは、ダウンリンク制御チャネルによって占有されない時間−周波数ドメインリソースもしくはダウンリンク制御チャネルによって占有される時間−周波数ドメインリソースもしくはダウンリンクデータチャネルによって占有される時間−周波数ドメインリソースのステータスに基づいて第２の情報フィールドのビットのステータスを設定し得るか、または第２の情報フィールドのビットのステータスを有効としてマークし得る。
【０１６２】
第１の時間−周波数ドメインリソースが第１の時間領域内にある場合、第１の制御情報の情報フィールドは、第２の情報フィールドにおいて伝達される情報を含まないことがある。特に、ネットワークデバイスは、第１の制御情報の情報フィールドに第２の情報フィールドを追加しないことがあり、すなわち、第１の制御情報のビットの量は、第２の情報フィールドのビットを含まないか、または第２の情報フィールドが第１の制御情報の情報フィールド内にすでに存在する場合、ネットワークデバイスは、第２の情報フィールドが予約済み状態にあることを決定し、第１の制御情報から第２の情報フィールドを削除するか、もしくは第１の制御情報から第２の情報フィールドのビットを削除することがあり、予約済み状態は、第２の情報フィールドのビットが依然として第１の制御情報内にあるが、第２の情報フィールドのビットのステータスがもはや有効でないかもしくは指示情報の意味をもはや有しないことを意味する。第２の情報フィールドのビットの量は、ネットワークデバイスによって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内のすべての時間−周波数ドメインリソースではないことに留意されたい。
【０１６３】
たとえば、第１の制御情報を送信するための時間−周波数ドメインリソースがｓＰＤＣＣＨ領域内にある場合、第１の制御情報の情報フィールドは、第２の情報フィールドにおいて伝達される情報を含むか、または第１の制御情報を送信するための時間−周波数ドメインリソースが、ＰＤＣＣＨ領域、もしくはダウンリンクサブフレーム内の最初の１つ、２つ、３つ、もしくは４つのシンボルが属する時間領域内にある場合、第１の制御情報の情報フィールドは、第２の情報フィールドにおいて伝達される情報を含まない。
【０１６４】
この解決策の有益な効果は以下の通りである。レガシーユーザ端末のＰＤＣＣＨがＰＤＣＣＨ領域内に存在するので、ＰＤＣＣＨ領域が第１の時間領域内に存在するとき、「ダウンリンク制御チャネルによって占有されない時間−周波数ドメインリソースまたはダウンリンク制御チャネルによって占有される時間−周波数ドメインリソースまたはダウンリンクデータチャネルによって占有される時間−周波数ドメインリソース」内の時間ドメインリソースが、ＰＤＣＣＨ領域内の使用のためにアイドルである場合でも、時間ドメインリソースは、データ情報を送信するために使用され得ない。この場合、第１の制御情報は、第１の時間領域内の「ダウンリンク制御チャネルによって占有されない時間−周波数ドメインリソースまたはダウンリンクデータチャネルによって占有される時間−周波数ドメインリソース」を示す必要がない。しかしながら、第１の制御領域を超えて、データを送信するためにアイドルリソースが使用され得ない上記の場合は存在しない。したがって、第１の時間−周波数ドメインリソースが第１の時間領域を超える時間−周波数ドメインリソースであるとき、「ダウンリンク制御チャネルによって占有されない時間−周波数ドメインリソースもしくはダウンリンク制御チャネルによって占有される時間−周波数ドメインリソースもしくはダウンリンクデータチャネルによって占有される時間−周波数ドメインリソース」を示す情報が送信され、リソースのこの部分はデータ送信のために使用されて、リソース利用が改善される。第１の時間−周波数ドメインリソースが第１の時間領域内の時間−周波数ドメインリソースであるとき、第２の情報フィールドにおいて伝達される情報は送信されない。これは、第２の情報フィールドにおいて伝達される情報を送信する頻度を低減し、制御情報内の冗長情報を低減し、それにより、制御情報によって占有される時間−周波数ドメインリソースを低減し、システムリソース利用を改善する。
【０１６５】
任意選択で、この実施形態の別の実装シナリオでは、ネットワークデバイスは、第１の制御情報が、第３の情報フィールドにおいて伝達される情報を含むかどうかを決定し得る。対応する処理手順は以下の通りであり得る。第１の時間−周波数ドメインリソースが第２の時間領域内の時間−周波数ドメインリソースであるとき、少なくとも１つの情報フィールドは第３の情報フィールドを含む。
【０１６６】
第３の情報フィールドにおいて伝達される情報は、サウンディング参照信号ＳＲＳを送信するようにユーザ端末をトリガするために使用され、第２の時間領域は、ネットワークデバイスによって構成されるかまたは事前に定義される。
【０１６７】
第３の情報フィールドにおいて伝達される情報はＳＲＳ要求情報を含む。
【０１６８】
一実装形態では、ネットワークデバイスは、第１の時間−周波数ドメインリソースが第２の時間領域内にあるかどうかを決定し得る。第１の時間−周波数ドメインリソースが第２の時間領域内にある場合、第１の制御情報の情報フィールドは、第３の情報フィールドにおいて伝達される情報を含むことがあり、第３の情報フィールドのビットのステータスは、ユーザ端末がサウンディング参照信号ＳＲＳを送信するようにトリガされるかどうかに従って設定される。特に、ネットワークデバイスは、第１の制御情報の情報フィールドに第３の情報フィールドを追加し得るか、または第１の制御情報に第２の情報フィールドのビットを追加し、ユーザ端末がサウンディング参照信号ＳＲＳを送信するようにトリガされるかどうかに従って第３の情報フィールドのビットのステータスを設定し得るか、または第３の情報フィールドが第１の制御情報の情報フィールド内にすでに存在するか、もしくは第３の情報フィールドのビットがすでに追加されている場合、ネットワークデバイスは、ユーザ端末がサウンディング参照信号ＳＲＳを送信するようにトリガされるかどうかに従って第３の情報フィールドのビットのステータスを設定し得るか、もしくは第３の情報フィールドのビットのステータスを有効としてマークし得る。
【０１６９】
第１の時間−周波数ドメインリソースが第２の時間領域内にない場合、第１の制御情報の情報フィールドは、第３の情報フィールドにおいて伝達される情報を含まないことがある。特に、ネットワークデバイスは、第１の制御情報の情報フィールドに第３の情報フィールドを追加しないことがあり、すなわち、第１の制御情報のビットの量は、第３の情報フィールドのビットを含まないか、または第３の情報フィールドが第１の制御情報の情報フィールド内にすでに存在する場合、ネットワークデバイスは、第３の情報フィールドのステータスが予約済み状態であることを決定し、第１の制御情報から第３の情報フィールドを削除するか、もしくは第１の制御情報から第３の情報フィールドのビットを削除し、予約済み状態は、第３の情報フィールドのビットが依然として第１の制御情報内にあるが、第３の情報フィールドのビットのステータスがもはや有効でないかまたは指示情報の意味をもはや有しないことを意味する。第３の情報フィールドのビットの量は、ネットワークデバイスによって決定されるかまたは事前に定義され得る。
【０１７０】
たとえば、第２の時間領域は、事前に定義されたｓＰＤＣＣＨ領域であり得る。第１の制御情報を送信するための時間−周波数ドメインリソースがｓＰＤＣＣＨ領域内にある場合、第１の制御情報の情報フィールドは、第３の情報フィールドにおいて伝達される情報を含む。第１の制御情報を送信するための時間−周波数ドメインリソースがｓＰＤＣＣＨ領域内にない（たとえば、ＰＤＣＣＨ領域または別のｓＰＤＣＣＨ領域にある）場合、第１の制御情報の情報フィールドは、第３の情報フィールドにおいて伝達される情報を含まない。
【０１７１】
この解決策の有益な効果は以下の通りである。ＳＲＳを送信するためのリソースはセルレベルで構成され、最も集約的なＳＲＳリソースに現在関して、制御情報が頻繁に送信されるとき、ＳＲＳは２ｍｓごとに１回送信されるので、複数の制御情報内のＳＲＳ要求情報は、同じＳＲＳを送信するようにユーザ端末に指示し得る。この解決策における処理に基づいて、ネットワークデバイスは、第１の時間−周波数ドメインリソースが指定の時間領域内にあるときのみ、ユーザ端末にＳＲＳ要求情報を送信する。これは、ＳＲＳ要求情報を送信する頻度を低減し、制御情報内の冗長情報を低減し、それにより、制御情報によって占有される時間−周波数ドメインリソースを低減し、システムリソース利用を改善することができる。
【０１７２】
任意選択で、この実施形態の別の実装シナリオでは、ネットワークデバイスは、第１の制御情報が、第４の情報フィールドにおいて伝達される情報を含むかどうかを決定し得る。対応する処理手順は以下の通りであり得る。第１の時間−周波数ドメインリソースが第３の時間領域内の時間−周波数ドメインリソースであるとき、少なくとも１つの情報フィールドは第４の情報フィールドを含む。
【０１７３】
第４の情報フィールドにおいて伝達される情報は、チャネル品質情報ＣＳＩを送信するようにユーザ端末をトリガするために使用され、第３の時間領域は、ネットワークデバイスによって構成されるかまたは事前に定義される。異なる構成または事前定義に基づいて、第３の時間領域は、第２の時間領域と同じであり得るか、または第２の時間領域とは異なり得る。
【０１７４】
任意選択で、第４の情報フィールドにおいて伝達される情報はチャネル状態情報ＣＳＩ指示情報を含む。
【０１７５】
一実装形態では、ネットワークデバイスは、第１の時間−周波数ドメインリソースが第３の時間領域内にあるかどうかを決定し得る。第１の時間−周波数ドメインリソースが第３の時間領域内にある場合、第１の制御情報の情報フィールドは、第４の情報フィールドにおいて伝達される情報を含むことがあり、第４の情報フィールドのビットのステータスは、ユーザ端末がチャネル品質情報ＣＳＩを送信するようにトリガされるかどうかに従って設定される。特に、ネットワークデバイスは、第１の制御情報の情報フィールドに第４の情報フィールドを追加し得るか、または第１の制御情報に第４の情報フィールドのビットを追加し、ユーザ端末がチャネル品質情報ＣＳＩを送信するようにトリガされるかどうかに従って第４の情報フィールドのビットのステータスを設定し得るか、または第４の情報フィールドが第１の制御情報の情報フィールド内にすでに存在するか、もしくは第４の情報フィールドのビットがすでに追加されている場合、ネットワークデバイスは、ユーザ端末がチャネル品質情報ＣＳＩを送信するようにトリガされるかどうかに従って第３の情報フィールドのビットのステータスを設定し得るか、もしくは第４の情報フィールドのビットのステータスを有効としてマークし得る。
【０１７６】
第１の時間−周波数ドメインリソースが第３の時間領域内にない場合、第１の制御情報の情報フィールドは、第４の情報フィールドにおいて伝達される情報を含まないことがある。特に、ネットワークデバイスは、第１の制御情報の情報フィールドに第４の情報フィールドを追加しないことがあり、すなわち、第１の制御情報のビットの量は、第４の情報フィールドのビットを含まないか、または第４の情報フィールドが第１の制御情報の情報フィールド内にすでに存在する場合、ネットワークデバイスは、第４の情報フィールドが予約済み状態にあることを決定し、第１の制御情報から第４の情報フィールドを削除するか、もしくは第１の制御情報から第４の情報フィールドのビットを削除し、予約済み状態は、第４の情報フィールドのビットが依然として第１の制御情報内にあるが、第４の情報フィールドのビットのステータスがもはや有効でないかまたは指示情報の意味をもはや有しないことを意味する。第４の情報フィールドのビットの量は、ネットワークデバイスによって決定されるかまたは事前に定義され得る。
【０１７７】
この解決策では、第３の時間領域は、様々な方法を使用することによって定義され得る。この実施形態は２つの実現可能な様式を提供する。
【０１７８】
様式１：第３の時間領域は、ＰＤＣＣＨ領域など、固定のまたは事前に定義された時間領域である。これは、この実施形態では限定されない。
【０１７９】
様式２：第３の時間領域は、ネットワークデバイスによってユーザ端末のＣＳＩ指示情報を受信する、以前の時間に基づいて決定される。
【０１８０】
一実装形態では、ネットワークデバイスは、ユーザ端末にＣＳＩ指示情報を含めた制御情報を送信することがあり、ＣＳＩ指示情報を正常に受信した後に、ユーザ端末は、ネットワークデバイスに受信成功応答メッセージを送信し得、次いで、ネットワークデバイスはタイマーをトリガし、タイマーにおいてプリセット期間が満了した後に、ユーザ端末にＣＳＩ指示情報を含めた制御情報を送信し得る。しかしながら、タイマーにおけるプリセット期間が満了する前に、ネットワークデバイスはユーザ端末にＣＳＩ指示情報を送信せず、すなわち、制御情報は第４の情報フィールドを含まない。除外の特定の様式は上記の様式と同じであり、ここで再び説明されない。
【０１８１】
この解決策の有益な効果は以下の通りである。ユーザ端末の処理速度は限定されており、たとえば、測定時間からＣＳＩフィードバックの時間まで少なくともいくつかのミリ秒が必要とされるので、制御情報を送信するための間隔が測定時間よりもはるかに短いとき、複数の制御情報におけるＣＳＩ指示情報によってトリガされるようにユーザ端末によって送信されることになるＣＳＩは、同じ測定時間に対応することがあり、すなわち、ユーザ端末によってフィードバックされるＣＳＩコンテンツは同じである。ネットワークデバイスは、第１の時間−周波数ドメインリソースが指定の時間領域内にあるときのみ、ユーザ端末にＣＳＩ指示情報を送信する。これは、ＣＳＩ指示情報を送信する頻度を低減し、制御情報内の冗長情報を低減し、それにより、制御情報によって占有される時間−周波数ドメインリソースを低減し、システムリソース利用を改善することができる。
【０１８２】
一実施形態は、制御情報を送信するための方法をさらに提供する。本方法はネットワークデバイスによって実行され得る。図５に示されているように、本方法の処理手順は以下の通りであり得る。
【０１８３】
ステップ５０１：ネットワークデバイスが、第１の制御情報に含められる少なくとも１つの情報フィールドを決定する。
【０１８４】
少なくとも１つの情報フィールドにおいて伝達される情報は、
（１）少なくとも１つの送信時間内に受信および／または送信される情報に対応する冗長バージョン情報、
（２）Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
（３）少なくとも１つの送信時間内にアップリンクチャネル上でアップリンクデータが送信されるべきであるかどうかを示す情報
のうちの少なくとも１つまたはそれらの任意の組合せを含み得る。
【０１８５】
一実装形態では、少なくとも１つの送信時間のうちの１つまたは複数は、０．５ｍｓ以下の期間であり得る。ユーザ端末に第１の制御情報を送信する前に、ネットワークデバイスは、第１の制御情報に含められる情報フィールドを最初に決定する必要がある。ネットワークデバイス末は、第１の制御情報に含められる情報フィールドを決定するために従来技術における解決策を使用し得るか、または第１の制御情報に含められる情報フィールドを決定するためにステップ４０１から４０３における解決策を使用し得る。この実施形態では、１つまたは複数の第１の制御情報があり得る。複数の第１の制御情報がある場合、対応して、本発明に従って制御情報を送信するための方法は、各制御情報について実行され得る。このステップにおける少なくとも１つの送信時間は、ステップ４０１から４０３における少なくとも１つの送信時間と同じであるかまたはそれとは異なり得ることに留意されたい。これは、この実施形態では限定されない。
【０１８６】
ステップ５０２：ネットワークデバイスが、ユーザ端末に第１の制御情報を送信する。
【０１８７】
一実装形態では、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。
【０１８８】
任意選択で、この実施形態の実装シナリオでは、少なくとも１つの情報フィールドは第１の情報フィールドを含むことがあり、第１の情報フィールドにおいて伝達される情報は、少なくとも１つの送信時間内に受信および／または送信される情報に対応する冗長バージョン情報を含み、ユーザ端末に第１の制御情報を送信する前に、ネットワークデバイスは以下の処理をさらに実行し得る。ネットワークデバイスがＭを決定し、少なくとも１つの送信時間はＭ個の送信時間であり、Ｍは１以上の正の整数であり、ネットワークデバイスは、Ｍ、第１の情報フィールドのビットの量、ならびにＭ個の送信時間内に受信および／または送信される情報に対応する冗長バージョン情報（ＲＶリビジョン）に基づいて、第１の情報フィールドの少なくとも１つのビットのステータスを決定する。
【０１８９】
ネットワークデバイスは、第１の情報フィールドのビットの量を決定する。特に、第１の情報フィールドのビットの量は、固定であるかもしくは事前に定義され得るか、またはビットの量は、ステップ４０１から４０３を実行することによってもしくは別の様式で決定される。これは、この実施形態では限定されない。第１の情報フィールドのビットの量は、第１の情報フィールドに含められた情報のビットの量または第１の情報フィールドに含められたビットの量である。
【０１９０】
Ｍは、ユーザ端末がＭ個の送信時間内に情報を受信すべきことを示し、および／またはＭ個の送信時間内に情報を送信するようにユーザ端末をトリガするために使用される。
【０１９１】
一実装形態では、ネットワークデバイスは、ユーザ端末によって情報を受信するための送信時間の数および／またはユーザ端末によって情報を送信するための送信時間の数（Ｍ）を決定することがあり、Ｍは、第１の制御情報もしくは他の制御情報に基づいてネットワークデバイスによって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得るか、またはネットワークデバイスによってそれ自体によって決定され得る。ネットワークデバイスは、送信時間の数と、第１の情報フィールドのビットの量と、第１の情報フィールドのビットのステータスと、少なくとも１つの送信時間内に受信および／または送信される情報に対応する冗長バージョン情報との間の対応を事前に記憶し得る。ネットワークデバイスは、この対応、Ｍ、第１の情報フィールドのビットの量、ならびにＭ個の送信時間内に受信および／または送信される情報に対応する冗長バージョン情報に基づいて、第１の情報フィールドの少なくとも１つのビットのステータスを決定し得る。Ｍ個の送信時間は連続または不連続であり得る。これは、この実施形態では限定されない。
【０１９２】
対応は特に以下の通りであり得る。第１の情報フィールドのビットの量がＸであり、Ｘの値が、上位層シグナリングに基づいて構成されるか、固定であるか、または事前に定義され得るとき、ネットワークデバイスは、Ｘの値とＭの値との間の関係に基づいて、冗長バージョンを示すビットの量を決定し、Ｍ個の送信時間内に受信および／または送信される情報に対応する冗長バージョンに基づいて第１の情報フィールドの少なくとも１つのビットのステータスをさらに決定し得る。３つの場合が、以下のように含まれる。
【０１９３】
（１）ＭがＸよりも大きいとき、Ｘにおける１つのビットは、冗長バージョンに関する情報を示すために使用され、少なくとも１つのビットの１つの状態は、少なくとも２つの送信時間内の１つの冗長バージョンに対応する。ビットの状態０は冗長バージョン０に対応し、ビットの状態１は冗長バージョン２に対応するか、またはその逆である。ここで、ビットのステータスおよび冗長バージョンの値は特に限定されない。
【０１９４】
たとえば、Ｍが５に等しく、Ｘが４に等しい場合、Ｘにおける少なくとも１つのビットは、２つの送信時間内に同じ冗長バージョン情報が使用されることを示し、冗長バージョン情報は（０，２）である。Ｍは、｛第１の送信時間，…，第５の送信時間｝を含めた、５つの送信時間がスケジュールされることを意味する。第１の情報フィールドは、４ビット、｛ａ，ｂ，ｃ，ｄ｝を含む。たとえば、ビットａは第１の送信時間および第２の送信時間内の冗長バージョンに対応し得、ビットｂは第３の送信時間内の冗長バージョンに対応し得、ビットｃは第４の送信時間内の冗長バージョンに対応し得、ビットｄは第５の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間および第５の送信時間内の冗長バージョンに対応し得る。
【０１９５】
たとえば、Ｍが６に等しく、Ｘが４に等しい場合、Ｘにおける１つのビットは、２つまたは３つの送信時間内に同じ冗長バージョン情報が使用されることを示し、冗長バージョン情報は（０，２）である。特に、２つまたは３つの送信時間は事前に定義され得る。Ｍは、｛第１の送信時間，…，第６の送信時間｝を含めた、６つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間、第５の送信時間、および第６の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間および第４の送信時間内の冗長バージョンに対応し得、ビットｄは第５の送信時間および第６の送信時間内の冗長バージョンに対応し得る。
【０１９６】
（２）ＭがＸよりも小さく、Ｍが第１のプリセットしきい値よりも大きいとき、Ｘにおける各ビットの１つの状態は、最大１つのＴＴＩ内の冗長バージョンに対応する。第１のプリセットしきい値は正の整数であり、Ｘ／２またはＸ／３を切り捨てることによって取得され得る。これは、この実施形態では限定されない。
【０１９７】
たとえば、Ｍが３に等しく、Ｘが４に等しく、第１のプリセットしきい値が２である場合、少なくとも１つのビットの１つの状態は、１つの送信時間内の冗長バージョン情報に対応することがあり、冗長バージョン情報は（０，２）である。たとえば、Ｍは、｛第１の送信時間，…，第３の送信時間｝を含めた、３つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得るか、またはビットｂは第１の送信時間内の冗長バージョンに対応し得、ビットｃは第２の送信時間内の冗長バージョンに対応し得、ビットｄは第３の送信時間内の冗長バージョンに対応し得る。
【０１９８】
（３）Ｍが第１のプリセットしきい値以下であるとき、ｉビットごとの１つの状態は、最大１つのＴＴＩ内の冗長バージョンに対応する。第１のプリセットしきい値は正の整数であり、Ｘ／ｉを切り捨てることによって取得され得、ｉは１以上の正の整数である。
【０１９９】
たとえば、Ｍが２に等しく、Ｘが４に等しく、ｉが２に等しいかまたは第１のプリセットしきい値が２である場合、少なくとも２つのビットの１つの状態は、１つのＴＴＩ内の冗長バージョンに対応し、冗長バージョンは（０，１，２，３）である。たとえば、Ｍは、｛第１の送信時間，第２の送信時間｝を含めた、２つの送信時間がスケジュールされることを意味する。第１の情報フィールドは、４ビット、｛ａ，ｂ，ｃ，ｄ｝を含む。たとえば、ビットａおよびビットｂは第１の送信時間内の冗長バージョンに対応し得、ビットｃおよびビットｄは第２の送信時間内の冗長バージョンに対応し得るか、またはビットａおよびビットｂは第２の送信時間内の冗長バージョンに対応し得、ビットｃおよびビットｄは第１の送信時間内の冗長バージョンに対応し得る。
【０２００】
この解決策では、ＭはＮと同じであり得るか、またはＮとは異なり得ることに留意されたい。
【０２０１】
この解決策の有益な効果は以下の通りである。従来技術では、各ＴＴＩは、１つまたは２つのビット内の冗長バージョンに対応する。Ｎ個のｓＴＴＩがスケジュールされた場合、各制御情報は、Ｎビットから２Ｎビット内の冗長バージョン情報を含む。しかしながら、この解決策に基づいて、冗長バージョンを示すために固定ビットが使用され得る。これは、情報フィールド内の情報のビットの量を低減し、制御情報によって占有される時間−周波数ドメインリソースを低減し、システムリソース利用を改善することができる。
【０２０２】
任意選択で、この実施形態の別の実装シナリオでは、少なくとも１つの情報フィールドは第２の情報フィールドを含み、第２の情報フィールドにおいて伝達される情報はＮを含み、ユーザ端末に第１の制御情報を送信する前に、ネットワークデバイスは以下の処理をさらに実行し得る。ネットワークデバイスが、Ｎおよび第１の対応に基づいて第２の情報フィールドの少なくとも１つのビットのステータスを決定し、第１の対応は、少なくとも１つのビットのステータスとＮとの対応であり、第１の対応は、ネットワークデバイスによって構成されるかまたは事前に定義される。
【０２０３】
Ｎは、Ｎ個の送信時間を示し、第１の制御情報は、ユーザ端末にＮ個の送信時間内に情報を受信するように指示するために使用され、および／またはＮ個の送信時間内に情報を送信するようにユーザ端末をトリガするために使用され、Ｎは１以上の正の整数である。
【０２０４】
一実装形態では、第２の情報フィールドのビットの量は、固定であるかもしくは事前に定義され得るか、または送信時間の期間に基づいて決定され得る。
【０２０５】
場合１：第２の情報フィールドのビットの量は固定であるかもしくは事前に定義される。
【０２０６】
場合１は、０．５ｍｓ以下である複数の送信時間のスケジューリングに適用可能であり得るか、または１ｍｓの複数の送信時間のスケジューリングに適用可能であり得る。対応して、第２の情報フィールドによって示され得る送信時間の量セット内の要素の数が、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成され得るかまたは事前に定義され得る。
【０２０７】
たとえば、第２の情報フィールドのビットの量が２である場合、第２の情報フィールドによって示される送信時間の量セットは（１，ａｌｔ１，ａｌｔ２，ａｌｔ３）として定義され得、ａｌｔ１からａｌｔ３は、連続的にスケジュールされたｓＴＴＩの数に対応し、ａｌｔ１からａｌｔ３は、上位層シグナリングに基づいてユーザ端末によって構成され、上位層シグナリングはＲＲＣ構成情報であり得る。ａｌｔ１からａｌｔ３は、代替として、事前に定義された値であり得る。以下では、第２の情報フィールドのビットの量が２である例を使用する。本明細書における対応は限定されない。具体的には、別の対応では、００は、代替として、ａｌｔ３に対応するかまたは数３に対応し得る。
【０２０８】
【表１】
2019525641.tif 000003
【０２０９】
【表２】
2019525641.tif 000004
【０２１０】
場合２：第２の情報フィールドのビットの量は可変である。
【０２１１】
場合２は、０．５ｍｓ以下である複数の送信時間のスケジューリングに適用可能であり得る。ネットワークデバイスは、スケジュールされた送信時間の期間に基づいて第２の情報フィールドのビットの量を決定し、次いで、Ｎおよび第１の対応に基づいて第２の情報フィールドの少なくとも１つのビットのステータスを決定し得る。
【０２１２】
たとえば、送信時間の期間が７つのシンボルである場合、第２の情報フィールドのビットの量は１であるか、送信時間の期間が４つのシンボルである場合、第２の情報フィールドのビットの量は２であるか、または送信時間の期間が２つのシンボルである場合、第２の情報フィールドのビットの量は３である。以下では、送信時間の期間が２つのシンボルである例を使用し、第２の情報フィールドのビットの量は３である。本明細書における対応は限定されない。具体的には、別の対応では、０００は、代替として４に対応し得る。
【０２１３】
【表３】
2019525641.tif 000005
【０２１４】
場合１における第１の対応のコンテンツは、場合２における第１の対応のコンテンツとは異なり得ることに留意されたい。
【０２１５】
この解決策の有益な効果は以下の通りである。従来技術では、制御情報は、スケジュールされたＴＴＩの最大数を満たし得る固定のビットの量、たとえば、３ビットを含む。この解決策では、情報フィールド内の情報のビットの量が低減され得、連続的にスケジュールされたＴＴＩの最大数を示すビットの量は含まれる必要がない。これは、制御情報によって占有される時間−周波数ドメインリソースを低減し、システムリソース利用を改善することができる。
【０２１６】
任意選択で、この実施形態の別の実装シナリオでは、少なくとも１つの情報フィールドは第３の情報フィールドを含み、第３の情報フィールドにおいて伝達される情報は、アップリンクデータが少なくとも１つの送信時間内にアップリンクチャネル上で送信されるべきであるかどうかを示す情報を含み、ユーザ端末に第１の制御情報を送信する前に、ネットワークデバイスは以下の処理をさらに実行し得る。ネットワークデバイスがＰを決定し、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である。
【０２１７】
ネットワークデバイスはＰを１と比較し得る。
【０２１８】
一実装形態では、Ｐが１よりも大きいとき、ネットワークデバイスは、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定し得、Ｋは、１以上でＰ以下である正の整数である。具体的には、第３の情報フィールドは、アップリンクデータがＫ個の送信時間の一部分内にアップリンクチャネル上で送信されるべきであることと、アップリンクデータがＫ個の送信時間の他の部分内にアップリンクチャネル上で送信されるべきでないこととを示すために使用され得る。たとえば、スケジュールされた送信時間の数が１よりも大きいとき、Ｋビットのうちの１つのステータスは、アップリンクデータが、１ビットに対応する送信時間内にアップリンクチャネル上で送信されるべきであること、またはアップリンクデータが、１ビットに対応する送信時間内にアップリンクチャネル上で送信されるべきでないことを示すために使用され得る。別の例では、スケジュールされた送信時間の数が１よりも大きいとき、１ビットのデータは、アップリンクデータが、事前に定義されたｓＴＴＩ内に送信されるべきであることを示すために使用され得るか、または１ビットのデータは、アップリンクデータが、事前に定義されたｓＴＴＩ内に送信されるべきでないことを示すために使用され得る。
【０２１９】
Ｐが１に等しいとき、ネットワークデバイスは、第３の情報フィールドが変調および符号化方式ＭＣＳ情報フィールドであることを決定し、かつ第３の情報フィールドが、アップリンクデータが１つの送信時間内にアップリンクチャネル上で送信されるべきであるかどうかを示すために使用されることを決定し、ＭＣＳ情報フィールド内のビットの状態２９は、アップリンクデータが送信時間内にアップリンクチャネル上で送信されるべきでないことを示すために使用され得る。
【０２２０】
この解決策では、ＰはＮと同じであり得るか、またはＮとは異なり得ることに留意されたい。ＰおよびＫは、第１の制御情報もしくは他の制御情報に基づいてネットワークデバイスによって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得るか、またはネットワークデバイスによってそれ自体によって決定され得る。詳細について、ここで再び説明されない。
【０２２１】
第３の情報フィールドを決定した後に、ネットワークデバイスは、アップリンクデータがＫ個の送信時間内にアップリンクチャネル上で送信されるべきであるかどうかに従って第３の時間ドメイン情報フィールドのビットのステータスを決定するか、またはアップリンクデータが１つの送信時間内にアップリンクチャネル上で送信されるべきであるかどうかに従って第３の時間ドメイン情報フィールドのビットのステータスを決定する。
【０２２２】
この解決策の有益な効果は以下の通りである。従来技術では、複数のＴＴＩがスケジュールされたとき、オーバーヘッドを低減するために、制御情報はただ１つのＭＣＳ情報フィールドを含み、すなわち、複数のＴＴＩ内の情報は、同じＭＣＳを使用することによって送信される。ＭＣＳ情報フィールド内のビットの状態２９が、アップリンクデータがＴＴＩ内に送信されるべきであるかどうかに関する指示情報を示すために依然として使用される場合、それは、アップリンクデータがすべてのＴＴＩ内に送信されるべきであること、またはアップリンクデータがどんなＴＴＩ内でも送信されるべきでないことのみを示すことができる。しかしながら、実際には、アップリンクデータを送信するためにただ１つのＴＴＩが使用されず、結果的にリソースが浪費される。この解決策では、指示情報は、アップリンクデータがＴＴＩ内に送信されるべきであるかどうかを示すために１つの制御メッセージ内で送信され得、したがってシステムリソース利用が改善される。
【０２２３】
加えて、この実施形態は、アップリンクデータが、少なくとも１つの送信時間内にアップリンクチャネル上で送信されるべきであるかどうかを示すための方法をさらに提供する。本方法の処理手順は以下の通りであり得る。ネットワークデバイスが第１の制御情報を送信し、第１の制御情報は、第１の期間を有する少なくとも１つの送信時間内のユーザ端末のスケジューリング情報の指示を含み、スケジューリング情報は、送信時間内に情報を受信するようにユーザ端末をトリガしおよび／またはユーザ端末がＰ個の送信時間内に情報を送信すべきことを示すために使用され、第１の期間は０．５ｍｓ以下の期間であり、ネットワークデバイスは第２の制御情報を送信し、第２の制御情報は、アップリンクデータが、少なくとも１つの送信時間のうちの１つ内にアップリンクチャネル上で送信されるべきであるかどうかを示すために使用される。
【０２２４】
本方法では、第１の制御情報を送信した後に、ネットワークデバイスは、ユーザ端末が少なくとも１つの送信時間のうちの１つ内にアップリンクチャネル上でアップリンクデータを送信すべきであるかどうかを示すために、１つの制御情報（すなわち、第２の制御情報）を別々に送信し得る。
【０２２５】
一実施形態は、制御情報を検出するための方法を提供する。本方法はユーザ端末によって実行され得る。図６に示されているように、本方法の処理手順は以下の通りであり得る。
【０２２６】
ステップ６０１：ユーザ端末が、第１の制御情報を検出するための第１の時間−周波数ドメインリソースに基づいて、第１の制御情報に含められる少なくとも１つの情報フィールドを決定する。
【０２２７】
第１の時間−周波数ドメインリソースは、第１の制御情報を送信するための時間−周波数ドメインリソースであり、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。第１の時間−周波数ドメインリソースは、第１の制御領域または第１のダウンリンク制御チャネル領域と呼ばれることもある。たとえば、第１の時間−周波数ドメインリソースが、ダウンリンクサブフレーム内の最初の３つのシンボルが属する時間領域内の時間−周波数ドメインリソースであり、ダウンリンクサブフレームが、ＮＣＰをもつサブフレームであるとき、第１の時間−周波数ドメインリソースは、シーケンス番号がダウンリンクサブフレームの第１のスロット内で＃０、＃１、および＃２であるシンボルを含む。
【０２２８】
一実装形態では、ユーザ端末は、１つまたは複数の時間−周波数ドメインリソース（第１の時間−周波数ドメインリソース）内に制御情報を検出することがある。第１の制御情報を検出した後に、ユーザ端末は、第１の制御情報を送信するための第１の時間−周波数ドメインリソースを決定し、第１の時間−周波数ドメインリソースに基づいて、第１の制御情報に含められる少なくとも１つの情報フィールドをさらに決定し得る。
【０２２９】
この実施形態では、第１の制御情報を送信するための時間−周波数ドメインリソースが異なるとき、第１の制御情報に含められる情報フィールドは、異なることもあるかまたは同じであることもある。一実装方法では、第１の制御情報を送信するための第１の時間−周波数ドメインリソースが時間ドメインリソースＢであるとき、第１の制御情報は第１の情報フィールドを含むか、または第１の制御情報を送信するための第１の時間−周波数ドメインリソースが時間ドメインリソースＣであるとき、第１の制御情報は第１の情報フィールドを含まない。別の実装方法では、第１の制御情報を送信するための第１の時間−周波数ドメインリソースが時間ドメインリソースＢであるとき、第１の制御情報は第１の情報フィールドを含み、第１の情報フィールドは第１のサブ情報を示すために使用されるか、または第１の制御情報を送信するための第１の時間−周波数ドメインリソースが時間ドメインリソースＣであるとき、第１の制御情報は第１の情報フィールドを含むが、第１の情報フィールドは、第１のサブ情報を示すために使用されないかもしくは予約済みで使用されない。
【０２３０】
この実施形態では、１つまたは複数の第１の制御情報があり得る。複数の第１の制御情報がある場合、対応して、本発明に従って制御情報を送信するための方法は、各制御情報について実行され得る。
【０２３１】
ステップ６０２：ユーザ端末が、少なくとも１つの情報フィールドに基づいて第１の制御情報のビットの量を決定する。
【０２３２】
一実装形態では、第１の制御情報に含められる情報フィールドを決定した後に、ユーザ端末は、各情報フィールドのビットの量を決定し、すべての情報フィールドのビットの量の和をさらに決定して第１の制御情報のビットの量を取得し得る。
【０２３３】
ステップ６０３：ユーザ端末が、第１の制御情報のビットの量に基づいて第１の時間−周波数ドメインリソース上で第１の制御情報を検出する。
【０２３４】
一実装形態では、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。ユーザ端末は、第１の制御情報のビットの量に基づいてビットの総量を決定し、次いで、ビットの総量に基づいて第１の時間−周波数ドメインリソース上で第１の制御情報を検出し得る。
【０２３５】
ステップ６０４：ユーザ端末が、第１の制御情報を検出した後に第１の制御情報を受信する。
【０２３６】
任意選択で、この実施形態の実装シナリオでは、ユーザ端末は、第１の制御情報が、第１の情報フィールドにおいて伝達される情報を含むかどうかを決定し得る。対応する処理手順は以下の通りであり得る。第１の時間−周波数ドメインリソースが第１の時間領域内の時間−周波数ドメインリソースであるとき、少なくとも１つの情報フィールドは第１の情報フィールドを含む。
【０２３７】
第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。物理ダウンリンク制御チャネルＰＤＣＣＨ領域はサブフレームのいくつかの開始シンボル内にあり、基地局は、ＰＣＦＩＣＨチャネルを使用することによってＰＤＣＣＨ領域について、セルによってサービスされるすべてのユーザ端末に通知し、ＰＤＣＣＨ領域はサブフレーム内で異なり得ることに留意されたい。しかしながら、ダウンリンクサブフレーム内の最初の１つ、２つ、３つ、または４つのシンボルは、ダウンリンクサブフレームのＰＤＣＣＨ領域よりも大きいか、それよりも小さいか、またはそれに等しくなり得る。
【０２３８】
一実装形態では、少なくとも２つの制御情報フォーマットは、ＤＣＩフォーマット０、ＤＣＩフォーマット１、ＤＣＩフォーマット２、もしくはＤＣＩフォーマット４など、１ｍｓのＴＴＩを示す制御情報フォーマット、およびＤＣＩフォーマット７ＡもしくはＤＣＩフォーマット７Ｂなど、１ｍｓよりも短いＴＴＩのフォーマットを含み得るか、または少なくとも２つの制御情報フォーマットは、ＤＣＩフォーマット０およびＤＣＩフォーマット７Ａなど、第１の制御情報フォーマットおよび第２の制御情報フォーマットを含み得る。上記の特定のフォーマットの数は限定されない。少なくとも２つの時間長は、１ｍｓの期間および１ｍｓよりも短い期間を含み得る。ここで、期間は、ユーザ端末がその期間内に情報を受信するかまたは情報を送信すべきことを示し得る。
【０２３９】
第１の情報フィールドにおいて伝達される情報は、フォーマット識別指示情報またはＴＴＩ期間指示情報を含む。
【０２４０】
ユーザ端末は、第１の時間−周波数ドメインリソースが第１の時間領域内にあるかどうかを決定し得る。第１の時間−周波数ドメインリソースが第１の時間領域内にある場合、ユーザ端末は、第１の制御情報の情報フィールドが、第１の情報フィールドにおいて伝達される情報を含み得ることを決定し得る。第１の時間−周波数ドメインリソースが第１の時間領域内にない場合、たとえば、第１の時間−周波数ドメインリソースが、０．５ｍｓ以下である送信時間内の時間−周波数ドメインリソースである場合、ユーザ端末は、第１の制御情報が、第１の情報フィールドにおいて伝達される情報を含まないことを決定し得る。特に、第１の制御情報の情報フィールドは第１の情報フィールドを含まないことがあるか、または第１の制御情報の情報フィールドは第１の情報フィールドを含むが第１の情報フィールドは、少なくとも２つの制御情報フォーマットのうちの一方を示すために使用されるかもしくは少なくとも２つの時間長のうちの一方を示すために使用される情報を伝達しないか、または第１の制御情報の情報フィールドは第１の情報フィールドを含むがユーザ端末は、第１の情報フィールドにおいて伝達され、少なくとも２つの制御情報フォーマットのうちの一方を示すために使用されるかもしくは少なくとも２つの時間長のうちの一方を示すために使用される情報を受信しない。第１の情報フィールドのビットの量は、ユーザ端末によって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内の時間−周波数ドメインリソースの一部であり得ることに留意されたい。
【０２４１】
たとえば、第１の制御情報を検出するための時間−周波数ドメインリソースがＰＤＣＣＨ領域内にある場合、第１の制御情報の情報フィールドは、第１の情報フィールドを含むか、または第１の制御情報を検出するための時間−周波数ドメインリソースがｓＰＤＣＣＨ領域内にある場合、第１の制御情報の情報フィールドは、第１の情報フィールドを含まず、ｓＰＤＣＣＨ領域は、０．５ｍｓ以下である送信時間内のダウンリンク制御情報の時間領域であり得るか、または０．５ｍｓ以下である送信時間であり得る。たとえば、送信時間は２シンボルＴＴＩであり、ｓＰＤＣＣＨ領域は、２シンボルＴＴＩの１つのシンボルであり得るかまたは２シンボルＴＴＩであり得る。別の例では、第１の制御情報を検出するための時間−周波数ドメインリソースが、ダウンリンクサブフレーム内の最初の１つ、２つ、３つ、もしくは４つのシンボルが属する時間領域内にある場合、第１の制御情報の情報フィールドは、第１の情報フィールドを含むか、または第１の制御情報を検出するための時間−周波数ドメインリソースが、ダウンリンクサブフレーム内の最初の１つ、２つ、３つ、もしくは４つのシンボルが属する時間領域内にない場合、第１の制御情報は、第１の情報フィールドにおいて伝達される情報を含まない。特に、第１の制御情報の情報フィールドは第１の情報フィールドを含まないか、または第１の制御情報の情報フィールドは第１の情報フィールドを含むが第１の情報フィールドは、少なくとも２つの制御情報フォーマットのうちの一方を示すために使用されるかもしくは少なくとも２つの時間長のうちの一方を示すために使用される情報を伝達しないか、または第１の制御情報の情報フィールドは第１の情報フィールドを含むがユーザ端末は、第１の情報フィールドにおいて伝達され、少なくとも２つの制御情報フォーマットのうちの一方を示すために使用されるかもしくは少なくとも２つの時間長のうちの一方を示すために使用される情報を受信しない。
【０２４２】
第１の制御情報を検出した後に、ユーザ端末は、第１の制御情報を受信し、第１の情報フィールドのビットのステータスに基づいて、制御情報フォーマットまたは期間など、第１の制御情報に含められる第１の情報フィールドにおいて伝達される情報を決定し得る。
【０２４３】
この解決策の有益な効果は以下の通りである。基地局によってユーザ端末に送信される制御情報は、１ｍｓのＴＴＩを示すために使用される制御情報であり得るか、または、１ｍｓよりも短い、短いＴＴＩを示すために使用される制御情報であり得る。したがって、ユーザ端末によって制御情報をブラインド検出する回数を低減するために、基地局は、２つのタイプの制御情報におけるビットの量が同じになるように設定し、この時に使用されるべき特定の制御情報を示すために第１の制御情報の第１の情報フィールドを使用し得る。しかしながら、第１の時間−周波数ドメインリソースがダウンリンクサブフレーム内の時間領域以外の時間領域内にあるとき、基地局によってユーザ端末に送信される制御情報は、１ｍｓよりも短い、短いＴＴＩを示すために使用される制御情報のみであり得る。これに基づいて、この解決策では、ユーザ端末は、第１の時間−周波数ドメインリソースが第１の時間領域内にあるときのみ、第１の情報フィールドにおいて伝達される情報を含めた第１の制御情報を検出し、他の場合には、ユーザ端末は、第１の情報フィールドにおいて伝達される情報を除いた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２４４】
任意選択で、この実施形態の別の実装シナリオでは、ユーザ端末は、第１の制御情報が、第２の情報フィールドにおいて伝達される情報を含むかどうかを決定し得る。対応する処理手順は以下の通りであり得る。第１の時間−周波数ドメインリソースが第１の時間領域を超える時間−周波数ドメインリソースであるとき、少なくとも１つの情報フィールドは第２の情報フィールドを含む。
【０２４５】
第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用される。ダウンリンク制御チャネルはＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）であり得る。第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０２４６】
第２の情報フィールドにおいて伝達される情報は、ダウンリンクデータチャネルのリソース使用を示す情報である。
【０２４７】
一実装形態では、第２の情報フィールドにおいて伝達される情報は、ダウンリンク制御チャネルによって占有されない時間−周波数ドメインリソースを含み得るか、またはダウンリンク制御チャネルによって占有される時間−周波数ドメインリソースを示すために使用されるか、またはダウンリンクデータチャネルによって占有される時間−周波数ドメインリソースを示すために使用される。ダウンリンク制御チャネルによって占有される時間−周波数ドメインリソースは、送信時間内にＤＣＩを伝達するためにダウンリンク制御チャネルによって占有されるＣＣＥ、または送信時間内にダウンリンク制御チャネルによって占有されるリソースブロックＲＢ、または送信時間内にダウンリンク制御チャネルによって占有されるリソース要素ＲＥを含み得る。ダウンリンク制御チャネルによって占有されない時間−周波数ドメインリソースは、送信時間内にＤＣＩを伝達するためにダウンリンク制御チャネルによって占有されないＣＣＥ、または送信時間内にダウンリンク制御チャネルによって占有されないリソースブロックＲＢ、または送信時間内にダウンリンク制御チャネルによって占有されないリソース要素ＲＥを含み得る。ダウンリンクデータチャネルによって占有される時間−周波数ドメインリソースは、送信時間内にダウンリンクデータチャネルによって占有されるリソースブロックＲＢ、または送信時間内にダウンリンクデータチャネルによって占有されるリソース要素ＲＥを含み得る。この実施形態では、送信時間は、２シンボル送信時間、０．５ｍｓ以下である送信時間、または１ｍｓである送信時間であり得ることに留意されたい。
【０２４８】
ユーザ端末は、第１の時間−周波数ドメインリソースが第１の時間領域内の時間−周波数ドメインリソースであるかどうかを決定し得る。第１の時間−周波数ドメインリソースが第１の時間領域を超える時間−周波数ドメインリソースである場合、たとえば、第１の時間−周波数ドメインリソースが、０．５ｍｓ以下である送信時間内の時間−周波数ドメインリソースである場合、ユーザ端末は、第１の制御情報の情報フィールドが、第２の情報フィールドにおいて伝達される情報を含み得ることを決定し得る。第１の時間−周波数ドメインリソースが第１の時間領域内にある場合、ユーザ端末は、第１の制御情報が、第２の情報フィールドにおいて伝達される情報を含まないことを決定し得る。特に、第１の制御情報の情報フィールドは第２の情報フィールドを含まないことがあるか、または第１の制御情報の情報フィールドは第２の情報フィールドを含むが第２の情報フィールドは、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を伝達しないか、または第１の制御情報の情報フィールドは第２の情報フィールドを含むがユーザ端末は、第２の情報フィールドにおいて伝達され、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を受信しない。第２の情報フィールドのビットの量は、ユーザ端末によって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内のすべての時間−周波数ドメインリソースではないことに留意されたい。
【０２４９】
たとえば、第１の制御情報を検出するための時間−周波数ドメインリソースがｓＰＤＣＣＨ領域内にある場合、第１の制御情報の情報フィールドは、第２の情報フィールドにおいて伝達される情報を含むか、または第１の制御情報を検出するための時間−周波数ドメインリソースが、ＰＤＣＣＨ領域、もしくはダウンリンクサブフレーム内の最初の１つ、２つ、３つ、もしくは４つのシンボルが属する時間領域内にある場合、第１の制御情報は、第２の情報フィールドにおいて伝達される情報を含まない。特に、第１の制御情報の情報フィールドは第２の情報フィールドを含まないか、または第１の制御情報の情報フィールドは第２の情報フィールドを含むが第２の情報フィールドは、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を伝達しないか、または第１の制御情報の情報フィールドは第２の情報フィールドを含むがユーザ端末は、第２の情報フィールドにおいて伝達され、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を受信しない。
【０２５０】
第１の制御情報を検出した後に、ユーザ端末は、第１の制御情報を受信し、第２の情報フィールドのビットのステータスに基づいて、含められた第２の情報フィールドにおいて伝達される情報、またはダウンリンク制御チャネルによって占有されない時間−周波数ドメインリソース、もしくはダウンリンク制御チャネルによって占有される時間−周波数ドメインリソース、もしくはダウンリンクデータチャネルによって占有される時間−周波数ドメインリソースを決定し得る。
【０２５１】
この解決策におけるダウンリンク制御チャネルは、時間内のアップリンクデータチャネルおよびダウンリンクデータチャネルであり得ることに留意されたい。
【０２５２】
この解決策の有益な効果は以下の通りである。レガシーユーザ端末のＰＤＣＣＨがＰＤＣＣＨ領域内に存在するので、ＰＤＣＣＨ領域が第１の時間領域内に存在するとき、「第２の情報フィールドにおいて伝達される情報によって示される、ダウンリンク制御チャネルによって占有されない時間−周波数ドメインリソースまたはダウンリンク制御チャネルによって占有される時間−周波数ドメインリソースまたはダウンリンクデータチャネルによって占有される時間−周波数ドメインリソース」内の時間ドメインリソースが、ＰＤＣＣＨ領域内の使用のためにアイドルである場合でも、時間ドメインリソースは、データ情報を送信するために使用され得ない。したがって、第１の制御情報は、第１の時間領域内の「ダウンリンク制御チャネルによって占有されない時間−周波数ドメインリソースまたはダウンリンクデータチャネルによって占有される時間−周波数ドメインリソース」を示す必要がない。しかしながら、第１の制御領域を超えて、データを送信するためにアイドルリソースが使用され得ない上記の場合は存在しない。この場合、第１の時間−周波数ドメインリソースが第１の時間領域を超える時間−周波数ドメインリソースであるとき、第２の情報フィールドにおいて伝達される情報を含めた第１の制御情報が検出され、リソースのこの部分は、リソース利用を改善するためにデータ送信のために使用される。第１の時間−周波数ドメインリソースが第１の時間領域内の時間−周波数ドメインリソースであるとき、ユーザ端末は、第２の情報フィールドにおいて伝達される情報を含めた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２５３】
任意選択で、この実施形態の別の実装シナリオでは、ユーザ端末は、第１の制御情報が、第３の情報フィールドにおいて伝達される情報を含むかどうかを決定し得る。対応する処理手順は以下の通りであり得る。第１の時間−周波数ドメインリソースが第２の時間領域内の時間−周波数ドメインリソースであるとき、少なくとも１つの情報フィールドは第３の情報フィールドを含む。
【０２５４】
第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【０２５５】
一実装形態では、ユーザ端末は、第１の時間−周波数ドメインリソースが第２の時間領域内にあるかどうかを決定し得る。第１の時間−周波数ドメインリソースが第２の時間領域内にある場合、ユーザ端末は、第１の制御情報の情報フィールドが、第３の情報フィールドにおいて伝達される情報を含み得ることを決定し得、したがって、第３の情報フィールドのビットのステータスに基づいて、サウンディング参照信号ＳＲＳを送信するべきかどうかを決定し得る。第１の時間−周波数ドメインリソースが第２の時間領域内にない場合、ユーザ端末は、第１の制御情報が、第３の情報フィールドにおいて伝達される情報を含まないことを決定し得る。特に、第１の制御情報の情報フィールドは第３の情報フィールドを含まないことがあるか、または第１の制御情報の情報フィールドは第３の情報フィールドを含むが第３の情報フィールドは、サウンディング参照信号ＳＲＳを送信するようにユーザ端末をトリガするために使用される情報を伝達しないか、または第１の制御情報の情報フィールドは第３の情報フィールドを含むがユーザ端末は、第３の情報フィールドにおいて伝達され、サウンディング参照信号ＳＲＳを送信するようにユーザ端末をトリガするために使用される情報を受信しない。第３の情報フィールドのビットの量は、ユーザ端末によって決定されるかまたは事前に定義され得る。
【０２５６】
第３の情報フィールドにおいて伝達される情報はＳＲＳ要求情報を含む。
【０２５７】
たとえば、第２の時間領域は、事前に定義されたｓＰＤＣＣＨ領域であり得る。第１の制御情報を検出するための時間−周波数ドメインリソースがｓＰＤＣＣＨ領域内にある場合、第１の制御情報の情報フィールドは第３の情報フィールドを含むか、または第１の制御情報を検出するための時間−周波数ドメインリソースがｓＰＤＣＣＨ領域内にない（たとえば、ＰＤＣＣＨ領域または別のｓＰＤＣＣＨ領域内にある）場合、第１の制御情報は、第３の情報フィールドにおいて伝達される情報を含まない。特に、第１の制御情報の情報フィールドは第３の情報フィールドを含まないか、または第１の制御情報の情報フィールドは第３の情報フィールドを含むが第３の情報フィールドは、サウンディング参照信号ＳＲＳを送信するようにユーザ端末をトリガするために使用される情報を伝達しないか、または第１の制御情報の情報フィールドは第３の情報フィールドを含むがユーザ端末は、第３の情報フィールドにおいて伝達され、サウンディング参照信号ＳＲＳを送信するようにユーザ端末をトリガするために使用される情報を受信しない。
【０２５８】
この解決策の有益な効果は以下の通りである。ＳＲＳを送信するためのリソースはセルレベルで構成され、最も集約的なＳＲＳリソースに現在関して、制御情報が頻繁に送信されるとき、ＳＲＳは２ｍｓごとに１回送信されるので、複数の制御情報内のＳＲＳ要求情報は、同じＳＲＳを送信するようにユーザ端末に指示し得る。この解決策における処理に基づいて、第１の時間−周波数ドメインリソースが、事前に定義された時間領域内にあるとき、ユーザ端末は、第２の情報フィールドにおいて伝達される情報を含めた第１の制御情報、たとえば、ＳＲＳ要求情報を含めた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２５９】
任意選択で、この実施形態の別の実装シナリオでは、ユーザ端末は、第１の制御情報が、第４の情報フィールドにおいて伝達される情報を含むかどうかを決定し得る。対応する処理手順は以下の通りであり得る。第１の時間−周波数ドメインリソースが第３の時間領域内の時間−周波数ドメインリソースであるとき、少なくとも１つの情報フィールドは第４の情報フィールドを含む。
【０２６０】
第４の情報フィールドにおいて伝達される情報は、チャネル品質情報ＣＳＩを送信するようにユーザ端末をトリガするために使用され、第３の時間領域は、受信された上位層シグナリングに基づいてユーザ端末によって決定されているかまたは事前に定義される。異なる構成または事前定義に基づいて、第３の時間領域は、第２の時間領域と同じであり得るか、または第２の時間領域とは異なり得る。
【０２６１】
任意選択で、第４の情報フィールドにおいて伝達される情報は周期的チャネル状態情報ＣＳＩ指示情報を含む。
【０２６２】
一実装形態では、ユーザ端末は、第１の時間−周波数ドメインリソースが第３の時間領域内にあるかどうかを決定し得る。第１の時間−周波数ドメインリソースが第３の時間領域内にある場合、ユーザ端末は、第１の制御情報の情報フィールドが、第４の情報フィールドにおいて伝達される情報を含み得ることを決定し得、したがって、第４の情報フィールドのビットのステータスに基づいて、チャネル品質情報ＣＳＩを送信するべきかどうかを決定し得る。第１の時間−周波数ドメインリソースが第３の時間領域内にない場合、ユーザ端末は、第１の制御情報が、第４の情報フィールドにおいて伝達される情報を含まないことを決定し得る。特に、第１の制御情報の情報フィールドは第４の情報フィールドを含まないことがあるか、または第１の制御情報の情報フィールドは第４の情報フィールドを含むが第４の情報フィールドは、チャネル品質情報ＣＳＩを送信するようにユーザ端末をトリガするために使用される情報を伝達しないか、または第１の制御情報の情報フィールドは第４の情報フィールドを含むがユーザ端末は、第４の情報フィールドにおいて伝達され、チャネル品質情報ＣＳＩを送信するようにユーザ端末をトリガするために使用される情報を受信しない。第４の情報フィールドのビットの量は、ユーザ端末によって決定されるかまたは事前に定義され得る。
【０２６３】
この解決策では、第３の時間領域は、様々な方法を使用することによって定義され得る。この実施形態は２つの実現可能な様式を提供する。
【０２６４】
様式１：第３の時間領域は、ＰＤＣＣＨ領域など、固定のまたは事前に定義された時間領域である。これは、この実施形態では限定されない。
【０２６５】
様式２：第３の時間領域は、ネットワークデバイスによってユーザ端末のＣＳＩ指示情報を受信する、以前の時間に基づいて決定される。
【０２６６】
一実装形態では、ネットワークデバイスは、ユーザ端末にＣＳＩ指示情報を含めた制御情報を送信することがあり、ＣＳＩ指示情報を正常に受信した後に、ユーザ端末は、ネットワークデバイスに受信成功応答メッセージを送信し得、次いで、ユーザ端末はタイマーをトリガし得、タイマーにおいてプリセット期間が満了した後に、第３の時間領域が到来する。ユーザ端末は、ＣＳＩ指示情報を含めた制御情報を検出し始め得る。しかしながら、タイマーにおいてプリセット期間が満了する前に、ユーザ端末は、第４の情報フィールドにおいて伝達される情報を含めた制御情報を検出しない。具体的には、第１の制御情報の情報フィールドは第４の情報フィールドを含まないことがあるか、または第１の制御情報の情報フィールドは第４の情報フィールドを含むが第４の情報フィールドは、チャネル品質情報ＣＳＩを送信するようにユーザ端末をトリガするために使用される情報を伝達しないか、または第１の制御情報の情報フィールドは第４の情報フィールドを含むがユーザ端末は、第４の情報フィールドにおいて伝達され、チャネル品質情報ＣＳＩを送信するようにユーザ端末をトリガするために使用される情報を受信しない。除外の特定の様式は上記の様式と同じであり、ここで再び説明されない。
【０２６７】
この解決策の有益な効果は以下の通りである。ユーザ端末の処理速度は限定されており、たとえば、測定時間からＣＳＩフィードバックの時間まで少なくともいくつかのミリ秒が必要とされるので、制御情報を送信するための間隔が測定時間よりもはるかに短いとき、複数の制御情報におけるＣＳＩ指示情報によってトリガされるようにユーザ端末によって送信されることになるＣＳＩは、同じ測定時間に対応することがあり、すなわち、ユーザ端末によってフィードバックされるＣＳＩコンテンツは同じである。第１の時間−周波数ドメインリソースが、事前に定義された時間領域内にあるとき、ユーザ端末は、第２の情報フィールドにおいて伝達される情報を含めた第１の制御情報、たとえば、ＣＳＩ指示情報を含めた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２６８】
一実施形態は、制御情報を検出するための方法をさらに提供する。本方法はユーザ端末によって実行され得る。図７に示されているように、本方法の処理手順は以下の通りであり得る。
【０２６９】
ステップ７０１：ユーザ端末が第１の制御情報を受信し、第１の制御情報は少なくとも１つの情報フィールドを含む。
【０２７０】
少なくとも１つの情報フィールドにおいて伝達される情報は、
（１）少なくとも１つの送信時間内に受信および／または送信される情報に対応する冗長バージョン情報、
（２）Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
（３）少なくとも１つの送信時間内にアップリンクチャネル上でアップリンクデータが送信されるべきであるかどうかを示す情報
のうちの少なくとも１つまたはそれらの任意の組合せを含む。
【０２７１】
一実装形態では、少なくとも１つの送信時間のうちの１つまたは複数は、０．５ｍｓ以下の期間であり得る。ユーザ端末は、第１の制御情報に含められる情報フィールドを決定するために従来技術における解決策を使用し得るか、または第１の制御情報に含められる情報フィールドを決定するためにステップ６０１から６０３における解決策を使用し得る。この実施形態では、１つまたは複数の第１の制御情報があり得る。複数の第１の制御情報がある場合、対応して、本発明に従って制御情報を送信するための方法は、各制御情報について実行され得る。このステップにおける少なくとも１つの送信時間は、ステップ６０１から６０３における少なくとも１つの送信時間と同じであるかまたはそれとは異なり得ることに留意されたい。これは、この実施形態では限定されない。
【０２７２】
加えて、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。
【０２７３】
ステップ７０２：ユーザ端末が、少なくとも１つの情報フィールドにおいて伝達される情報を取得する。
【０２７４】
一実装形態では、ユーザ端末は、少なくとも１つの情報フィールドにおいて伝達される情報を取得するために少なくとも１つの情報フィールドを検出し得る。
【０２７５】
任意選択で、この実施形態の実装シナリオでは、少なくとも１つの情報フィールド内の第１の情報フィールドにおいて伝達される情報は、少なくとも１つの送信時間内に受信および／または送信される情報に対応する冗長バージョン情報を含むことがあり、対応して、ステップ７０２の処理手順は以下の通りであり得る。ユーザ端末が、第１の情報フィールドの少なくとも１つのビットのステータスを決定し、ユーザ端末がＭを決定し、少なくとも１つの送信時間はＭ個の送信時間であり、Ｍは１以上の正の整数であり、ユーザ端末は、第１の情報フィールドのビットの量、第１の情報フィールドの少なくとも１つのビットのステータス、およびＭに基づいて、Ｍ個の送信時間内に受信および／または送信される情報に対応する冗長バージョン情報を決定する。
【０２７６】
任意選択で、ユーザ端末は、第１の情報フィールドのビットの量を決定する。特に、第１の情報フィールドのビットの量は、固定であるかもしくは事前に定義され得るか、またはビットの量は、ステップ６０１から６０３を実行することによってもしくは別の様式で決定される。これは、この実施形態では限定されない。第１の情報フィールドのビットの量は、第１の情報フィールドに含められた情報のビットの量または第１の情報フィールドに含められたビットの量である。
【０２７７】
Ｍは、ユーザ端末がＭ個の送信時間内に情報を受信すべきことを示し、および／またはＭ個の送信時間内に情報を送信するようにユーザ端末をトリガするために使用される。
【０２７８】
一実装形態では、ユーザ端末は、第１の制御情報を受信し、少なくとも１つの情報フィールド、ユーザ端末によって情報を受信するための送信時間の数、および／またはユーザ端末によって情報を送信するための送信時間の数（Ｍ）、第１の情報フィールドのビットの量、ならびに少なくとも１つのビットのステータスを決定し得る。Ｍは、第１の制御情報もしくは他の制御情報に基づいてユーザ端末によって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得る。
【０２７９】
ユーザ端末は、送信時間の数と、第１の情報フィールドのビットの量と、第１の情報フィールドのビットのステータスと、少なくとも１つの送信時間内に受信および／または送信される情報に対応する冗長バージョン情報との間の対応を事前に記憶し得る。ユーザ端末は、この対応、Ｍ、第１の情報フィールドのビットの量、および少なくともビットのステータスに基づいて、Ｍ個の送信時間内に受信および／または送信される情報に対応する冗長バージョン情報を決定し得る。Ｍ個の送信時間は連続または不連続であり得る。これは、この実施形態では限定されない。
【０２８０】
対応は特に以下の通りであり得る。第１の情報フィールドのビットの量がＸであり、Ｘの値が、上位層シグナリングに基づいて構成されるか、固定であるか、または事前に定義され得るとき、ユーザ端末は、Ｘの値とＭの値との間の関係に基づいて、冗長バージョンを示すビットの量を決定し、Ｍ個の送信時間内に受信および／または送信される情報に対応する冗長バージョンに基づいて第１の情報フィールドの少なくとも１つのビットのステータスをさらに決定し得る。３つの場合が、以下のように含まれる。
【０２８１】
（１）ＭがＸよりも大きいとき、Ｘにおける１つのビットは、冗長バージョンに関する情報を示すために使用され、少なくとも１つのビットの１つの状態は、少なくとも２つの送信時間内の１つの冗長バージョンに対応する。ビットの状態０は冗長バージョン０に対応し、ビットの状態１は冗長バージョン２に対応するか、またはその逆である。ここで、ビットのステータスおよび冗長バージョンの値は特に限定されない。
【０２８２】
たとえば、Ｍが５に等しく、Ｘが４に等しい場合、Ｘにおける少なくとも１つのビットは、２つの送信時間内に同じ冗長バージョン情報が使用されることを示し、冗長バージョン情報は（０，２）である。Ｍは、｛第１の送信時間，…，第５の送信時間｝を含めた、５つの送信時間がスケジュールされることを意味する。第１の情報フィールドは、４ビット、｛ａ，ｂ，ｃ，ｄ｝を含む。たとえば、ビットａは第１の送信時間および第２の送信時間内の冗長バージョンに対応し得、ビットｂは第３の送信時間内の冗長バージョンに対応し得、ビットｃは第４の送信時間内の冗長バージョンに対応し得、ビットｄは第５の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間および第５の送信時間内の冗長バージョンに対応し得る。
【０２８３】
たとえば、Ｍが６に等しく、Ｘが４に等しい場合、Ｘにおける１つのビットは、２つまたは３つの送信時間内に同じ冗長バージョン情報が使用されることを示し、冗長バージョン情報は（０，２）である。特に、２つまたは３つの送信時間は事前に定義され得る。Ｍは、｛第１の送信時間，…，第６の送信時間｝を含めた、６つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間、第５の送信時間、および第６の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間および第４の送信時間内の冗長バージョンに対応し得、ビットｄは第５の送信時間および第６の送信時間内の冗長バージョンに対応し得る。
【０２８４】
（２）ＭがＸよりも小さく、Ｍが第１のプリセットしきい値よりも大きいとき、Ｘにおける各ビットの１つの状態は、最大１つのＴＴＩ内の冗長バージョンに対応する。第１のプリセットしきい値は正の整数であり、Ｘ／２またはＸ／３を切り捨てることによって取得され得る。これは、この実施形態では限定されない。
【０２８５】
たとえば、Ｍが３に等しく、Ｘが４に等しく、第１のプリセットしきい値が２である場合、少なくとも１つのビットの１つの状態は、１つの送信時間内の冗長バージョン情報に対応することがあり、冗長バージョン情報は（０，２）である。たとえば、Ｍは、｛第１の送信時間，…，第３の送信時間｝を含めた、３つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得るか、またはビットｂは第１の送信時間内の冗長バージョンに対応し得、ビットｃは第２の送信時間内の冗長バージョンに対応し得、ビットｄは第３の送信時間内の冗長バージョンに対応し得る。
【０２８６】
（３）Ｍが第１のプリセットしきい値以下であるとき、ｉビットごとの１つの状態は、最大１つのＴＴＩ内の冗長バージョンに対応する。第１のプリセットしきい値は正の整数であり、Ｘ／ｉを切り捨てることによって取得され得、ｉは１以上の正の整数である。
【０２８７】
たとえば、Ｍが２に等しく、Ｘが４に等しく、ｉが２に等しいかまたは第１のプリセットしきい値が２である場合、少なくとも２つのビットの１つの状態は、１つのＴＴＩ内の冗長バージョンに対応し、冗長バージョンは（０，１，２，３）である。たとえば、Ｍは、｛第１の送信時間，第２の送信時間｝を含めた、２つの送信時間がスケジュールされることを意味する。第１の情報フィールドは、４ビット、｛ａ，ｂ，ｃ，ｄ｝を含む。たとえば、ビットａおよびビットｂは第１の送信時間内の冗長バージョンに対応し得、ビットｃおよびビットｄは第２の送信時間内の冗長バージョンに対応し得るか、またはビットａおよびビットｂは第２の送信時間内の冗長バージョンに対応し得、ビットｃおよびビットｄは第１の送信時間内の冗長バージョンに対応し得る。
【０２８８】
この解決策では、ＭはＮと同じであり得るか、またはＮとは異なり得ることに留意されたい。
【０２８９】
この解決策の有益な効果は以下の通りである。従来技術では、各ＴＴＩは、１つまたは２つのビット内の冗長バージョンに対応する。Ｎ個のｓＴＴＩがスケジュールされた場合、各制御情報は、Ｎビットから２Ｎビット内の冗長バージョン情報を含む。しかしながら、この解決策に基づいて、冗長バージョンを示すために固定ビットが使用され得る。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２９０】
任意選択で、この実施形態の別の実装シナリオでは、少なくとも１つの情報フィールド内の第２の情報フィールドにおいて伝達される情報はＮを含み、対応して、ステップ７０２の処理手順は以下の通りであり得る。ユーザ端末が、第２の情報フィールドの少なくとも１つのビットのステータスを決定し、ユーザ端末が、第１の対応および第２の情報フィールドの少なくとも１つのビットのステータスに基づいて、Ｎを決定し、第１の対応が、少なくとも１つのビットのステータスとＮとの間の対応であり、第１の対応が、ユーザ端末によって、受信される上位層シグナリングに基づいて決定されるかまたは事前に定義される。
【０２９１】
Ｎは、Ｎ個の送信時間を示し、第１の制御情報は、ユーザ端末にＮ個の送信時間内に情報を受信するように指示するために使用され、および／またはＮ個の送信時間内に情報を送信するようにユーザ端末をトリガするために使用され、Ｎは１以上の正の整数である。
【０２９２】
一実装形態では、ユーザ端末は、第１の制御情報を受信し、第２の情報フィールドを決定し、第２の情報フィールドの少なくとも１つのビットのステータスを取得する。第２の情報フィールドのビットの量は、固定であるかもしくは事前に定義され得るか、または送信時間の期間に基づいてユーザ機器によって決定され得るか、または上位層シグナリングに基づいてユーザ機器によって決定され得る。
【０２９３】
場合１：第２の情報フィールドのビットの量は固定であるかもしくは事前に定義され得る。
【０２９４】
場合１は、０．５ｍｓ以下である複数の送信時間のスケジューリングに適用可能であり得るか、または１ｍｓの複数の送信時間のスケジューリングに適用可能であり得る。対応して、第２の情報フィールドによって示され得る送信時間の量セット内の要素の数が、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成され得るかまたは事前に定義され得る。
【０２９５】
たとえば、第２の情報フィールドのビットの量が２である場合、第２の情報フィールドによって示される送信時間の量セットは（１，ａｌｔ１，ａｌｔ２，ａｌｔ３）として定義され得、ａｌｔ１からａｌｔ３は、スケジュールされたｓＴＴＩの数に対応し、ａｌｔ１からａｌｔ３は、上位層シグナリングに基づいてユーザ端末によって構成され、上位層シグナリングはＲＲＣ構成情報であり得る。ａｌｔ１からａｌｔ３は、代替として、事前に定義された値であり得る。以下では、第２の情報フィールドのビットの量が２である例を使用する。本明細書における対応は限定されない。具体的には、別の対応では、００は、代替として、ａｌｔ３に対応するかまたは数３に対応し得る。
【０２９６】
【表４】
2019525641.tif 000006
【０２９７】
【表５】
2019525641.tif 000007
【０２９８】
ユーザ端末は、第２の情報フィールドのビットの量を事前に記憶し、第２の情報フィールドの少なくとも１つのビットのステータスおよび上記のポリシーに基づいてＮをさらに決定し得る。
【０２９９】
場合２：第２の情報フィールドのビットの量は可変である。
【０３００】
場合２は、０．５ｍｓ以下である複数の送信時間のスケジューリングに適用可能であり得る。ユーザ端末は、スケジュールされた送信時間の期間に基づいて第２の情報フィールドのビットの量を決定し、次いで、Ｎおよび第１の対応に基づいて第２の情報フィールドの少なくとも１つのビットのステータスを決定し得る。
【０３０１】
たとえば、送信時間の期間が７つのシンボルである場合、第２の情報フィールドのビットの量は１であるか、送信時間の期間が４つのシンボルである場合、第２の情報フィールドのビットの量は２であるか、または送信時間の期間が２つのシンボルである場合、第２の情報フィールドのビットの量は３である。以下では、送信時間の期間が２つのシンボルである例を使用し、第２の情報フィールドのビットの量は３である。本明細書における対応は限定されない。具体的には、別の対応では、０００は、代替として４に対応し得る。
【０３０２】
【表６】
2019525641.tif 000008
【０３０３】
ユーザ端末は、上位層シグナリングの構成または送信時間の事前定義もしくは期間に基づいて第２の情報フィールドのビットの量を取得し、次いで、第２の情報フィールドの少なくとも１つのビットのステータスおよび上記のポリシーに基づいてＮを決定し得る。
【０３０４】
場合１における第１の対応のコンテンツは、場合２における第１の対応のコンテンツとは異なり得ることに留意されたい。
【０３０５】
この解決策の有益な効果は以下の通りである。従来技術では、制御情報は、スケジュールされたＴＴＩの最大数を満たし得る固定のビットの量、たとえば、３ビットを含む。この解決策では、情報フィールド内の情報のビットの量が低減され得、スケジュールされたＴＴＩの最大数を示すビットの量は含まれる必要がない。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０３０６】
任意選択で、この実施形態の別の実装シナリオでは、少なくとも１つの情報フィールド内の第３の情報フィールドにおいて伝達される情報は、アップリンクデータが、少なくとも１つの送信時間内にアップリンクチャネル上で送信されるべきかどうかを示す情報を含み、対応して、ステップ７０２の処理手順は以下の通りであり得る。ユーザ端末がＰを決定し、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である。
【０３０７】
ユーザ端末はＰを１と比較する。
【０３０８】
一実装形態では、Ｐが１よりも大きいとき、ユーザ端末は、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定し得、Ｋは、１以上でＰ以下である正の整数である。具体的には、第３の情報フィールドは、アップリンクデータがＫ個の送信時間の一部分内にアップリンクチャネル上で送信されるべきであることと、アップリンクデータがＫ個の送信時間の他の部分内にアップリンクチャネル上で送信されるべきでないこととを示すために使用され得る。たとえば、スケジュールされた送信時間の数が１よりも大きいとき、Ｋビットのうちの１つのステータスは、アップリンクデータが、１ビットに対応する送信時間内にアップリンクチャネル上で送信されるべきであること、またはアップリンクデータが、１ビットに対応する送信時間内にアップリンクチャネル上で送信されるべきでないことを示すために使用され得る。別の例では、スケジュールされた送信時間の数が１よりも大きいとき、１ビットのデータは、アップリンクデータが、事前に定義されたｓＴＴＩ内に送信されるべきであることを示すために使用され得るか、または１ビットのデータは、アップリンクデータが、事前に定義されたｓＴＴＩ内に送信されるべきでないことを示すために使用され得る。
【０３０９】
Ｐが１に等しいとき、ユーザ端末が、第３の情報フィールドが変調および符号化方式ＭＣＳ情報フィールドであることを決定し、かつ第３の情報フィールドにおいて伝達される情報が、アップリンクデータがＰ個の送信時間内にアップリンクチャネル上で送信されるべきであるかどうかを示すことを決定し、ＭＣＳ情報フィールド内のビットの状態２９は、アップリンクデータが送信時間内にアップリンクチャネル上で送信されるべきでないことを示すために使用され得る。
【０３１０】
この解決策では、ＰはＮと同じであり得るか、またはＮとは異なり得ることに留意されたい。ＰおよびＫは、第１の制御情報もしくは他の制御情報に基づいてネットワークデバイスによって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得るか、またはネットワークデバイスによってそれ自体によって決定され得る。詳細について、ここで再び説明されない。
【０３１１】
第３の情報フィールドを決定した後に、ユーザ端末は、第３の情報フィールドにおいて伝達される情報を取得し、アップリンクデータがＫ個の送信時間内にアップリンクチャネル上で送信されるべきであるかどうかを決定するか、またはアップリンクデータが１つの送信時間内にアップリンクチャネル上で送信されるべきであるかどうかを決定する。
【０３１２】
この解決策の有益な効果は以下の通りである。従来技術では、複数のＴＴＩがスケジュールされたとき、オーバーヘッドを低減するために、制御情報はただ１つのＭＣＳ情報フィールドを含み、すなわち、複数のＴＴＩ内の情報は、同じＭＣＳを使用することによって送信される。ＭＣＳ情報フィールド内のビットの状態２９が、アップリンクデータがＴＴＩ内に送信されるべきであるかどうかに関する指示情報を示すために依然として使用される場合、それは、アップリンクデータがすべてのＴＴＩ内に送信されるべきであること、またはアップリンクデータがどんなＴＴＩ内でも送信されるべきでないことのみを示すことができる。しかしながら、実際には、アップリンクデータを送信するためにただ１つのＴＴＩが使用されず、結果的にリソースが浪費される。この解決策では、指示情報は、アップリンクデータがＴＴＩ内に送信されるべきであるかどうかを示すために１つの制御メッセージ内で送信され得る。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０３１３】
加えて、一実施形態は、制御情報を検出するための方法をさらに提供する。本方法はユーザ端末によって実行され得る。図８に示されているように、本方法の処理手順は以下の通りであり得る。
【０３１４】
ステップ８０１：ユーザ端末が、第１の制御情報を受信し、第１の制御情報は、少なくとも１つの送信時間内にアップリンクチャネルによって占有される時間−周波数リソースを示すために使用される。
【０３１５】
少なくとも１つの送信時間のうちの１つまたは複数は、０．５ｍｓ以下の期間である。
【０３１６】
ステップ８０２：ユーザ端末が、アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定する。
【０３１７】
一実装形態では、アップリンク制御情報によって占有される必要がある時間−周波数リソースは、アップリンク制御情報のビットの量、またはアップリンク制御情報に対応する期間であり得る。少なくとも１つの送信時間内に送信されるためにアップリンクデータによって占有される必要がある時間−周波数リソースは、アップリンクデータのビットの量、またはアップリンクデータに対応する期間であり得る。アップリンク制御情報によって占有される必要がある時間−周波数リソースは、代替として、アップリンク制御情報のビットの量ならびにアップリンク制御情報の変調およびコーディング方式に基づいて決定され得る。アップリンクデータによって占有される必要がある時間−周波数リソースは、代替として、アップリンクデータのビットの量ならびにアップリンクデータの変調およびコーディング方式に基づいて決定され得る。
【０３１８】
ステップ８０３：ユーザ端末が比情報を決定し、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比である。
【０３１９】
ステップ８０４：ユーザ端末が、比情報に基づいて、アップリンクチャネル上でアップリンクデータを送信すべきかどうかを決定する。
【０３２０】
一実装形態では、ユーザ端末は、比情報を第２のプリセットしきい値と比較することがあり、比が、アップリンクチャネルによって占有される時間−周波数リソースに対する、アップリンクチャネル上でアップリンク制御情報によって占有される必要がある時間−周波数リソースの比であるか、または少なくとも１つの送信時間内に送信されるためにアップリンクデータによって占有される必要がある時間−周波数リソースに対する、アップリンクチャネル上でアップリンク制御情報によって占有される必要がある時間−周波数リソースの比であるとき、比情報が第２のプリセットしきい値よりも大きい場合、アップリンクデータがアップリンクチャネル上で送信されるべきでないことを決定され得るか、または比情報が第２のプリセットしきい値以下である場合、アップリンクデータがアップリンクチャネル上で送信されるべきであることを決定され得る。比が、アップリンクチャネルによって占有される時間−周波数リソースに対する、少なくとも１つの送信時間内に送信されるためにアップリンクデータによって占有される必要がある時間−周波数リソースの比であるとき、比情報が第２のプリセットしきい値よりも小さい場合、アップリンクデータがアップリンクチャネル上で送信されるべきでないことを決定され得るか、または比情報が第２のプリセットしきい値以上である場合、アップリンクデータがアップリンクチャネル上で送信されるべきであることを決定され得る。第２のプリセットしきい値は、シグナリングを使用することによってネットワークデバイスによって通知されるかまたは事前に定義され得る。
【０３２１】
この解決策の有益な効果は以下の通りである。従来技術では、ＴＴＩがスケジュールされたとき、各ＴＴＩの制御情報は、アップリンクデータが送信されるかどうかに関する指示情報を含む。しかしながら、この解決策では、指示情報は送信される必要がない。これは、ユーザ端末と基地局とのアクションが整合することと、制御情報が正しく受信され得ることとを保証しながら、制御情報によって占有される時間−周波数ドメインリソースを低減し、情報フィールドにおける情報のビットの量をさらに低減し、すなわち、制御情報によって占有されるリソースを低減し、リソース利用を改善することができる。
【０３２２】
同じ技術概念に基づいて、本発明の一実施形態は、ネットワークデバイスをさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
プロセッサ２１０は、第１の制御情報を送信するための第１の時間−周波数ドメインリソースに基づいて、第１の制御情報に含められる少なくとも１つの情報フィールドを決定するように構成され、
プロセッサ２１０は、少なくとも１つの情報フィールドに基づいて第１の制御情報のビットの量を決定するようにさらに構成され、
トランシーバ２２０は、第１の制御情報のビットの量に基づいて第１の時間−周波数ドメインリソース上で第１の制御情報をユーザ端末に送信するように構成される。
【０３２３】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３２４】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３２５】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【０３２６】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、事前に定義されるかまたは構成される。
【０３２７】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３２８】
同じ技術概念に基づいて、本発明の一実施形態は、ネットワークデバイスをさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
プロセッサ２１０は、第１の制御情報に含まれる少なくとも１つの情報フィールドを決定するように構成され、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つまたはそれらの任意の組合せを含み、
トランシーバ２２０は、第１の制御情報をユーザ端末に送信するように構成される。
【０３２９】
任意選択で、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
プロセッサ２１０は、
Ｍを決定することであって、少なくとも１つの送信時間がＭ個の送信時間であり、Ｍが１以上の正の整数である、決定することと、
Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定することと
を行うようにさらに構成される。
【０３３０】
任意選択で、少なくとも１つの情報フィールドは、第２の情報フィールドを含み、第２の情報フィールドにおいて伝達される情報はＮを含み、
プロセッサ２１０は、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定すること
を行うようにさらに構成される。
【０３３１】
任意選択で、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
プロセッサ２１０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、決定すること、ならびに／または
Ｐが１に等しいとき、第３の情報フィールドが変調および符号化方式ＭＣＳ情報フィールドであることを決定し、かつ第３の情報フィールドが、アップリンクデータが１つの送信時間内にアップリンクチャネル上で送信されるべきであるかどうかを示すために使用されることを決定すること
を行うようにさらに構成される。
【０３３２】
任意選択で、少なくとも１つの送信時間のうちの１つまたは複数は、０．５ｍｓ以下の期間である。
【０３３３】
同じ技術概念に基づいて、本発明の一実施形態は、ユーザ端末をさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
プロセッサ２１０は、第１の制御情報を検出するための第１の時間−周波数ドメインリソースに基づいて、第１の制御情報に含められる少なくとも１つの情報フィールドを決定するように構成され、
プロセッサ２１０は、少なくとも１つの情報フィールドに基づいて第１の制御情報のビットの量を決定するようにさらに構成され、
プロセッサ２１０は、第１の制御情報のビットの量に基づいて第１の時間−周波数ドメインリソース上で第１の制御情報を検出するようにさらに構成され、
トランシーバ２２０は、検出モジュールが第１の制御情報を検出した後に第１の制御情報を受信するように構成される。
【０３３４】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３３５】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３３６】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信された上位層シグナリングに基づいてユーザ端末によって決定されるかまたは事前に定義される。
【０３３７】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにトリガするために使用され、第３の時間領域は、受信される上位層シグナリングに基づいてユーザ端末によって決定されるかまたは事前に定義される。
【０３３８】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３３９】
同じ技術概念に基づいて、本発明の一実施形態は、ユーザ端末をさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
プロセッサ２１０は、第１の制御情報を受信するように構成され、第１の制御情報は少なくとも１つの情報フィールドを含み、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、Ｎ個の送信時間内に情報を受信するように指示するために使用され、および／またはＮ個の送信時間内に情報を送信するようにトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つまたはそれらの任意の組合せを含み、
プロセッサ２１０は、少なくとも１つの情報フィールドにおいて伝達される情報を取得するようにさらに構成される。
【０３４０】
任意選択で、少なくとも１つの情報フィールド内の第１の情報フィールドにおいて伝達される情報は、少なくとも１つの送信時間内に受信および／または送信される情報に対応する冗長バージョン情報を含み、プロセッサ２１０は、
第１の情報フィールドの少なくとも１つのビットのステータスを決定することと、
Ｍを決定することであって、少なくとも１つの送信時間がＭ個の送信時間であり、Ｍが１以上の正の整数である、決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することと
を行うようにさらに構成される。
【０３４１】
任意選択で、少なくとも１つの情報フィールド内の第２の情報フィールドにおいて伝達される情報はＮを含み、プロセッサ２１０は、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいて決定されるかまたは事前に定義される、決定することと
を行うようにさらに構成される。
【０３４２】
任意選択で、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、プロセッサ２１０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定すること、ならびに／または
Ｐが１に等しいとき、第３の情報フィールドが変調および符号化方式ＭＣＳ情報フィールドであることを決定し、かつ第３の情報フィールドにおいて伝達される情報が、アップリンクデータがＰ個の送信時間内にアップリンクチャネル上で送信されるべきであるかどうかを示すことを決定すること
を行うようにさらに構成される。
【０３４３】
任意選択で、少なくとも１つの送信時間のうちの１つまたは複数は、０．５ｍｓ以下の期間である。
【０３４４】
同じ技術概念に基づいて、本発明の一実施形態は、ユーザ端末をさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
トランシーバ２２０は、第１の制御情報を受信するように構成され、第１の制御情報は、少なくとも１つの送信時間内にアップリンクチャネルによって占有される時間−周波数リソースを示すために使用され、
プロセッサ２１０は、アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成され、
プロセッサ２１０は、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
プロセッサ２１０は、比情報に基づいて、アップリンクチャネル上でアップリンクデータを送信すべきかどうかを決定するようにさらに構成される。
【０３４５】
同じ技術概念に基づいて、本発明の一実施形態は、ネットワークデバイスをさらに提供する。図９に示されているように、ネットワークデバイスは、
第１の制御情報を送信するための第１の時間−周波数ドメインリソースに基づいて、第１の制御情報に含められる少なくとも１つの情報フィールドを決定するように構成された決定モジュール９１０であって、
決定モジュール９１０は、  少なくとも１つの情報フィールドに基づいて第１の制御情報のビットの量を決定するようにさらに構成された、決定モジュール９１０と、
第１の制御情報のビットの量に基づいて第１の時間−周波数ドメインリソース上で第１の制御情報をユーザ端末に送信するように構成された送信モジュール９２０と
を含む。
【０３４６】
決定モジュール９１０はプロセッサによって実装され得、送信モジュール９２０はトランシーバによって実装され得る。加えて、決定モジュール９１０は特に処理モジュールであり得、送信モジュール９２０は特にトランシーバモジュールであり得る。
【０３４７】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３４８】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３４９】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【０３５０】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、事前に定義されるかまたは構成される。
【０３５１】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３５２】
同じ技術概念に基づいて、本発明の一実施形態は、ネットワークデバイスをさらに提供する。図９に示されているように、ネットワークデバイスは、
第１の制御情報に含まれる少なくとも１つの情報フィールドを決定するように構成された決定モジュール９１０であって、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つまたはそれらの任意の組合せを含む、決定モジュール９１０と、
第１の制御情報をユーザ端末に送信するように構成された送信モジュール９２０と
を含む。
【０３５３】
決定モジュール９１０はプロセッサによって実装され得、送信モジュール９２０はトランシーバによって実装され得る。加えて、決定モジュール９１０は特に処理モジュールであり得、送信モジュール９２０は特にトランシーバモジュールであり得る。
【０３５４】
任意選択で、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
決定モジュール９１０は、
Ｍを決定することであって、少なくとも１つの送信時間がＭ個の送信時間であり、Ｍが１以上の正の整数である、決定することと、
Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定することと
を行うようにさらに構成される。
【０３５５】
任意選択で、少なくとも１つの情報フィールドは、第２の情報フィールドを含み、第２の情報フィールドにおいて伝達される情報はＮを含み、
決定モジュール９１０は、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定すること
を行うようにさらに構成される。
【０３５６】
任意選択で、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
決定モジュール９１０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、決定すること、ならびに／または
Ｐが１に等しいとき、第３の情報フィールドが変調および符号化方式ＭＣＳ情報フィールドであることを決定し、かつ第３の情報フィールドが、アップリンクデータが１つの送信時間内にアップリンクチャネル上で送信されるべきであるかどうかを示すために使用されることを決定すること
を行うようにさらに構成される。
【０３５７】
任意選択で、少なくとも１つの送信時間のうちの１つまたは複数は、０．５ｍｓ以下の期間である。
【０３５８】
同じ技術概念に基づいて、本発明の一実施形態は、ユーザ端末をさらに提供する。図１０に示されているように、ユーザ端末は、
第１の制御情報を検出するための第１の時間−周波数ドメインリソースに基づいて、第１の制御情報に含められる少なくとも１つの情報フィールドを決定するように構成された決定モジュール１０１０であって、
決定モジュール１０１０は、少なくとも１つの情報フィールドに基づいて第１の制御情報のビットの量を決定するようにさらに構成された、決定モジュール１０１０と、
第１の制御情報のビットの量に基づいて第１の時間−周波数ドメインリソース上で第１の制御情報を検出するように構成された検出モジュール１０２０と、
検出モジュールが第１の制御情報を検出した後に第１の制御情報を受信するように構成された受信モジュール１０３０と
を含む。
【０３５９】
決定モジュール１０１０および検出モジュール１０２０はプロセッサによって実装され得、受信モジュール１０３０はトランシーバによって実装され得る。加えて、決定モジュール１０１０および検出モジュール１０２０は特に処理モジュールであり得、受信モジュール１０３０は特にトランシーバモジュールであり得る。
【０３６０】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３６１】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３６２】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信された上位層シグナリングに基づいてユーザ端末によって決定されるかまたは事前に定義される。
【０３６３】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにトリガするために使用され、第３の時間領域は、受信される上位層シグナリングに基づいて決定されるかまたは事前に定義される。
【０３６４】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３６５】
同じ技術概念に基づいて、本発明の一実施形態は、ユーザ端末をさらに提供する。図１１に示されているように、ユーザ端末は、
第１の制御情報を受信するように構成された受信モジュール１１１０であって、第１の制御情報が少なくとも１つの情報フィールドを含み、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、Ｎ個の送信時間内に情報を受信するように指示するために使用され、および／またはＮ個の送信時間内に情報を送信するようにトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つのまたはそれらの任意の組合せを含む、受信モジュール１１１０と、
少なくとも１つの情報フィールドにおいて伝達される情報を取得するように構成された取得モジュール１１２０と
を含む。
【０３６６】
取得モジュール１１２０はプロセッサによって実装され得、受信モジュール１１１０はトランシーバによって実装され得る。加えて、受信モジュール１１１０は特に処理モジュールであり得、取得モジュール１１２０は特にトランシーバモジュールであり得る。
【０３６７】
任意選択で、少なくとも１つの情報フィールド内の第１の情報フィールドにおいて伝達される情報は、少なくとも１つの送信時間内に受信および／または送信される情報に対応する冗長バージョン情報を含み、取得モジュール１１２０は、
第１の情報フィールドの少なくとも１つのビットのステータスを決定することと、
Ｍを決定することであって、少なくとも１つの送信時間がＭ個の送信時間であり、Ｍが１以上の正の整数である、決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することと
を行うようにさらに構成される。
【０３６８】
任意選択で、少なくとも１つの情報フィールド内の第２の情報フィールドにおいて伝達される情報はＮを含み、取得モジュール１１２０は、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいて決定されるかまたは事前に定義される、決定することと
を行うようにさらに構成される。
【０３６９】
任意選択で、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、取得モジュール１１２０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定すること、ならびに／または
Ｐが１に等しいとき、第３の情報フィールドが変調および符号化方式ＭＣＳ情報フィールドであることを決定し、かつ第３の情報フィールドにおいて伝達される情報が、アップリンクデータがＰ個の送信時間内にアップリンクチャネル上で送信されるべきであるかどうかを示すことを決定すること
を行うようにさらに構成される。
【０３７０】
任意選択で、少なくとも１つの送信時間のうちの１つまたは複数は、０．５ｍｓ以下の期間である。
【０３７１】
同じ技術概念に基づいて、本発明の一実施形態は、ユーザ端末をさらに提供する。図１２に示されているように、ユーザ端末は、
第１の制御情報を受信するように構成された受信モジュール１２１０であって、第１の制御情報が、少なくとも１つの送信時間内にアップリンクチャネルによって占有される時間−周波数リソースを示すために使用される、受信モジュール１２１０と、
アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成された決定モジュール１２２０と
を含み、
決定モジュール１２２０は、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
決定モジュール１２２０は、比情報に基づいて、アップリンクチャネル上でアップリンクデータを送信すべきかどうかを決定するようにさらに構成される。
【０３７２】
決定モジュール１２２０はプロセッサによって実装され得、受信モジュール１２１０はトランシーバによって実装され得る。加えて、決定モジュール１２２０は特に処理モジュールであり得、受信モジュール１２１０は特にトランシーバモジュールであり得る。
【０３７３】
当業者は、本実施形態のステップの全部または一部が、ハードウェアまたは関係するハードウェアに指示するプログラムによって実装され得ることを理解されよう。プログラムはコンピュータ可読記憶媒体に記憶され得る。記憶媒体は、読取り専用メモリ、磁気ディスク、または光ディスクを含み得る。
【０３７４】
上記の説明は本発明の例示的な実施形態にすぎず、本発明を限定するものではない。本発明の趣旨および原理から逸脱することなく行われるどんな変更、均等な置換、および改善も、本発明の保護範囲内に入るものである。
【図１】
2019525641.tif 000009
【図２】
2019525641.tif 000010
【図３】
2019525641.tif 000011
【図４】
2019525641.tif 000012
【図５】
2019525641.tif 000013
【図６】
2019525641.tif 000014
【図７】
2019525641.tif 000015
【図８】
2019525641.tif 000016
【図９】
2019525641.tif 000017
【図１０】
2019525641.tif 000018
【図１１】
2019525641.tif 000019
【図１２】
2019525641.tif 000020
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
制御情報を送信するための方法であって、前記方法は、
ネットワークデバイスによって、第１の制御情報を送信するための第１の時間−周波数ドメインリソースに基づいて、前記第１の制御情報に含められる少なくとも１つの情報フィールドを決定するステップと、
前記ネットワークデバイスによって、前記少なくとも１つの情報フィールドに基づいて前記第１の制御情報のビットの量を決定するステップと、
前記ネットワークデバイスによって、前記第１の制御情報の前記ビットの量に基づいて前記第１の時間−周波数ドメインリソース上で前記第１の制御情報をユーザ端末に送信するステップとを含む方法。
【請求項２】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、前記第１の時間領域は、ダウンリンクサブフレーム内の最初の２つのシンボルが属する時間領域であるか、またはダウンリンクサブフレーム内の最初の３つのシンボルが属する時間領域であるか、または物理ダウンリンク制御チャネル（ＰＤＣＣＨ）領域である、請求項１に記載の方法。
【請求項３】
ダウンリンク制御チャネルによって占有される前記時間−周波数ドメインリソースは、送信時間においてＤＣＩを伝達する前記ダウンリンク制御チャネルによって占有されるＣＣＥを備え、前記送信時間は、０．５ｍｓ以下である、請求項２に記載の方法。
【請求項４】
前記第１の時間−周波数ドメインリソースは、０．５ｍｓ以下の送信時間内の時間−周波数ドメインリソースである、請求項１、２または３に記載の方法。
【請求項５】
前記第１の時間−周波数ドメインリソースが第１の時間領域内であるとき、前記第１の制御情報の情報ドメインは、第２の情報ドメインを備えず、前記第１の時間領域は、ダウンリンクサブフレーム内の最初の２つのシンボルが属する時間領域であるか、またはダウンリンクサブフレーム内の最初の３つのシンボルが属する時間領域であるか、またはＰＤＣＣＨ領域である、請求項１に記載の方法。
【請求項６】
前記第１の時間−周波数ドメインリソースは、前記ＰＤＣＣＨ領域内の時間−周波数ドメインリソース、前記ダウンリンクサブフレーム内の前記最初の２つのシンボルが属する前記時間領域内の時間−周波数ドメインリソース、および前記ダウンリンクサブフレーム内の前記最初の３つのシンボルが属する前記時間領域内の時間−周波数ドメインリソースの３つのうちの少なくとも１つを含む、請求項５に記載の方法。
【請求項７】
制御情報を検出するための方法であって、前記方法は、
ユーザ端末によって、第１の制御情報を検出するための第１の時間−周波数ドメインリソースに基づいて、前記第１の制御情報に含められる少なくとも１つの情報フィールドを決定するステップと、
前記ユーザ端末によって、前記少なくとも１つの情報フィールドに基づいて前記第１の制御情報のビットの量を決定するステップと、
前記ユーザ端末によって、前記第１の制御情報の前記ビットの量に基づいて前記第１の時間−周波数ドメインリソース上で前記第１の制御情報を検出するステップと、
前記ユーザ端末によって、前記第１の制御情報を検出した後に前記第１の制御情報を受信するステップとを含む方法。
【請求項８】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、前記第１の時間領域は、ダウンリンクサブフレーム内の最初の２つのシンボルが属する時間領域であるか、またはダウンリンクサブフレーム内の最初の３つのシンボルが属する時間領域であるか、または物理ダウンリンク制御チャネル（ＰＤＣＣＨ）領域である、請求項７に記載の方法。
【請求項９】
ダウンリンク制御チャネルによって占有される前記時間−周波数ドメインリソースは、送信時間においてＤＣＩを伝達する前記ダウンリンク制御チャネルによって占有されるＣＣＥを備え、前記送信時間は、０．５ｍｓ以下である、請求項８に記載の方法。
【請求項１０】
前記第１の時間−周波数ドメインリソースは、０．５ｍｓ以下の送信時間内の時間−周波数ドメインリソースである、請求項７、８または９に記載の方法。
【請求項１１】
前記第１の時間−周波数ドメインリソースが第１の時間領域内であるとき、前記第１の制御情報の情報ドメインは、第２の情報ドメインを備えず、前記第１の時間領域は、ダウンリンクサブフレーム内の最初の２つのシンボルが属する時間領域であるか、またはダウンリンクサブフレーム内の最初の３つのシンボルが属する時間領域であるか、またはＰＤＣＣＨ領域である、請求項７に記載の方法。
【請求項１２】
前記第１の時間−周波数ドメインリソースは、前記ＰＤＣＣＨ領域内の時間−周波数ドメインリソース、前記ダウンリンクサブフレーム内の前記最初の２つのシンボルが属する前記時間領域内の時間−周波数ドメインリソース、および前記ダウンリンクサブフレーム内の前記最初の３つのシンボルが属する前記時間領域内の時間−周波数ドメインリソースの３つのうちの少なくとも１つを含む、請求項１１に記載の方法。
【請求項１３】
ネットワークデバイスであって、前記ネットワークデバイスは、
第１の制御情報を送信するための第１の時間−周波数ドメインリソースに基づいて、前記第１の制御情報に含められる少なくとも１つの情報フィールドを決定するように構成された決定モジュールであって、
前記少なくとも１つの情報フィールドに基づいて前記第１の制御情報のビットの量を決定するようにさらに構成された決定モジュールと、
前記第１の制御情報の前記ビットの量に基づいて前記第１の時間−周波数ドメインリソース上で前記第１の制御情報をユーザ端末に送信するように構成された送信モジュールとを備えるネットワークデバイス。
【請求項１４】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、前記第１の時間領域は、ダウンリンクサブフレーム内の最初の２つのシンボルが属する時間領域であるか、またはダウンリンクサブフレーム内の最初の３つのシンボルが属する時間領域であるか、または物理ダウンリンク制御チャネル（ＰＤＣＣＨ）領域である、請求項１３に記載のネットワークデバイス。
【請求項１５】
ダウンリンク制御チャネルによって占有される前記時間−周波数ドメインリソースは、送信時間においてＤＣＩを伝達する前記ダウンリンク制御チャネルによって占有されるＣＣＥを備え、前記送信時間は、０．５ｍｓ以下である、請求項１４に記載のネットワークデバイス。
【請求項１６】
前記第１の時間−周波数ドメインリソースは、０．５ｍｓ以下の送信時間内の時間−周波数ドメインリソースである、請求項１３、１４または１５に記載のネットワークデバイス。
【請求項１７】
前記第１の時間−周波数ドメインリソースが第１の時間領域内であるとき、前記第１の制御情報の情報ドメインは、第２の情報ドメインを備えず、前記第１の時間領域は、ダウンリンクサブフレーム内の最初の２つのシンボルが属する時間領域であるか、またはダウンリンクサブフレーム内の最初の３つのシンボルが属する時間領域であるか、またはＰＤＣＣＨ領域である、請求項１３に記載のネットワークデバイス。
【請求項１８】
前記第１の時間−周波数ドメインリソースは、前記ＰＤＣＣＨ領域内の時間−周波数ドメインリソース、前記ダウンリンクサブフレーム内の前記最初の２つのシンボルが属する前記時間領域内の時間−周波数ドメインリソース、および前記ダウンリンクサブフレーム内の前記最初の３つのシンボルが属する前記時間領域内の時間−周波数ドメインリソースの３つのうちの少なくとも１つを含む、請求項１７に記載のネットワークデバイス。
【請求項１９】
ユーザ端末であって、前記ユーザ端末は、
第１の制御情報を検出するための第１の時間−周波数ドメインリソースに基づいて、前記第１の制御情報に含められる少なくとも１つの情報フィールドを決定するように構成された決定モジュールであって、
前記少なくとも１つの情報フィールドに基づいて前記第１の制御情報のビットの量を決定するようにさらに構成された決定モジュールと、
前記第１の制御情報の前記ビットの量に基づいて前記第１の時間−周波数ドメインリソース上で前記第１の制御情報を検出するように構成された検出モジュールと、
前記検出モジュールが前記第１の制御情報を検出した後に前記第１の制御情報を受信するように構成された受信モジュールとを備えるユーザ端末。
【請求項２０】
前記第１の時間−周波数ドメインリソースが第１の時間領域を超える時間−周波数ドメインリソースであるとき、前記少なくとも１つの情報フィールドは第２の情報フィールドを含み、前記第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、前記第１の時間領域は、ダウンリンクサブフレーム内の最初の２つのシンボルが属する時間領域であるか、またはダウンリンクサブフレーム内の最初の３つのシンボルが属する時間領域であるか、または物理ダウンリンク制御チャネル（ＰＤＣＣＨ）領域である、請求項１９に記載のユーザ端末。
【請求項２１】
ダウンリンク制御チャネルによって占有される前記時間−周波数ドメインリソースは、送信時間においてＤＣＩを伝達する前記ダウンリンク制御チャネルによって占有されるＣＣＥを備え、前記送信時間は、０．５ｍｓ以下である、請求項２０に記載のユーザ端末。
【請求項２２】
前記第１の時間−周波数ドメインリソースは、０．５ｍｓ以下の送信時間内の時間−周波数ドメインリソースである、請求項１９、２０または２１に記載のユーザ端末。
【請求項２３】
前記第１の時間−周波数ドメインリソースが第１の時間領域内であるとき、前記第１の制御情報の情報ドメインは、第２の情報ドメインを備えず、前記第１の時間領域は、ダウンリンクサブフレーム内の最初の２つのシンボルが属する時間領域であるか、またはダウンリンクサブフレーム内の最初の３つのシンボルが属する時間領域であるか、またはＰＤＣＣＨ領域である、請求項１９に記載のユーザ端末。
【請求項２４】
前記第１の時間−周波数ドメインリソースは、前記ＰＤＣＣＨ領域内の時間−周波数ドメインリソース、前記ダウンリンクサブフレーム内の前記最初の２つのシンボルが属する前記時間領域内の時間−周波数ドメインリソース、および前記ダウンリンクサブフレーム内の前記最初の３つのシンボルが属する前記時間領域内の時間−周波数ドメインリソースの３つのうちの少なくとも１つを含む、請求項２３に記載のユーザ端末。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、詳細には、制御情報を送信するための方法、装置、およびシステムに関する。
【背景技術】
【０００２】
通信技術の発展とともに、ロングタームエボリューション（ＬＴＥ、Ｌｏｎｇ  Ｔｅｒｍ  Ｅｖｏｌｕｔｉｏｎ）システムがより広く適用されている。ＬＴＥシステムでは、様々な物理チャネル上のデータが１ｍｓのＴＴＩ（Ｔｒａｎｓｍｉｓｓｉｏｎ  Ｔｉｍｅ  Ｉｎｔｅｒｖａｌ、送信時間間隔）に基づいて送信されることがある。ＬＴＥシステムではショートＴＴＩデータ送信機構がさらに設定されて、データ送信遅延を短縮し、データ送信効率を向上させている。ショートＴＴＩの期間は、１サブフレームまたは１ｍｓよりも短く、たとえば、０．５ｍｓまたは０．２５ｍｓであることがある。
【０００３】
ＬＴＥシステムでは、ネットワークデバイスは、情報をＡ  ＴＴＩでＵＥ（Ｕｓｅｒ  Ｅｑｕｉｐｍｅｎｔ、ユーザ端末）に送信するか、または情報をＡ  ＴＴＩで送信するようＵＥに指示する際、制御情報をＡ  ＴＴＩで送信する。ここで、Ａは、１以上の正の整数である。たとえば、制御情報は、ＤＣＩ（Ｄｏｗｎｌｉｎｋ  Ｃｏｎｔｒｏｌ  Ｉｎｆｏｒｍａｔｉｏｎ、ダウンリンク制御情報）であることがある。制御情報は、ＣＳＩ（Ｃｈａｎｎｅｌ  Ｓｔａｔｅ  Ｉｎｆｏｒｍａｔｉｏｎ、チャネル状態情報）指示情報およびＳＲＳ（Ｓｏｕｎｄｉｎｇ  Ｒｅｆｅｒｅｎｃｅ  Ｓｉｇｎａｌ、サウンディング参照信号）要求情報などの複数のサブ情報を含むことがある。
【０００４】
制御情報には、ＳＲＳ要求情報などの１つのサブ情報が常に存在することがある。しかし、ＴＴＩが短縮された後、制御情報はより頻繁に出現することがある。この場合、制御情報中のあるサブ情報は冗長であることがある。冗長なサブ情報は、制御情報によって占有されるシステムリソースのオーバーヘッドを増大させ、データ送信効率を低下させる。
【発明の概要】
【０００５】
従来技術における問題を解決するために、本発明の実施形態は、制御情報を送信するための方法、装置、およびシステムを提供する。次のように技術的解決手段が与えられる。
【０００６】
第１の態様によれば、制御情報を送信するための方法が提供される。この方法では、ネットワークデバイスが、第１の制御情報を送信するための第１の時間−周波数ドメインリソースに基づいて、第１の制御情報に含められる少なくとも１つの情報フィールドを決定し、ネットワークデバイスは、少なくとも１つの情報フィールドに基づいて第１の制御情報のビットの量を決定し、次いで、ネットワークデバイスは、第１の制御情報のビットの量に基づいて第１の時間−周波数ドメインリソース上で第１の制御情報をユーザ端末に送信する。
【０００７】
ネットワークデバイスによってユーザ端末に送信されるビットの総量は、第１の制御情報のビットの量以上であってもよい。
【０００８】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０００９】
第１の情報フィールドにおいて伝達される情報は、フォーマット識別指示情報またはＴＴＩ期間指示情報を含む。少なくとも２つの制御情報フォーマットは、１ｍｓのＴＴＩを示す制御情報フォーマットと１ｍｓよりも短いＴＴＩのフォーマットとを含んでもよく、または少なくとも２つの制御情報フォーマットは、第１の制御情報フォーマットと第２の制御情報フォーマットとを含んでもよい。少なくとも２つの時間長は、１ｍｓの期間と１ｍｓよりも短い期間とを含んでもよい。ここで、期間は、ユーザ端末がこの期間内で情報を受信するかまたは情報を送信することを示してもよい。
【００１０】
第１の時間−周波数ドメインリソースが第１の時間領域内にないとき、たとえば、第１の時間−周波数ドメインリソースが、０．５ｍｓ以下の送信時間内の時間−周波数ドメインリソースであるとき、第１の制御情報の情報フィールドは、第１の情報フィールドにおいて伝達される情報を含まないことがある。
【００１１】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００１２】
第２の情報フィールドにおいて伝達される情報は、ダウンリンクデータチャネルのリソース使用状況を示す情報である。ダウンリンク制御チャネルによって占有される時間−周波数ドメインリソースは、送信時間内にＤＣＩを伝達するためにダウンリンク制御チャネルによって占有される制御チャネル要素（Ｃｏｎｔｒｏｌ  Ｃｈａｎｎｅｌ  Ｅｌｅｍｅｎｔ、ＣＣＥ）、または送信時間においてダウンリンク制御チャネルによって占有されるリソースブロックＲＢ、または送信時間においてダウンリンク制御チャネルによって占有されるリソース要素ＲＥを含んでもよい。ダウンリンク制御チャネルによって占有されない時間−周波数ドメインリソースは、送信時間内にＤＣＩを伝達するためにダウンリンク制御チャネルによって占有されないＣＣＥ、または送信時間においてダウンリンク制御チャネルによって占有されないリソースブロックＲＢ、または送信時間においてダウンリンク制御チャネルによって占有されないリソース要素ＲＥを含んでもよい。ダウンリンクデータチャネルによって占有される時間−周波数ドメインリソースは、送信時間内にダウンリンクデータチャネルによって占有されるリソースブロックＲＢ、または送信時間においてダウンリンクデータチャネルによって占有されるリソース要素ＲＥを含んでもよい。送信時間は、２シンボル送信時間、０．５ｍｓ以下の送信時間、または１ｍｓの送信時間であってもよい。
【００１３】
第１の時間−周波数ドメインリソースが第１の時間領域を超える時間−周波数ドメインリソースであることは、第１の時間−周波数ドメインリソースが、０．５ｍｓ以下の送信時間内の時間−周波数ドメインリソースであることを含む。第１の時間−周波数ドメインリソースが第１の時間領域内であるとき、第１の制御情報の情報フィールドは、第２の情報フィールドにおいて伝達される情報を含まなくてもよい。
【００１４】
別の考えられる設計では、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、ネットワークデバイスによって構成されるかまたは事前に定義される。
【００１５】
第３の情報フィールドにおいて伝達される情報は、ＳＲＳ要求情報を含む。
【００１６】
ネットワークデバイスは、第１の制御情報の情報フィールドが第３の情報フィールドを含むことがあることを決定した後、ユーザ端末がサウンディング参照信号ＳＲＳを送信するようにトリガされるかどうかに応じて第３の情報フィールドのビットのステータスを設定してもよい。第１の時間−周波数ドメインリソースが第２の時間領域内ではないとき、第１の制御情報の情報フィールドは、第３の情報フィールドにおいて伝達される情報を含まなくてもよい。
【００１７】
別の考えられる設計では、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、ネットワークデバイスによって構成されるかまたは事前に定義される。
【００１８】
第４の情報フィールドにおいて伝達される情報は、チャネル状態ＣＳＩ指示情報を含む。
【００１９】
ネットワークデバイスは、第１の制御情報の情報フィールドが第４の情報フィールドを含むことがあることを決定した後、ユーザ端末がチャネル品質情報ＣＳＩを送信するようにトリガされるかどうかに応じて第４の情報フィールドのビットのステータスを設定してもよい。第１の時間−周波数ドメインリソースが第３の時間領域内ではないとき、第１の制御情報の情報フィールドは、第４の情報フィールドにおいて伝達される情報を含まなくてもよい。
【００２０】
第３の時間領域は、ＰＤＣＣＨ領域などの、固定された時間領域または事前に定義された時間領域である。このことはこの実施形態では限定されない。
【００２１】
代替として、第３の時間領域は、ネットワークデバイスによってユーザ端末のＣＳＩ指示情報を受信した以前の時間に基づいて決定されてもよい。
【００２２】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００２３】
第２の態様によれば、制御情報を送信するための方法が提供される。この方法では、ネットワークデバイスが、第１の制御情報に含まれる少なくとも１つの情報フィールドを決定し、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含み、
ネットワークデバイスは、第１の制御情報をユーザ端末に送信する。
【００２４】
ネットワークデバイスは、従来技術における解決手段を使用して、第１の制御情報に含まれる情報フィールドを決定してもよく、または本発明において提供される解決手段を使用して、第１の制御情報に含まれる情報フィールドを決定してもよい。
【００２５】
別の考えられる設計では、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
この方法は、ネットワークデバイスが、第１の制御情報をユーザ端末に送信する前に、
ネットワークデバイスが、Ｍを決定することであって、少なくとも１つの送信時間がＭ個の送信時間であり、Ｍが１以上の正の整数である、Ｍを決定することと、
ネットワークデバイスが、Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定することとをさらに含む。
【００２６】
Ｍは、第１の制御情報または他の制御情報に基づいてネットワークデバイスによって決定されてもよく、またはネットワークデバイスによってユーザ端末に送信される上位層シグナリングに基づいて決定されてもよく、ユーザ機器のトラフィック量に基づいてネットワークデバイスによってユーザ機器に割り振られてもよく、またはネットワークデバイス自体によって決定されてもよい。第１の情報フィールドのビットの量は、第１の情報フィールドに含まれる情報のビットの量または第１の情報フィールドに含まれるビットの量である。
【００２７】
ネットワークデバイスは、送信時間の数と、第１の情報フィールドのビットの量と、第１の情報フィールドのビットのステータスと、少なくとも１つの送信時間内に受信および／または送信される情報に対応する冗長バージョン情報との対応を事前に記憶してもよい。ネットワークデバイスは、対応、Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定してもよい。Ｍ個の送信時間は、連続していてもまたは不連続であってもよい。
【００２８】
対応は、具体的には次のように定められてもよい。第１の情報フィールドのビットの量がＸであるとき、Ｘの値が上位層シグナリングに基づいて構成されるか、固定されるか、または事前に定義されることがある場合、ネットワークデバイスは、Ｘの値とＭの値との関係に基づいて冗長バージョンを示すビットの量を決定し、Ｍ個の送信時間内に受信および／または送信される情報に対応する冗長バージョン情報に基づいて第１の情報フィールドの少なくとも１つのビットのステータスをさらに決定してもよい。次のように３つのケースが含められる。
【００２９】
（１）ＭがＸよりも大きいとき、Ｘにおける１つのビットが、冗長バージョンの種類を示すために使用され、少なくとも１つのビットの１つの状態が、少なくとも２つの送信時間内の１つの冗長バージョンに対応する。
【００３０】
（２）ＭがＸよりも小さく、Ｍが事前に設定された第１のしきい値よりも大きいとき、Ｘにおける各ビットの１つの状態が、最大で１ＴＴＩの冗長バージョンに対応する。事前に設定された第１のしきい値は、正の整数であり、Ｘ／２またはＸ／３を切り捨てることによって得られてもよい。このことはこの実施形態では限定されない。
【００３１】
（３）Ｍが事前に設定された第１のしきい値以下であるとき、ｉビットごとの１つの状態が、最大で１ＴＴＩの冗長バージョンに対応する。事前に設定された第１のしきい値は、正の整数であり、Ｘ／ｉを切り捨てることによって得られてもよく、ここで、ｉは１以上の正の整数である。
【００３２】
別の考えられる設計では、少なくとも１つの情報フィールドは、第２の情報フィールドを含み、第２の情報フィールドにおいて伝達される情報はＮを含み、
この方法は、ネットワークデバイスが第１の制御情報をユーザ端末に送信する前に、
ネットワークデバイスが、Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、ステータスを決定することをさらに含む。
【００３３】
第２の情報フィールドのビットの量は固定されてもよくまたは事前に定義されてもよい。これに応じて、第２の情報フィールドによって示されることがある送信時間の量セットにおける要素の数は、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成されるかまたは事前に定義される。
【００３４】
代替として、第２の情報フィールドのビットの量は可変である。ネットワークデバイスは、スケジュールされた送信時間の期間に基づいて第２の情報フィールドのビットの量を決定し、次いで、Ｎおよび第１の対応に基づいて第２の情報フィールドの少なくとも１つのビットのステータスを決定してもよい。
【００３５】
別の考えられる設計では、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
この方法は、ネットワークデバイスが第１の制御情報をユーザ端末に送信する前に、
ネットワークデバイスが、Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいとき、ネットワークデバイスが、第３の情報フィールドがＫビットの情報フィールドであることを決定することであって、第３の情報フィールドが、アップリンクデータがＰ個の送信時間内のＫ個の送信時間内にアップリンクチャネル上で送信されるべきであることを示すために使用され、Ｋが、１以上でＰ以下の正の整数であり、すなわち、第３の情報フィールドが、アップリンクデータがＫ個の送信時間の一部においてアップリンクチャネル上で送信されるべきであり、かつＫ個の送信時間の他の部分ではアップリンクチャネル上でアップリンクデータが送信されるべきではないことを示すために使用されることがある、Ｐが１よりも大きいときの決定を行うこと、ならびに／または
Ｐが１に等しいとき、ネットワークデバイスが、第３の情報フィールドが変調および符号化方式ＭＣＳ情報フィールドであり、第３の情報フィールドが、アップリンクデータが１つの送信時間内にアップリンクチャネル上で送信されるべきであることを示すために使用されることを決定することであって、ＭＣＳ情報フィールドのビットの状態２９が、送信時間内のアップリンクチャネル上ではアップリンクデータが送信されるべきではないことを示すために使用されることがある、Ｐが１に等しいときの決定を行うことをさらに含む。
【００３６】
ネットワークデバイスはＰと１を比較する。
【００３７】
別の考えられる設計では、少なくとも１つの送信時間のうちの１つまたは複数は、０．５ｍｓ以下の期間である。
【００３８】
さらに、この実施形態は、制御情報を送信するための方法を提供する。この方法のための処理手順は次のように行われてもよい。ネットワークデバイスが、第１の制御情報を送信する。ここで、第１の制御情報は、第１の期間を有する少なくとも１つの送信時間におけるユーザ端末のスケジューリング情報の指示を含み、スケジューリング情報は、送信時間内に情報を受信するようにユーザ端末をトリガし、および／またはユーザ端末がＰ個の送信時間内に情報を送信すべきであることを示すために使用され、第１の期間は、０．５ｍｓ以下の期間である。ネットワークデバイスが、第２の制御情報を送信する。ここで、第２の制御情報は、少なくとも１つの送信時間のうちの１つにおいてアップリンクチャネル上でアップリンクデータが送信されるべきであるかどうかを示すために使用される。
【００３９】
この方法では、第１の制御情報を送信した後で、ネットワークデバイスは、１つの制御情報（すなわち、第２の制御情報）を別個に送信し、ユーザ端末がアップリンクデータを少なくとも１つの送信時間内にアップリンクチャネル上で送信すべきであるかどうかを示す。
【００４０】
第３の態様によれば、制御情報を検出するための方法が提供される。この方法では、ユーザ端末が、第１の制御情報を検出するための第１の時間−周波数ドメインリソースに基づいて、第１の制御情報に含められる少なくとも１つの情報フィールドを決定し、ユーザ端末が、少なくとも１つの情報フィールドに基づいて第１の制御情報のビットの量を決定し、次いで、第１の制御情報のビットの量に基づいて第１の時間−周波数ドメインリソース上で第１の制御情報を検出し、ユーザ端末が、第１の検出情報を検出した後に第１の制御情報を受信する。
【００４１】
ネットワークデバイスによってユーザ端末に送信されるビットの総量は、第１の制御情報のビットの量以上であってもよい。
【００４２】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００４３】
第１の情報フィールドにおいて伝達される情報は、フォーマット識別指示情報またはＴＴＩ期間指示情報を含む。少なくとも２つの制御情報フォーマットは、１ｍｓのＴＴＩを示す制御情報フォーマットと１ｍｓよりも短いＴＴＩのフォーマットとを含んでもよく、または少なくとも２つの制御情報フォーマットは、第１の制御情報フォーマットと第２の制御情報フォーマットとを含んでもよい。少なくとも２つの時間長は、１ｍｓの期間と１ｍｓよりも短い期間とを含んでもよい。ここで、期間は、ユーザ端末がこの期間内で情報を受信するかまたは情報を送信することを示してもよい。
【００４４】
第１の時間−周波数ドメインリソースが第１の時間領域内にないとき、たとえば、第１の時間−周波数ドメインリソースが、０．５ｍｓ以下の送信時間内の時間−周波数ドメインリソースであるとき、第１の制御情報の情報フィールドは、第１の情報フィールドにおいて伝達される情報を含まないことがある。
【００４５】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００４６】
第２の情報フィールドにおいて伝達される情報は、ダウンリンクデータチャネルのリソース使用状況を示す情報である。ダウンリンク制御チャネルによって占有される時間−周波数ドメインリソースは、送信時間内にＤＣＩを伝達するためにダウンリンク制御チャネルによって占有されるＣＣＥ、または送信時間においてダウンリンク制御チャネルによって占有されるリソースブロックＲＢ、または送信時間においてダウンリンク制御チャネルによって占有されるリソース要素ＲＥを含んでもよい。ダウンリンク制御チャネルによって占有されない時間−周波数ドメインリソースは、送信時間内にＤＣＩを伝達するためにダウンリンク制御チャネルによって占有されないＣＣＥ、または送信時間においてダウンリンク制御チャネルによって占有されないリソースブロックＲＢ、または送信時間においてダウンリンク制御チャネルによって占有されないリソース要素ＲＥを含んでもよい。ダウンリンクデータチャネルによって占有される時間−周波数ドメインリソースは、送信時間内にダウンリンクデータチャネルによって占有されるリソースブロックＲＢ、または送信時間においてダウンリンクデータチャネルによって占有されるリソース要素ＲＥを含んでもよい。
【００４７】
第１の時間−周波数ドメインリソースが第１の時間領域を超える時間−周波数ドメインリソースであることは、第１の時間−周波数ドメインリソースが、０．５ｍｓ以下の送信時間内の時間−周波数ドメインリソースであることを含む。第１の時間−周波数ドメインリソースが第１の時間領域内であるとき、第１の制御情報の情報フィールドは、第２の情報フィールドにおいて伝達される情報を含まなくてもよい。
【００４８】
別の考えられる設計では、第１の時間−周波数ドメインリソースが、第２の時間領域内の時間−周波数ドメインリソースであるとき、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【００４９】
第３の情報フィールドにおいて伝達される情報は、ＳＲＳ要求情報を含む。
【００５０】
ユーザ端末は、第１の制御情報の情報フィールドが第３の情報フィールドにおいて伝達される情報を含むことがあると決定した後、第３の情報フィールドのビットのステータスに基づいて、サウンディング参照情報ＳＲＳを送信すべきかどうかを決定してもよい。第１の時間−周波数ドメインリソースが第２の時間領域内ではないとき、ユーザ端末は、第１の制御情報の情報フィールドが、第３の情報フィールドにおいて伝達される情報を含まないと決定してもよい。
【００５１】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、受信される上位層シグナリングに基づいてユーザ端末によって決定されるかまたは事前に定義される。
【００５２】
第４の情報フィールドにおいて伝達される情報は、周期的チャネル状態ＣＳＩ指示情報を含む。
【００５３】
ユーザ端末は、第１の制御情報の情報フィールドが第４の情報フィールドを含むことがあると決定した後、第４の情報フィールドのビットのステータスに基づいて、チャネル品質情報ＣＳＩを送信すべきかどうかを決定してもよい。第１の時間−周波数ドメインリソースが第３の時間領域内ではないとき、ユーザ端末は、第１の制御情報の情報フィールドが、第４の情報フィールドにおいて伝達される情報を含まないと決定してもよい。具体的には、第１の制御情報の情報フィールドは、第４の情報フィールドを含まなくてもよく、または第１の制御情報の情報フィールドは、第４の情報フィールドを含むが、第４の情報フィールドは、チャネル品質情報ＣＳＩを送信するようにユーザ端末をトリガするために使用される情報を伝達せず、または第１の制御情報の情報フィールドは、第４の情報フィールドを含むが、ユーザ端末は、第４の情報フィールドにおいて伝達され、チャネル品質情報ＣＳＩを送信するようにユーザ端末をトリガするために使用される情報を受信しない。第４の情報フィールドのビットの量は、ユーザ端末によって決定されてもよく、または事前に定義されてもよい。
【００５４】
第３の時間領域は、ＰＤＣＣＨ領域などの、固定された時間領域または事前に定義された時間領域である。このことはこの実施形態では限定されない。
【００５５】
代替として、第３の時間領域は、ネットワークデバイスによってユーザ端末のＣＳＩ指示情報を受信した以前の時間に基づいて決定されてもよい。
【００５６】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００５７】
第４の態様によれば、制御情報を検出するための方法が提供される。この方法では、ユーザ端末が、第１の制御情報を受信し、第１の制御情報は少なくとも１つの情報フィールドを含み、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含み、
ユーザ端末は、少なくとも１つの情報フィールドにおいて伝達される情報を取得する。
【００５８】
ユーザ端末は、従来技術における解決手段を使用して、第１の制御情報に含まれる情報フィールドを決定してもよく、または本発明において提供される解決手段を使用して、第１の制御情報に含まれる情報フィールドを決定してもよい。
【００５９】
考えられる設計では、少なくとも１つの情報フィールド内の第１の情報フィールドにおいて伝達される情報は、少なくとも１つの送信時間内に受信および／または送信される情報に対応する冗長バージョン情報を含み、ユーザ端末が少なくとも１つの情報フィールドにおいて伝達される情報を取得することは、
ユーザ端末が第１の情報フィールドの少なくとも１つのビットのステータスを決定することと、
ユーザ端末が、Ｍを決定することであって、少なくとも１つの送信時間がＭ個の送信時間であり、Ｍが１以上の正の整数である、Ｍを決定することと、
ユーザ端末が、第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することとを含む。
【００６０】
Ｍは、ユーザ端末がＭ個の送信時間内に情報を受信すべきであることを示し、および／またはＭ個の送信時間内に情報を送信するようにユーザ端末をトリガするために使用される。Ｍは、第１の制御情報または他の制御情報に基づいてユーザ端末によって決定されてもよく、またはネットワークデバイスによってユーザ端末に送信される上位層シグナリングに基づいて決定されてもよく、またはユーザ端末のトラフィック量に基づいてネットワークデバイスによってユーザ機器に割り振られてもよい。Ｍ個の送信時間は、連続していてもまたは不連続であってもよい。このことはこの実施形態では限定されない。
【００６１】
ユーザ端末は、送信時間の数と、第１の情報フィールドのビットの量と、第１の情報フィールドのビットのステータスと、少なくとも１つの送信時間内に受信および／または送信される情報に対応する冗長バージョン情報との対応を事前に記憶してもよい。ユーザ端末は、対応、Ｍ、第１の情報フィールドのビットの量、および少なくとも１つのビットのステータスに基づいて、Ｍ個の送信時間内に受信および／または送信される情報に対応する冗長バージョン情報を決定してもよい。
【００６２】
対応は、具体的には次のように定められてもよい。第１の情報フィールドのビットの量がＸであるとき、Ｘの値が上位層シグナリングに基づいて構成されるか、固定されるか、または事前に定義されることがある場合、ユーザ端末は、Ｘの値とＭの値との関係に基づいて冗長バージョンを示すビットの量を決定し、Ｍ個の送信時間内に受信および／または送信される情報に対応する冗長バージョン情報に基づいて第１の情報フィールドの少なくとも１つのビットのステータスをさらに決定してもよい。次のように３つのケースが含められる。
【００６３】
（１）ＭがＸよりも大きいとき、Ｘにおける１つのビットが、冗長バージョンの種類を示すために使用され、少なくとも１つのビットの１つの状態が、少なくとも２つの送信時間内の１つの冗長バージョンに対応する。
【００６４】
（２）ＭがＸよりも小さく、Ｍが事前に設定された第１のしきい値よりも大きいとき、Ｘにおける各ビットの１つの状態は、最大で１ＴＴＩの冗長バージョンに対応する。事前に設定された第１のしきい値は、正の整数であり、Ｘ／２またはＸ／３を切り捨てることによって得られてもよい。このことはこの実施形態では限定されない。
【００６５】
（３）Ｍが事前に設定された第１のしきい値以下であるとき、ｉビットごとの１つの状態が、最大で１ＴＴＩの冗長バージョンに対応する。事前に設定された第１のしきい値は、正の整数であり、Ｘ／ｉを切り捨てることによって得られてもよく、ここで、ｉは１以上の正の整数である。
【００６６】
別の考えられる設計では、少なくとも１つの情報フィールド内の第２の情報フィールドにおいて伝達される情報はＮを含み、ユーザ端末が少なくとも１つの情報フィールドにおいて伝達される情報を取得することは、
ユーザ端末が、第２の情報フィールドの少なくとも１つのビットのステータスを決定することと、
ユーザ端末が、第１の対応および第２の情報フィールドの少なくとも１つのビットのステータスに基づいて、Ｎを決定することであって、第１の対応が、少なくとも１つのビットのステータスとＮとの間の対応であり、第１の対応が、ユーザ端末によって、受信される上位層シグナリングに基づいて決定されるか、または事前に定義される、Ｎを決定することとを含む。
【００６７】
第２の情報フィールドのビットの量は固定されてもよくまたは事前に定義されてもよい。これに応じて、第２の情報フィールドによって示されることがある送信時間の量セットにおける要素の数は、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成されるかまたは事前に定義される。
【００６８】
代替として、第２の情報フィールドのビットの量は可変である。ユーザ端末は、スケジュールされた送信時間の期間に基づいて第２の情報フィールドのビットの量を決定し、次いで、Ｎおよび第１の対応に基づいて第２の情報フィールドの少なくとも１つのビットのステータスを決定してもよい。
【００６９】
別の考えられる設計では、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、ユーザ端末が少なくとも１つの情報フィールドにおいて伝達される情報を取得することは、
ユーザ端末が、Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいとき、ユーザ端末が、第３の情報フィールドがＫビットの情報フィールドであると決定することであって、第３の情報フィールドにおいて伝達される情報が、アップリンクデータがＰ個の送信時間内のＫ個の送信時間内にアップリンクチャネル上で送信されるべきであるかどうかを示し、すなわち、第３の情報フィールドが、アップリンクデータがＫ個の送信時間の一部においてアップリンクチャネル上で送信されるべきであり、かつＫ個の送信時間の他の部分ではアップリンクチャネル上でアップリンクデータが送信されるべきではないことを示すために使用されることがある、Ｐが１よりも大きいときの決定を行うこと、ならびに／または
Ｐが１に等しいとき、ユーザ端末が、第３の情報フィールドが変調および符号化方式ＭＣＳ情報フィールドであり、第３の情報フィールドにおいて伝達される情報が、アップリンクデータがＰ個の送信時間内にアップリンクチャネル上で送信されるべきであるかどうかを示し、ＭＣＳ情報フィールドのビットの状態２９が、送信時間内のアップリンクチャネル上ではアップリンクデータが送信されるべきではないことを示すために使用されることがある、Ｐが１に等しいときの決定を行うことを含む。
【００７０】
ユーザ端末は、Ｐと１を比較し、Ｐは、Ｎと同じであってもよく、またはＮと異なってもよい。
【００７１】
別の考えられる設計では、少なくとも１つの送信時間のうちの１つまたは複数は、０．５ｍｓ以下の期間である。
【００７２】
第５の態様によれば、制御情報を検出するための方法が提供される。この方法では、ユーザ端末が、第１の制御情報を受信し、この場合、第１の制御情報は、少なくとも１つの送信時間においてアップリンクチャネルによって占有される時間−周波数リソースを示すために使用される。ユーザ端末は、アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定し、ユーザ端末は、比情報を決定し、この場合、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、ユーザ端末は、比情報に基づいて、アップリンクデータをアップリンクチャネル上で送信すべきかどうかを決定する。
【００７３】
アップリンク制御情報によって占有される必要がある時間−周波数リソースは、アップリンク制御情報のビットの量またはアップリンク制御情報に対応する期間であってもよい。少なくとも１つの送信時間内に送信されるべきアップリンクデータによって占有される必要がある時間−周波数リソースは、アップリンクデータのビットの量またはアップリンクデータに対応する期間であってもよい。代替として、アップリンク制御情報によって占有される必要がある時間−周波数リソースは、アップリンク制御情報のビットの量またはアップリンク制御情報の変調および符号化方式に基づいて決定されてもよい。代替として、アップリンクデータによって占有される必要がある時間−周波数リソースは、アップリンクデータのビットの量またはアップリンクデータの変調および符号化方式に基づいて決定されてもよい。
【００７４】
比が、アップリンクチャネルによって占有される時間−周波数リソースに対する、アップリンクチャネル上でアップリンク制御情報によって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であるとき、比情報が、事前に設定された第２のしきい値よりも大きい場合、アップリンクチャネル上でアップリンクデータが送信されるべきではないと決定されてもよく、または比情報が事前に設定された第２のしきい値以下である場合、アップリンクデータがアップリンクチャネル上で送信されるべきであると決定されてもよい。比が、アップリンクチャネルによって占有される時間−周波数リソースに対する、少なくとも１つの送信時間内に送信されるべきアップリンクデータによって占有される必要がある時間−周波数リソースの比であるとき、に対する、アップリンクチャネルによって占有される必要がある時間−周波数リソースの比であるとき、比情報が、事前に設定された第２のしきい値よりも小さい場合、アップリンクチャネル上でアップリンクデータが送信されるべきではないと決定されてもよく、または比情報が事前に設定された第２のしきい値以上である場合、アップリンクデータがアップリンクチャネル上で送信されるべきであると決定されてもよい。事前に設定された第２のしきい値は、シグナリングを使用することによってネットワークによって通知されてもよくまたは事前に定義されてもよい。
【００７５】
第６の態様によれば、ネットワークデバイスが提供され、ネットワークデバイスは、
ネットワークデバイスによって、第１の制御情報を送信するための第１の時間−周波数ドメインリソースに基づいて、第１の制御情報に含められる少なくとも１つの情報フィールドを決定するように構成された決定モジュールであって、
少なくとも１つの情報フィールドに基づいて第１の制御情報のビットの量を決定するようにさらに構成された決定モジュールと、
第１の制御情報のビットの量に基づいて第１の時間−周波数ドメインリソース上で第１の制御情報をユーザ端末に送信するように構成された送信モジュールとを含む。
【００７６】
考えられる設計では、時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００７７】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００７８】
別の考えられる設計では、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【００７９】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、事前に定義されるかまたは構成される。
【００８０】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００８１】
第７の態様によれば、ネットワークデバイスが提供され、ネットワークデバイスは、
第１の制御情報に含まれる少なくとも１つの情報フィールドを決定するように構成された決定モジュールであって、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む決定モジュールと、
第１の制御情報をユーザ端末に送信するように構成された送信モジュールとを含む。
【００８２】
別の考えられる設計では、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
決定モジュールは、
Ｍを決定することであって、少なくとも１つの送信時間がＭ個の送信時間であり、Ｍが１以上の正の整数である、Ｍを決定することと、
Ｍ、第１の情報フィールドのビットの量、およびＭ個の送信時間内に受信および／または送信される情報に対応する冗長バージョン情報に基づいて第１の情報フィールドの少なくとも１つのビットのステータスを決定することとを行うようにさらに構成される。
【００８３】
別の考えられる設計では、少なくとも１つの情報フィールドは、第２の情報フィールドを含み、第２の情報フィールドにおいて伝達される情報はＮを含み、
決定モジュールは、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定することを行うようにさらに構成される。
【００８４】
別の考えられる設計では、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
決定モジュールは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、Ｐが１よりも大きいときの決定を行うこと、ならびに／または
Ｐが１に等しいとき、第３の情報フィールドが変調および符号化方式ＭＣＳ情報であることを決定し、かつ第３の情報フィールドが、アップリンクデータが１つの送信時間内にアップリンクチャネル上で送信されるべきであるかどうかを示すために使用されることを決定することを行うようにさらに構成される。
【００８５】
別の考えられる設計では、少なくとも１つの送信時間のうちの１つまたは複数は、０．５ｍｓ以下の期間である。
【００８６】
第８の態様によれば、ユーザ端末が提供され、ユーザ端末は、
第１の制御情報を検出するための第１の時間−周波数ドメインリソースに基づいて、第１の制御情報に含められる少なくとも１つの情報フィールドを決定するように構成された決定モジュールであって、
少なくとも１つの情報フィールドに基づいて第１の制御情報のビットの量を決定するようにさらに構成された決定モジュールと、
第１の制御情報のビットの量に基づいて第１の時間−周波数ドメインリソース上で第１の制御情報を検出するように構成された検出モジュールと、
検出モジュールが第１の制御情報を検出した後に第１の制御情報を受信するように構成された受信モジュールとを含む。
【００８７】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００８８】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、ダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【００８９】
別の考えられる設計では、第１の時間−周波数ドメインリソースが、第２の時間領域内の時間−周波数ドメインリソースであるとき、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【００９０】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、受信される上位層シグナリングに基づいてユーザ端末により決定されるかまたは事前に定義される。
【００９１】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【００９２】
第９の態様によれば、ユーザ端末が提供され、ユーザ端末は、
第１の制御情報を受信するように構成された受信モジュールであって、第１の制御情報が少なくとも１つの情報フィールドを含み、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、Ｎ個の送信時間内に情報を受信するようにユーザ端末に指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含む受信モジュールと、
少なくとも１つの情報フィールドにおいて伝達される情報を取得するように構成された取得モジュールとを含む。
【００９３】
考えられる設計では、少なくとも１つの情報フィールド内の第１の情報フィールドにおいて伝達される情報は、少なくとも１つの送信時間内に受信および／または送信される情報に対応する冗長バージョン情報を含み、取得モジュールは、
第１の情報フィールドの少なくとも１つのビットのステータスを決定することと、
Ｍを決定することであって、少なくとも１つの送信時間がＭ個の送信時間であり、Ｍが１以上の正の整数である、Ｍを決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することとを行うようにさらに構成される。
【００９４】
別の考えられる設計では、少なくとも１つの情報フィールド内の第２の情報フィールドにおいて伝達される情報はＮを含み、取得モジュールは、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいてユーザ端末により決定されるか、または事前に定義される、Ｎを決定することとを行うようにさらに構成される。
【００９５】
別の考えられる設計では、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、取得モジュールは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであると決定し、かつ第３の情報フィールドにおいて伝達される情報が、アップリンクデータがＰ個の送信時間内のＫ個の送信時間内にアップリンクチャネル上で送信されるべきであるかどうかを示すと決定すること、ならびに／または
Ｐが１に等しいとき、第３の情報フィールドが変調および符号化方式ＭＣＳ情報であると決定し、かつ第３の情報フィールドにおいて伝達される情報が、アップリンクデータがＰ個の送信時間内にアップリンクチャネル上で送信されるべきであるかどうかを示すと決定することを行うようにさらに構成される。
【００９６】
別の考えられる設計では、少なくとも１つの送信時間のうちの１つまたは複数は、０．５ｍｓ以下の期間である。
【００９７】
第１０の態様によれば、ユーザ端末が提供され、ユーザ端末は、
第１の制御情報を受信するように構成された受信モジュールであって、第１の制御情報が、少なくとも１つの送信時間内にアップリンクチャネルによって占有される時間−周波数リソースを示すために使用される受信モジュールと、
アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成された決定モジュールとを備え、
決定モジュールは、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
決定モジュールは、比情報に基づいて、アップリンクチャネル上でアップリンクデータを送信すべきかどうかを決定するようにさらに構成される。
【００９８】
第１１の態様によれば、ネットワークデバイスが提供され、ネットワークデバイスは、
第１の制御情報を送信するための第１の時間−周波数ドメインリソースに基づいて、第１の制御情報に含められる少なくとも１つの情報フィールドを決定するように構成されたプロセッサであって、
少なくとも１つの情報フィールドに基づいて第１の制御情報のビットの量を決定するようにさらに構成されたプロセッサと、
第１の制御情報のビットの量に基づいて第１の時間−周波数ドメインリソース上で第１の制御情報をユーザ端末に送信するように構成されたトランシーバとを含む。
【００９９】
考えられる設計では、時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１００】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１０１】
別の考えられる設計では、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【０１０２】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するように前記ユーザ端末をトリガするために使用され、第３の時間領域は、事前に定義されるかまたは構成される。
【０１０３】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０１０４】
第１２の態様によれば、ネットワークデバイスが提供され、ネットワークデバイスは、
第１の制御情報に含まれる少なくとも１つの情報フィールドを決定するように構成されたプロセッサであって、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含むプロセッサと、
第１の制御情報をユーザ端末に送信するように構成されたトランシーバとを含む。
【０１０５】
別の考えられる設計では、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
プロセッサは、
Ｍを決定することであって、少なくとも１つの送信時間がＭ個の送信時間であり、Ｍが１以上の正の整数である、Ｍを決定することと、
Ｍ、第１の情報フィールドのビットの量、およびＭ個の送信時間内に受信および／または送信される情報に対応する冗長バージョン情報に基づいて第１の情報フィールドの少なくとも１つのビットのステータスを決定することとを行うようにさらに構成される。
【０１０６】
別の考えられる設計では、少なくとも１つの情報フィールドは、第２の情報フィールドを含み、第２の情報フィールドにおいて伝達される情報はＮを含み、
プロセッサは、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定することを行うようにさらに構成される。
【０１０７】
別の考えられる設計では、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
プロセッサは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、Ｐが１よりも大きいときの決定を行うこと、ならびに／または
Ｐが１に等しいとき、第３の情報フィールドが変調および符号化方式ＭＣＳ情報であることを決定し、かつ第３の情報フィールドが、アップリンクデータが１つの送信時間内にアップリンクチャネル上で送信されるべきであるかどうかを示すために使用されることを決定することを行うようにさらに構成される。
【０１０８】
別の考えられる設計では、少なくとも１つの送信時間のうちの１つまたは複数は、０．５ｍｓ以下の期間である。
【０１０９】
第１３の態様によれば、ユーザ端末が提供され、ユーザ端末は、
第１の制御情報を検出するための第１の時間−周波数ドメインリソースに基づいて、第１の制御情報に含められる少なくとも１つの情報フィールドを決定するように構成されたプロセッサであって、
少なくとも１つの情報フィールドに基づいて第１の制御情報のビットの量を決定するようにさらに構成され、
第１の制御情報のビットの量に基づいて第１の時間−周波数ドメインリソース上で第１の制御情報を検出するようにさらに構成されたプロセッサと、
プロセッサが第１の制御情報を検出した後に第１の制御情報を受信するように構成されたトランシーバとを含む。
【０１１０】
考えられる設計では、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１１１】
別の考えられる設計では、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１１２】
別の考えられる設計では、第１の時間−周波数ドメインリソースが、第２の時間領域内の時間−周波数ドメインリソースであるとき、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【０１１３】
別の考えられる設計では、第１の時間−周波数ドメインリソースが、第３の時間領域内の時間−周波数ドメインリソースであるとき、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、受信される上位層シグナリングに基づいてユーザ端末により決定されるかまたは事前に定義される。
【０１１４】
別の考えられる設計では、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０１１５】
第１４の態様によれば、ユーザ端末が提供され、ユーザ端末は、
第１の制御情報を受信するように構成されたプロセッサであって、第１の制御情報が少なくとも１つの情報フィールドを含み、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、Ｎ個の送信時間内に情報を受信するようにユーザ端末に指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報のうちの少なくとも１つまたはそれらの任意の組合せを含むプロセッサを含み、
プロセッサは、少なくとも１つの情報フィールドにおいて伝達される情報を取得するようにさらに構成される。
【０１１６】
考えられる設計では、少なくとも１つの情報フィールド内の第１の情報フィールドにおいて伝達される情報は、少なくとも１つの送信時間内に受信および／または送信される情報に対応する冗長バージョン情報を含み、プロセッサは、
第１の情報フィールドの少なくとも１つのビットのステータスを決定することと、
Ｍを決定することであって、少なくとも１つの送信時間がＭ個の送信時間であり、Ｍが１以上の正の整数である、Ｍを決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することとを行うようにさらに構成される。
【０１１７】
別の考えられる設計では、少なくとも１つの情報フィールド内の第２の情報フィールドにおいて伝達される情報はＮを含み、プロセッサは、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいてユーザ端末により決定されるか、または事前に定義される、Ｎを決定することとを行うようにさらに構成される。
【０１１８】
別の考えられる設計では、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、プロセッサは、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、Ｐを決定すること、
Ｐが１よりも大きいときに、第３の情報フィールドがＫビットの情報フィールドであると決定し、かつ第３の情報フィールドにおいて伝達される情報が、アップリンクデータがＰ個の送信時間内のＫ個の送信時間内にアップリンクチャネル上で送信されるべきであるかどうかを示すために使用されると決定すること、ならびに／または
Ｐが１に等しいとき、第３の情報フィールドが変調および符号化方式ＭＣＳ情報フィールドであると決定し、かつ第３の情報フィールドにおいて伝達される情報が、アップリンクデータがＰ個の送信時間内にアップリンクチャネル上で送信されるべきであるかどうかを示すと決定することを行うようにさらに構成される。
【０１１９】
別の考えられる設計では、少なくとも１つの送信時間のうちの１つまたは複数は、０．５ｍｓ以下の期間である。
【０１２０】
第１５の態様によれば、ユーザ端末が提供され、ユーザ端末は、
第１の制御情報を受信するように構成されたトランシーバであって、第１の制御情報が、少なくとも１つの送信時間内にアップリンクチャネルによって占有される時間−周波数リソースを示すために使用されるトランシーバと、
アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成されたプロセッサとを含み、
プロセッサは、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
プロセッサは、比情報に基づいて、アップリンクチャネル上でアップリンクデータを送信すべきかどうかを決定するようにさらに構成される。
【０１２１】
本発明の実施形態において提示された技術的解決手段の有利な効果は次のように得られる。
【０１２２】
本発明の実施形態では、ネットワークデバイスは、第１の制御情報を送信するための第１の時間−周波数ドメインリソースに基づいて、第１の制御情報に含められる少なくとも１つの情報フィールドを決定し、少なくとも１つの情報フィールドに基づいて第１の制御情報のビットの量を決定し、第１の制御情報のビットの量に基づいて第１の時間−周波数ドメインリソース上で第１の制御情報をユーザ端末に送信する。前述の処理に基づいて、制御情報中の冗長情報が低減されることができ、データ送信効率が改善されることができる。
【図面の簡単な説明】
【０１２３】
本発明の実施形態における技術的解決手段についてより明確に説明するために、以下に、実施形態を説明するのに必要な添付の図面について簡単に説明する。以下の説明における添付の図面が本発明のいくつかの実施形態を示すものにすぎないことは明らかであり、当業者は、創造的な努力なしにこれらの添付の図面から他の図面を導き得る。
【０１２４】
【図１】本発明の実施形態１によるシステム構成図である。
【図２】本発明の一実施形態によるネットワークデバイスまたはユーザ端末の概略構造図である。
【図３】本発明の一実施形態による物理チャネルの概略図である。
【図４】本発明の一実施形態による、制御情報を送信するための方法のフローチャートである。
【図５】本発明の実施形態による、制御情報を送信するための方法のフローチャートである。
【図６】本発明の一実施形態による、制御情報を検出するための方法のフローチャートである。
【図７】本発明の一実施形態による、制御情報を検出するための方法のフローチャートである。
【図８】本発明の一実施形態による、制御情報を検出するための方法のフローチャートである。
【図９】本発明の一実施形態によるネットワークデバイスの概略構造図である。
【図１０】本発明の一実施形態によるユーザ端末の概略構造図である。
【図１１】本発明の一実施形態によるユーザ端末の概略構造図である。
【図１２】本発明の一実施形態によるユーザ端末の概略構造図である。
【発明を実施するための形態】
【０１２５】
本発明の目的、技術的解決策、および利点をより明らかにするために、以下で、添付の図面を参照しながら詳細に本発明の実装形態についてさらに説明する。
【０１２６】
実際に、ネットワークデバイスおよびユーザ端末は、ＬＴＥシステムを使用することによって制御情報およびサービスデータなどのデータを送信し得る。ネットワークデバイスによってユーザ端末に送信されるデータはダウンリンクデータと呼ばれることがあり、ユーザ端末によってネットワークデバイスに送信されるデータはアップリンクデータと呼ばれることがある。ネットワークデバイスは基地局であり得、ユーザ端末はモバイル端末またはＰＣ（ｐｅｒｓｏｎａｌ  ｃｏｍｐｕｔｅｒ、パーソナルコンピュータ）端末であり得る。図１は、本発明の一実施形態によるシステムアーキテクチャ図である。
【０１２７】
図１のネットワークデバイスは、図２のコンピューティングデバイスを使用することによって実装され得る。コンピューティングデバイスの概略組織構造図が図２に示されている。コンピューティングデバイスは、プロセッサ２１０、トランシーバ２２０、およびメモリ２３０を含むことがあり、トランシーバ２２０とメモリ２３０の両方がプロセッサ２１０に接続され得る。トランシーバ２２０は、メッセージまたはデータを受信するように構成され得る。トランシーバ２２０は、限定されないが、アンテナ、少なくとも１つの増幅器、チューナー、１つまたは複数の発振器、カプラ、ＬＮＡ（Ｌｏｗ  Ｎｏｉｓｅ  Ａｍｐｌｉｆｉｅｒ、低雑音増幅器）、デュプレクサなどを含み得る。トランシーバ２２０は、アナログ信号またはデジタル信号を受信および送信し得、受信されたデジタル信号をプロセッサ２１０に送信し得、それにより、プロセッサ２１０は、受信されたデータを処理することができる。プロセッサ２１０は、コンピューティングデバイスの制御センターであり、様々なインターフェースおよびラインを使用することによってトランシーバ２２０およびメモリ２３０などのコンピューティングデバイスの各部分を接続し得る。任意選択で、プロセッサ２１０は１つまたは複数の処理ユニットを含み得る。好ましくは、プロセッサ２１０はアプリケーションプロセッサおよびモデムプロセッサを組み込み得る。アプリケーションプロセッサは、オペレーティングシステムを主に処理する。モデムプロセッサは、ワイヤレス通信を主に処理する。プロセッサ２１０は、代替としてデジタル信号プロセッサ、専用集積回路、フィールドプログラマブルゲートアレイ、別のプログラマブル論理デバイスなどであり得る。コンピューティングデバイスはメモリ２３０をさらに含み得る。メモリ２３０は、揮発性メモリ（ｖｏｌａｔｉｌｅ  ｍｅｍｏｒｙ）、たとえば、ランダムアクセスメモリ（ｒａｎｄｏｍ  ａｃｃｅｓｓ  ｍｅｍｏｒｙ、略してＲＡＭ）を含み得る。メモリは、代替として、不揮発性メモリ（ｎｏｎ−ｖｏｌａｔｉｌｅ  ｍｅｍｏｒｙ）、たとえば、読取り専用メモリ（ｒｅａｄ−ｏｎｌｙ  ｍｅｍｏｒｙ、略してＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、略してＨＤＤ）、またはソリッドステートドライブ（ｓｏｌｉｄ−ｓｔａｔｅ  ｄｒｉｖｅ、略してＳＳＤ）を含み得る。メモリ２３０は、代替として、メモリの上記のタイプの組合せを含み得る。本出願において提供される技術的解決策がソフトウェアによって実装されるとき、本出願の図４および図５において提供される制御情報を送信するための方法を実装するために使用されるプログラムコードは、メモリ２３０に記憶され、プロセッサ２１０およびトランシーバ２２０によって実行される。
【０１２８】
加えて、図２は、本発明の一実施形態によるユーザ端末の概略構造図であり得る。ユーザ端末は、プロセッサ２１０、トランシーバ２２０、およびメモリ２３０を含み得る。メモリ２３０は、コンピュータ実行可能プログラムコードを記憶するように構成される。プロセッサ２１０は、メモリ２３０およびトランシーバ２２０に結合される。
【０１２９】
プログラムコードはインストラクションを含む。プロセッサ２１０がインストラクションを実行するとき、インストラクションは、ユーザ端末が、図６から図８における関係するステップを実行することを可能にする。
【０１３０】
ＬＴＥシステムは、通常、データを送信するためにフレーム構造を使用する。フレーム構造は、無線フレーム（ｒａｄｉｏ  ｆｒａｍｅ）と、サブフレーム（ｓｕｂｆｒａｍｅ）と、シンボルとの３つの層を含み得る。無線フレームは１０個のサブフレームを含むことがあり、各サブフレームの期間は１ミリ秒（ｍｓ）であり得、各サブフレームは２つのスロット（ｓｌｏｔ）を含むことがあり、各スロットは０．５ｍｓであり得る。各スロットは複数のシンボルを含み得る。各スロットに含まれるシンボルの数は、サブフレーム内のＣＰ（ｃｙｃｌｉｃ  ｐｒｅｆｉｘ、サイクリックプレフィックス）の長さに関係する。たとえば、サブフレーム内のＣＰがＮＣＰ（ｎｏｒｍａｌ  ＣＰ）ノーマルサイクリックプレフィックスである場合、各スロットは７つのシンボルを含み、対応して、各サブフレームは１４個のシンボルを含む。具体的には、各サブフレームは、シーケンス番号がそれぞれ＃０、＃１、＃２、＃３、＃４、＃５、＃６、＃０、＃１、＃２、＃３、＃４、＃５、および＃６であるシンボルを含む。サブフレームにおいて、物理チャネルは異なることがあり、図３に示されているように、サブフレームは１４個のシンボルを含む。
【０１３１】
本明細書では、「複数の」は、少なくとも２つを指す。「および／または」という用語は、関連する対象を記述するための関連付け関係を記述し、３つの関係が存在し得ることを表す。たとえば、Ａおよび／またはＢは、Ａのみが存在すると、ＡとＢの両方が存在すると、Ｂのみが存在するとの３つの場合を表し得る。文字「／」は、概して、関連する対象間の「または」関係を示す。
【０１３２】
本発明について説明される前に、まず、本発明の実施形態において使用される技術用語について手短に説明される。
【０１３３】
ダウンリンク制御チャネルは、ショート物理ダウンリンク制御チャネル（Ｓｈｏｒｔ  Ｐｈｙｓｉｃａｌ  Ｄｏｗｎｌｉｎｋ  Ｃｏｎｔｒｏｌ  Ｃｈａｎｎｅｌ、ｓＰＤＣＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、またはダウンリンク制御情報を送信するための別の物理チャネルのうちの少なくとも１つと置き換えられ得る。ｓＰＤＣＣＨは、送信時間内に制御情報を送信するための時間−周波数ドメインリソースであり得、送信時間は、０．５ｍｓ以下である送信時間であり得る。
【０１３４】
ダウンリンクデータチャネルは、ショート物理ダウンリンク共有チャネル（Ｓｈｏｒｔ  Ｐｈｙｓｉｃａｌ  Ｄｏｗｎｌｉｎｋ  Ｓｈａｒｅｄ  Ｃｈａｎｎｅｌ、ｓＰＤＳＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、またはダウンリンクデータ情報を送信するための別の物理チャネルのうちの少なくとも１つと置き換えられ得る。ｓＰＤＳＣＨは、送信時間内にデータを送信するための時間−周波数ドメインリソースであり得、送信時間は、０．５ｍｓ以下である送信時間であり得る。
【０１３５】
シンボルは、ＯＦＤＭシンボルまたはＳＣ−ＦＤＭＡシンボルを意味する。シンボルは、１５ｋＨｚサブキャリア間隔をもつＬＴＥシステムの直交周波数分割多元接続ＯＦＤＭＡシンボル、シングルキャリア周波数分割多元接続ＳＣ−ＦＤＭＡシンボル、またはより大きいサブキャリア占有周波数をもつ通信システムのシンボルである。これは、この実施形態では限定されない。
【０１３６】
送信時間の期間は、情報送信のための時間単位、たとえば、ＴＴＩ（Ｔｒａｎｓｍｉｓｓｉｏｎ  Ｔｉｍｅ  Ｉｎｔｅｒｖａｌ、送信時間間隔）、時間ドメインリソースのセグメント、送信時間単位、または時間領域を示し得る。たとえば、送信時間はＴＴＩであることがあり、ＴＴＩの期間は１ｍｓであるか、または送信時間は短いＴＴＩであることがあり、短いＴＴＩの期間は、１つのサブフレームまたは１ｍｓよりも短く、たとえば、０．５ｍｓ、７シンボル期間、６シンボル期間、５シンボル期間、４シンボル期間、３シンボル期間、２シンボル期間、または１シンボル期間である。ＬＴＥシステムでは、特定の期間の送信時間内に様々な物理チャネルが送信され得る。さらに、物理チャネルは、送信時間内に全部または一部の時間−周波数ドメインリソース上で送信され得る。
【０１３７】
各ＴＴＩ内に、ネットワークデバイスによってＵＥ（Ｕｓｅｒ  Ｅｑｕｉｐｍｅｎｔ、ユーザ端末）に送信される制御情報が含められ得る。制御情報はＤＣＩ（Ｄｏｗｎｌｉｎｋ  Ｃｏｎｔｒｏｌ  Ｉｎｆｏｒｍａｔｉｏｎ、ダウンリンク制御情報）であり得、制御情報は少なくとも１つの情報フィールドを含み得る。異なる情報フィールドは、異なる処理を実行するようにユーザ端末に指示するために使用される、異なる制御コンテンツを含み得る。たとえば、制御コンテンツは、制御情報フォーマット指示情報またはＳＲＳ（Ｓｏｕｎｄｉｎｇ  Ｒｅｆｅｒｅｎｃｅ  Ｓｉｇｎａｌ、サウンディング参照信号）要求情報であり得る。
【０１３８】
ＴＴＩ内に制御情報によって占有される送信リソース（すなわち、時間−周波数ドメインリソース）を最小限に抑え、ＴＴＩ送信効率を改善するために、この実施形態は、制御情報を送信するための方法を提供し、本方法はネットワークデバイスによって実行され得る。図４に示されているように、本方法の処理手順は以下の通りであり得る。
【０１３９】
ステップ４０１：ネットワークデバイスが、第１の制御情報を送信するための第１の時間−周波数ドメインリソースに基づいて、第１の制御情報に含められる少なくとも１つの情報フィールドを決定する。
【０１４０】
第１の時間−周波数ドメインリソースは、第１の制御情報を送信するための時間−周波数ドメインリソースであり、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。第１の時間−周波数ドメインリソースは、第１の制御領域または第１のダウンリンク制御チャネル領域と呼ばれることもある。たとえば、第１の時間−周波数ドメインリソースが、ダウンリンクサブフレーム内の最初の３つのシンボルが属する時間領域内の時間−周波数ドメインリソースであり、ダウンリンクサブフレームが、ＮＣＰをもつサブフレームであるとき、第１の時間−周波数ドメインリソースは、シーケンス番号がダウンリンクサブフレームの第１のスロット内で＃０、＃１、および＃２であるシンボルを含む。
【０１４１】
一実装形態では、ユーザ端末に第１の制御情報を送信する前に、ネットワークデバイスは、第１の制御情報を送信するための１つまたは複数の時間−周波数ドメインリソース（すなわち、第１の時間−周波数ドメインリソース）を割り振ることがあり、次いで、第１の制御情報を送信するための第１の時間−周波数ドメインリソースに基づいて、第１の制御情報に含められる少なくとも１つの情報フィールドを決定し得る。
【０１４２】
この実施形態では、第１の制御情報を送信するための時間−周波数ドメインリソースが異なるとき、第１の制御情報に含められる情報フィールドは、異なることもあるかまたは同じであることもある。一実装方法では、第１の制御情報を送信するための第１の時間−周波数ドメインリソースが時間ドメインリソースＢであるとき、第１の制御情報は第１の情報フィールドを含むか、または第１の制御情報を送信するための第１の時間−周波数ドメインリソースが時間ドメインリソースＣであるとき、第１の制御情報は第１の情報フィールドを含まない。別の実装方法では、第１の制御情報を送信するための第１の時間−周波数ドメインリソースが時間ドメインリソースＢであるとき、第１の制御情報は第１の情報フィールドを含み、第１の情報フィールドは第１のサブ情報を示すために使用されるか、または第１の制御情報を送信するための第１の時間−周波数ドメインリソースが時間ドメインリソースＣであるとき、第１の制御情報は第１の情報フィールドを含むが、第１の情報フィールドは、第１のサブ情報を示すために使用されないかもしくは予約済みで使用されない。
【０１４３】
この実施形態では、１つまたは複数の第１の制御情報があり得る。複数の第１の制御情報がある場合、対応して、本発明に従って制御情報を送信するための方法は、各制御情報について実行され得る。
【０１４４】
ステップ４０２：ネットワークデバイスが、少なくとも１つの情報フィールドに基づいて第１の制御情報のビットの量を決定する。
【０１４５】
一実装形態では、ネットワークデバイスは、第１の制御情報のビットの量を取得するために、第１の制御情報に含められる各情報フィールドのビットの量に基づいて、すべての情報フィールドのビットの量の和を計算し得る。
【０１４６】
ステップ４０３：ネットワークデバイスが、第１の制御情報のビットの量に基づいて第１の時間−周波数ドメインリソース上で第１の制御情報をユーザ端末に送信する。
【０１４７】
一実装形態では、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。
【０１４８】
任意選択で、この実施形態の実装シナリオでは、ネットワークデバイスは、第１の制御情報が、第１の情報フィールドにおいて伝達される情報を含むかどうかを決定し得る。対応する処理手順は以下の通りであり得る。第１の時間−周波数ドメインリソースが第１の時間領域内の時間−周波数ドメインリソースであるとき、少なくとも１つの情報フィールドは第１の情報フィールドを含む。
【０１４９】
第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１５０】
物理ダウンリンク制御チャネルＰＤＣＣＨ領域はサブフレームのいくつかの開始シンボル内にあり、基地局は、ＰＣＦＩＣＨチャネルを使用することによってＰＤＣＣＨ領域について、セルによってサービスされるすべてのユーザ端末に通知し、ＰＤＣＣＨ領域はサブフレーム内で異なり得ることに留意されたい。しかしながら、ダウンリンクサブフレーム内の最初の１つ、２つ、３つ、または４つのシンボルは、ダウンリンクサブフレームのＰＤＣＣＨ領域よりも大きいか、それよりも小さいか、またはそれに等しくなり得る。
【０１５１】
第１の情報フィールドにおいて伝達される情報は、フォーマット識別指示情報またはＴＴＩ期間指示情報を含む。
【０１５２】
一実装形態では、少なくとも２つの制御情報フォーマットは、ＤＣＩフォーマット０、ＤＣＩフォーマット１、ＤＣＩフォーマット２、もしくはＤＣＩフォーマット４など、１ｍｓのＴＴＩを示す制御情報フォーマット、およびＤＣＩフォーマット７ＡもしくはＤＣＩフォーマット７Ｂなど、１ｍｓよりも短いＴＴＩのフォーマットを含み得るか、または少なくとも２つの制御情報フォーマットは、ＤＣＩフォーマット０およびＤＣＩフォーマット７Ａなど、第１の制御情報フォーマットおよび第２の制御情報フォーマットを含み得る。上記の特定のフォーマットの数は限定されない。少なくとも２つの時間長は、１ｍｓの期間および１ｍｓよりも短い期間を含み得る。ここで、期間は、ユーザ端末がその期間内に情報を受信するかまたは情報を送信すべきことを示し得る。
【０１５３】
ネットワークデバイスは、第１の時間−周波数ドメインリソースが第１の時間領域内にあるかどうかを決定し得る。第１の時間−周波数ドメインリソースが第１の時間領域内にある場合、第１の制御情報の情報フィールドは、第１の情報フィールドにおいて伝達される情報を含むことがあり、第１の情報フィールドのビットのステータスは、第１の制御情報の制御情報フォーマットまたは期間に基づいて設定される。特に、ネットワークデバイスは、第１の制御情報の情報フィールドに第１の情報フィールドを追加することがあるか、または第１の制御情報に第１の情報フィールドのビットを直接追加し、第１の制御情報の制御情報フォーマットもしくは期間に基づいて第１の情報フィールドのビットのステータスを設定し得る。第１の情報フィールドが第１の制御情報の情報フィールド内にすでに存在するか、または第１の情報フィールドのビットがすでに追加されている場合、ネットワークデバイスは、第１の情報フィールドのビットのステータスを有効として設定し得るか、または第１の制御情報の制御情報フォーマットもしくは期間に基づいて第１の情報フィールドのビットのステータスを直接設定し得る。
【０１５４】
第１の時間−周波数ドメインリソースが第１の時間領域内にない場合、たとえば、第１の時間−周波数ドメインリソースが、０．５ｍｓ以下である送信時間内の時間−周波数ドメインリソースである場合、第１の制御情報の情報フィールドは、第１の情報フィールドにおいて伝達される情報を含まないことがある。特に、ネットワークデバイスは、第１の制御情報の情報フィールドに第１の情報フィールドを追加しないことがあり、すなわち、第１の制御情報のビットの量は、第１の情報フィールドのビットを含まない。第１の情報フィールドが第１の制御情報の情報フィールド内にすでに存在する場合、ネットワークデバイスは、第１の情報フィールドが予約済み状態にあることを決定し、第１の制御情報から第１の情報フィールドを削除するか、または第１の制御情報から第１の情報フィールドのビットを削除することがあり、予約済み状態は、第１の情報フィールドのビットが依然として第１の制御情報内にあるが、第１の情報フィールドのビットのステータスがもはや有効でないかまたは指示情報の意味をもはや有しないことを意味する。第１の情報フィールドのビットの量は、ネットワークデバイスによって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内の時間−周波数ドメインリソースの一部であり得ることに留意されたい。
【０１５５】
たとえば、第１の制御情報を送信するための時間−周波数ドメインリソースがＰＤＣＣＨ領域内にある場合、第１の制御情報の情報フィールドは、第１の情報フィールドにおいて伝達される情報を含むか、または第１の制御情報を送信するための時間−周波数ドメインリソースがｓＰＤＣＣＨ領域内にある場合、第１の制御情報の情報フィールドは、第１の情報フィールドにおいて伝達される情報を含まず、ｓＰＤＣＣＨ領域は、０．５ｍｓ以下である送信時間内のダウンリンク制御情報の時間領域であり得るか、または０．５ｍｓ以下である送信時間であり得る。たとえば、送信時間は２シンボルＴＴＩであり、ｓＰＤＣＣＨ領域は、２シンボルＴＴＩの１つのシンボルであり得るかまたは２シンボルＴＴＩであり得る。別の例では、第１の制御情報を送信するための時間−周波数ドメインリソースが、ダウンリンクサブフレーム内の最初の１つ、２つ、３つ、もしくは４つのシンボルが属する時間領域内にある場合、第１の制御情報の情報フィールドは、第１の情報フィールドにおいて伝達される情報を含むか、または第１の制御情報を送信するための時間−周波数ドメインリソースが、ダウンリンクサブフレーム内の最初の１つ、２つ、３つ、もしくは４つのシンボルが属する時間領域内にない場合、第１の制御情報の情報フィールドは、第１の情報フィールドにおいて伝達される情報を含まない。
【０１５６】
この解決策の有益な効果は以下の通りである。ＰＤＣＣＨ領域において、またはダウンリンクサブフレーム内の最初の１つ、２つ、３つ、または４つのシンボルが属する時間領域において、基地局によってユーザ端末に送信される制御情報は、１ｍｓのＴＴＩを示すために使用される制御情報であり得るか、または、１ｍｓよりも短い、短いＴＴＩを示すために使用される制御情報であり得る。したがって、ユーザ端末によって制御情報をブラインド検出する回数を低減するために、基地局は、２つのタイプの制御情報におけるビットの量が同じになるように設定し、この時に使用されるべき特定の制御情報を示すために第１の制御情報の第１の情報フィールドを使用し得る。しかしながら、第１の時間−周波数ドメインリソースがダウンリンクサブフレーム内の時間領域以外の時間領域内にあるとき、基地局によってユーザ端末に送信される制御情報は、１ｍｓよりも短い、短いＴＴＩを示すために使用される制御情報のみであり得る。これに基づいて、この解決策では、第１の情報フィールドにおいて伝達される情報は、第１の時間−周波数ドメインリソースが第１の時間領域内にあるときのみ送信され、第１の情報フィールドにおいて伝達される情報は、他の場合には送信されない。これは、第１の情報フィールドにおいて伝達される情報を送信する頻度を効果的に低減し、制御情報内の冗長情報を低減し、データ転送効率を改善することができる。
【０１５７】
任意選択で、この実施形態の別の実装シナリオでは、ネットワークデバイスは、第１の制御情報が、第２の情報フィールドにおいて伝達される情報を含むかどうかを決定し得る。対応する処理手順は以下の通りであり得る。第１の時間−周波数ドメインリソースが第１の時間領域を超える時間−周波数ドメインリソースであるとき、少なくとも１つの情報フィールドは第２の情報フィールドを含む。
【０１５８】
第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用される。第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０１５９】
第２の情報フィールドにおいて伝達される情報は、ダウンリンクデータチャネルのリソース使用を示す情報である。
【０１６０】
一実装形態では、第２の情報フィールドにおいて伝達される情報は、ダウンリンク制御チャネルによって占有されない時間−周波数ドメインリソースを含み得るか、またはダウンリンク制御チャネルによって占有される時間−周波数ドメインリソースを示すために使用されるか、またはダウンリンクデータチャネルによって占有される時間−周波数ドメインリソースを示すために使用される。ダウンリンク制御チャネルによって占有される時間−周波数ドメインリソースは、送信時間内にＤＣＩを伝達するためにダウンリンク制御チャネルによって占有されるＣＣＥ、または送信時間内にダウンリンク制御チャネルによって占有されるリソースブロックＲＢ、または送信時間内にダウンリンク制御チャネルによって占有されるリソース要素ＲＥを含み得る。ダウンリンク制御チャネルによって占有されない時間−周波数ドメインリソースは、送信時間内にＤＣＩを伝達するためにダウンリンク制御チャネルによって占有されないＣＣＥ、または送信時間内にダウンリンク制御チャネルによって占有されないリソースブロックＲＢ、または送信時間内にダウンリンク制御チャネルによって占有されないリソース要素ＲＥを含み得る。ダウンリンクデータチャネルによって占有される時間−周波数ドメインリソースは、送信時間内にダウンリンクデータチャネルによって占有されるリソースブロックＲＢ、または送信時間内にダウンリンクデータチャネルによって占有されるリソース要素ＲＥを含み得る。この実施形態では、送信時間は、２シンボル送信時間、０．５ｍｓ以下である送信時間、または１ｍｓである送信時間であり得ることに留意されたい。
【０１６１】
ネットワークデバイスは、第１の時間−周波数ドメインリソースが第１の時間領域内の時間−周波数ドメインリソースであるかどうかを決定し得る。第１の時間−周波数ドメインリソースが第１の時間領域を超える時間−周波数ドメインリソースである場合、たとえば、第１の時間−周波数ドメインリソースが、０．５ｍｓ以下である送信時間内の時間−周波数ドメインリソースである場合、第１の制御情報の情報フィールドは、第２の情報フィールドにおいて伝達される情報を含むことがあり、第２の情報フィールドのビットのステータスは、ダウンリンク制御チャネルによって占有されない時間−周波数ドメインリソースまたはダウンリンク制御チャネルによって占有される時間−周波数ドメインリソースまたはダウンリンクデータチャネルによって占有される時間−周波数ドメインリソースのステータスに基づいて設定される。特に、ネットワークデバイスは、第１の制御情報の情報フィールドに第２の情報フィールドを追加し得るか、または第１の制御情報に第２の情報フィールドのビットを追加し、ダウンリンク制御チャネルによって占有されない時間−周波数ドメインリソースもしくはダウンリンク制御チャネルによって占有される時間−周波数ドメインリソースもしくはダウンリンクデータチャネルによって占有される時間−周波数ドメインリソースのステータスに基づいて第２の情報フィールドのビットのステータスを設定し得るか、または第２の情報フィールドが第１の制御情報の情報フィールド内にすでに存在するか、もしくは第２の情報フィールドのビットがすでに追加されている場合、ネットワークデバイスは、ダウンリンク制御チャネルによって占有されない時間−周波数ドメインリソースもしくはダウンリンク制御チャネルによって占有される時間−周波数ドメインリソースもしくはダウンリンクデータチャネルによって占有される時間−周波数ドメインリソースのステータスに基づいて第２の情報フィールドのビットのステータスを設定し得るか、または第２の情報フィールドのビットのステータスを有効としてマークし得る。
【０１６２】
第１の時間−周波数ドメインリソースが第１の時間領域内にある場合、第１の制御情報の情報フィールドは、第２の情報フィールドにおいて伝達される情報を含まないことがある。特に、ネットワークデバイスは、第１の制御情報の情報フィールドに第２の情報フィールドを追加しないことがあり、すなわち、第１の制御情報のビットの量は、第２の情報フィールドのビットを含まないか、または第２の情報フィールドが第１の制御情報の情報フィールド内にすでに存在する場合、ネットワークデバイスは、第２の情報フィールドが予約済み状態にあることを決定し、第１の制御情報から第２の情報フィールドを削除するか、もしくは第１の制御情報から第２の情報フィールドのビットを削除することがあり、予約済み状態は、第２の情報フィールドのビットが依然として第１の制御情報内にあるが、第２の情報フィールドのビットのステータスがもはや有効でないかもしくは指示情報の意味をもはや有しないことを意味する。第２の情報フィールドのビットの量は、ネットワークデバイスによって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内のすべての時間−周波数ドメインリソースではないことに留意されたい。
【０１６３】
たとえば、第１の制御情報を送信するための時間−周波数ドメインリソースがｓＰＤＣＣＨ領域内にある場合、第１の制御情報の情報フィールドは、第２の情報フィールドにおいて伝達される情報を含むか、または第１の制御情報を送信するための時間−周波数ドメインリソースが、ＰＤＣＣＨ領域、もしくはダウンリンクサブフレーム内の最初の１つ、２つ、３つ、もしくは４つのシンボルが属する時間領域内にある場合、第１の制御情報の情報フィールドは、第２の情報フィールドにおいて伝達される情報を含まない。
【０１６４】
この解決策の有益な効果は以下の通りである。レガシーユーザ端末のＰＤＣＣＨがＰＤＣＣＨ領域内に存在するので、ＰＤＣＣＨ領域が第１の時間領域内に存在するとき、「ダウンリンク制御チャネルによって占有されない時間−周波数ドメインリソースまたはダウンリンク制御チャネルによって占有される時間−周波数ドメインリソースまたはダウンリンクデータチャネルによって占有される時間−周波数ドメインリソース」内の時間ドメインリソースが、ＰＤＣＣＨ領域内の使用のためにアイドルである場合でも、時間ドメインリソースは、データ情報を送信するために使用され得ない。この場合、第１の制御情報は、第１の時間領域内の「ダウンリンク制御チャネルによって占有されない時間−周波数ドメインリソースまたはダウンリンクデータチャネルによって占有される時間−周波数ドメインリソース」を示す必要がない。しかしながら、第１の制御領域を超えて、データを送信するためにアイドルリソースが使用され得ない上記の場合は存在しない。したがって、第１の時間−周波数ドメインリソースが第１の時間領域を超える時間−周波数ドメインリソースであるとき、「ダウンリンク制御チャネルによって占有されない時間−周波数ドメインリソースもしくはダウンリンク制御チャネルによって占有される時間−周波数ドメインリソースもしくはダウンリンクデータチャネルによって占有される時間−周波数ドメインリソース」を示す情報が送信され、リソースのこの部分はデータ送信のために使用されて、リソース利用が改善される。第１の時間−周波数ドメインリソースが第１の時間領域内の時間−周波数ドメインリソースであるとき、第２の情報フィールドにおいて伝達される情報は送信されない。これは、第２の情報フィールドにおいて伝達される情報を送信する頻度を低減し、制御情報内の冗長情報を低減し、それにより、制御情報によって占有される時間−周波数ドメインリソースを低減し、システムリソース利用を改善する。
【０１６５】
任意選択で、この実施形態の別の実装シナリオでは、ネットワークデバイスは、第１の制御情報が、第３の情報フィールドにおいて伝達される情報を含むかどうかを決定し得る。対応する処理手順は以下の通りであり得る。第１の時間−周波数ドメインリソースが第２の時間領域内の時間−周波数ドメインリソースであるとき、少なくとも１つの情報フィールドは第３の情報フィールドを含む。
【０１６６】
第３の情報フィールドにおいて伝達される情報は、サウンディング参照信号ＳＲＳを送信するようにユーザ端末をトリガするために使用され、第２の時間領域は、ネットワークデバイスによって構成されるかまたは事前に定義される。
【０１６７】
第３の情報フィールドにおいて伝達される情報はＳＲＳ要求情報を含む。
【０１６８】
一実装形態では、ネットワークデバイスは、第１の時間−周波数ドメインリソースが第２の時間領域内にあるかどうかを決定し得る。第１の時間−周波数ドメインリソースが第２の時間領域内にある場合、第１の制御情報の情報フィールドは、第３の情報フィールドにおいて伝達される情報を含むことがあり、第３の情報フィールドのビットのステータスは、ユーザ端末がサウンディング参照信号ＳＲＳを送信するようにトリガされるかどうかに従って設定される。特に、ネットワークデバイスは、第１の制御情報の情報フィールドに第３の情報フィールドを追加し得るか、または第１の制御情報に第２の情報フィールドのビットを追加し、ユーザ端末がサウンディング参照信号ＳＲＳを送信するようにトリガされるかどうかに従って第３の情報フィールドのビットのステータスを設定し得るか、または第３の情報フィールドが第１の制御情報の情報フィールド内にすでに存在するか、もしくは第３の情報フィールドのビットがすでに追加されている場合、ネットワークデバイスは、ユーザ端末がサウンディング参照信号ＳＲＳを送信するようにトリガされるかどうかに従って第３の情報フィールドのビットのステータスを設定し得るか、もしくは第３の情報フィールドのビットのステータスを有効としてマークし得る。
【０１６９】
第１の時間−周波数ドメインリソースが第２の時間領域内にない場合、第１の制御情報の情報フィールドは、第３の情報フィールドにおいて伝達される情報を含まないことがある。特に、ネットワークデバイスは、第１の制御情報の情報フィールドに第３の情報フィールドを追加しないことがあり、すなわち、第１の制御情報のビットの量は、第３の情報フィールドのビットを含まないか、または第３の情報フィールドが第１の制御情報の情報フィールド内にすでに存在する場合、ネットワークデバイスは、第３の情報フィールドのステータスが予約済み状態であることを決定し、第１の制御情報から第３の情報フィールドを削除するか、もしくは第１の制御情報から第３の情報フィールドのビットを削除し、予約済み状態は、第３の情報フィールドのビットが依然として第１の制御情報内にあるが、第３の情報フィールドのビットのステータスがもはや有効でないかまたは指示情報の意味をもはや有しないことを意味する。第３の情報フィールドのビットの量は、ネットワークデバイスによって決定されるかまたは事前に定義され得る。
【０１７０】
たとえば、第２の時間領域は、事前に定義されたｓＰＤＣＣＨ領域であり得る。第１の制御情報を送信するための時間−周波数ドメインリソースがｓＰＤＣＣＨ領域内にある場合、第１の制御情報の情報フィールドは、第３の情報フィールドにおいて伝達される情報を含む。第１の制御情報を送信するための時間−周波数ドメインリソースがｓＰＤＣＣＨ領域内にない（たとえば、ＰＤＣＣＨ領域または別のｓＰＤＣＣＨ領域にある）場合、第１の制御情報の情報フィールドは、第３の情報フィールドにおいて伝達される情報を含まない。
【０１７１】
この解決策の有益な効果は以下の通りである。ＳＲＳを送信するためのリソースはセルレベルで構成され、最も集約的なＳＲＳリソースに現在関して、制御情報が頻繁に送信されるとき、ＳＲＳは２ｍｓごとに１回送信されるので、複数の制御情報内のＳＲＳ要求情報は、同じＳＲＳを送信するようにユーザ端末に指示し得る。この解決策における処理に基づいて、ネットワークデバイスは、第１の時間−周波数ドメインリソースが指定の時間領域内にあるときのみ、ユーザ端末にＳＲＳ要求情報を送信する。これは、ＳＲＳ要求情報を送信する頻度を低減し、制御情報内の冗長情報を低減し、それにより、制御情報によって占有される時間−周波数ドメインリソースを低減し、システムリソース利用を改善することができる。
【０１７２】
任意選択で、この実施形態の別の実装シナリオでは、ネットワークデバイスは、第１の制御情報が、第４の情報フィールドにおいて伝達される情報を含むかどうかを決定し得る。対応する処理手順は以下の通りであり得る。第１の時間−周波数ドメインリソースが第３の時間領域内の時間−周波数ドメインリソースであるとき、少なくとも１つの情報フィールドは第４の情報フィールドを含む。
【０１７３】
第４の情報フィールドにおいて伝達される情報は、チャネル品質情報ＣＳＩを送信するようにユーザ端末をトリガするために使用され、第３の時間領域は、ネットワークデバイスによって構成されるかまたは事前に定義される。異なる構成または事前定義に基づいて、第３の時間領域は、第２の時間領域と同じであり得るか、または第２の時間領域とは異なり得る。
【０１７４】
任意選択で、第４の情報フィールドにおいて伝達される情報はチャネル状態情報ＣＳＩ指示情報を含む。
【０１７５】
一実装形態では、ネットワークデバイスは、第１の時間−周波数ドメインリソースが第３の時間領域内にあるかどうかを決定し得る。第１の時間−周波数ドメインリソースが第３の時間領域内にある場合、第１の制御情報の情報フィールドは、第４の情報フィールドにおいて伝達される情報を含むことがあり、第４の情報フィールドのビットのステータスは、ユーザ端末がチャネル品質情報ＣＳＩを送信するようにトリガされるかどうかに従って設定される。特に、ネットワークデバイスは、第１の制御情報の情報フィールドに第４の情報フィールドを追加し得るか、または第１の制御情報に第４の情報フィールドのビットを追加し、ユーザ端末がチャネル品質情報ＣＳＩを送信するようにトリガされるかどうかに従って第４の情報フィールドのビットのステータスを設定し得るか、または第４の情報フィールドが第１の制御情報の情報フィールド内にすでに存在するか、もしくは第４の情報フィールドのビットがすでに追加されている場合、ネットワークデバイスは、ユーザ端末がチャネル品質情報ＣＳＩを送信するようにトリガされるかどうかに従って第４の情報フィールドのビットのステータスを設定し得るか、もしくは第４の情報フィールドのビットのステータスを有効としてマークし得る。
【０１７６】
第１の時間−周波数ドメインリソースが第３の時間領域内にない場合、第１の制御情報の情報フィールドは、第４の情報フィールドにおいて伝達される情報を含まないことがある。特に、ネットワークデバイスは、第１の制御情報の情報フィールドに第４の情報フィールドを追加しないことがあり、すなわち、第１の制御情報のビットの量は、第４の情報フィールドのビットを含まないか、または第４の情報フィールドが第１の制御情報の情報フィールド内にすでに存在する場合、ネットワークデバイスは、第４の情報フィールドが予約済み状態にあることを決定し、第１の制御情報から第４の情報フィールドを削除するか、もしくは第１の制御情報から第４の情報フィールドのビットを削除し、予約済み状態は、第４の情報フィールドのビットが依然として第１の制御情報内にあるが、第４の情報フィールドのビットのステータスがもはや有効でないかまたは指示情報の意味をもはや有しないことを意味する。第４の情報フィールドのビットの量は、ネットワークデバイスによって決定されるかまたは事前に定義され得る。
【０１７７】
この解決策では、第３の時間領域は、様々な方法を使用することによって定義され得る。この実施形態は２つの実現可能な様式を提供する。
【０１７８】
様式１：第３の時間領域は、ＰＤＣＣＨ領域など、固定のまたは事前に定義された時間領域である。これは、この実施形態では限定されない。
【０１７９】
様式２：第３の時間領域は、ネットワークデバイスによってユーザ端末のＣＳＩ指示情報を受信する、以前の時間に基づいて決定される。
【０１８０】
一実装形態では、ネットワークデバイスは、ユーザ端末にＣＳＩ指示情報を含めた制御情報を送信することがあり、ＣＳＩ指示情報を正常に受信した後に、ユーザ端末は、ネットワークデバイスに受信成功応答メッセージを送信し得、次いで、ネットワークデバイスはタイマーをトリガし、タイマーにおいてプリセット期間が満了した後に、ユーザ端末にＣＳＩ指示情報を含めた制御情報を送信し得る。しかしながら、タイマーにおけるプリセット期間が満了する前に、ネットワークデバイスはユーザ端末にＣＳＩ指示情報を送信せず、すなわち、制御情報は第４の情報フィールドを含まない。除外の特定の様式は上記の様式と同じであり、ここで再び説明されない。
【０１８１】
この解決策の有益な効果は以下の通りである。ユーザ端末の処理速度は限定されており、たとえば、測定時間からＣＳＩフィードバックの時間まで少なくともいくつかのミリ秒が必要とされるので、制御情報を送信するための間隔が測定時間よりもはるかに短いとき、複数の制御情報におけるＣＳＩ指示情報によってトリガされるようにユーザ端末によって送信されることになるＣＳＩは、同じ測定時間に対応することがあり、すなわち、ユーザ端末によってフィードバックされるＣＳＩコンテンツは同じである。ネットワークデバイスは、第１の時間−周波数ドメインリソースが指定の時間領域内にあるときのみ、ユーザ端末にＣＳＩ指示情報を送信する。これは、ＣＳＩ指示情報を送信する頻度を低減し、制御情報内の冗長情報を低減し、それにより、制御情報によって占有される時間−周波数ドメインリソースを低減し、システムリソース利用を改善することができる。
【０１８２】
一実施形態は、制御情報を送信するための方法をさらに提供する。本方法はネットワークデバイスによって実行され得る。図５に示されているように、本方法の処理手順は以下の通りであり得る。
【０１８３】
ステップ５０１：ネットワークデバイスが、第１の制御情報に含められる少なくとも１つの情報フィールドを決定する。
【０１８４】
少なくとも１つの情報フィールドにおいて伝達される情報は、
（１）少なくとも１つの送信時間内に受信および／または送信される情報に対応する冗長バージョン情報、
（２）Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
（３）少なくとも１つの送信時間内にアップリンクチャネル上でアップリンクデータが送信されるべきであるかどうかを示す情報
のうちの少なくとも１つまたはそれらの任意の組合せを含み得る。
【０１８５】
一実装形態では、少なくとも１つの送信時間のうちの１つまたは複数は、０．５ｍｓ以下の期間であり得る。ユーザ端末に第１の制御情報を送信する前に、ネットワークデバイスは、第１の制御情報に含められる情報フィールドを最初に決定する必要がある。ネットワークデバイス末は、第１の制御情報に含められる情報フィールドを決定するために従来技術における解決策を使用し得るか、または第１の制御情報に含められる情報フィールドを決定するためにステップ４０１から４０３における解決策を使用し得る。この実施形態では、１つまたは複数の第１の制御情報があり得る。複数の第１の制御情報がある場合、対応して、本発明に従って制御情報を送信するための方法は、各制御情報について実行され得る。このステップにおける少なくとも１つの送信時間は、ステップ４０１から４０３における少なくとも１つの送信時間と同じであるかまたはそれとは異なり得ることに留意されたい。これは、この実施形態では限定されない。
【０１８６】
ステップ５０２：ネットワークデバイスが、ユーザ端末に第１の制御情報を送信する。
【０１８７】
一実装形態では、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。
【０１８８】
任意選択で、この実施形態の実装シナリオでは、少なくとも１つの情報フィールドは第１の情報フィールドを含むことがあり、第１の情報フィールドにおいて伝達される情報は、少なくとも１つの送信時間内に受信および／または送信される情報に対応する冗長バージョン情報を含み、ユーザ端末に第１の制御情報を送信する前に、ネットワークデバイスは以下の処理をさらに実行し得る。ネットワークデバイスがＭを決定し、少なくとも１つの送信時間はＭ個の送信時間であり、Ｍは１以上の正の整数であり、ネットワークデバイスは、Ｍ、第１の情報フィールドのビットの量、ならびにＭ個の送信時間内に受信および／または送信される情報に対応する冗長バージョン情報（ＲＶリビジョン）に基づいて、第１の情報フィールドの少なくとも１つのビットのステータスを決定する。
【０１８９】
ネットワークデバイスは、第１の情報フィールドのビットの量を決定する。特に、第１の情報フィールドのビットの量は、固定であるかもしくは事前に定義され得るか、またはビットの量は、ステップ４０１から４０３を実行することによってもしくは別の様式で決定される。これは、この実施形態では限定されない。第１の情報フィールドのビットの量は、第１の情報フィールドに含められた情報のビットの量または第１の情報フィールドに含められたビットの量である。
【０１９０】
Ｍは、ユーザ端末がＭ個の送信時間内に情報を受信すべきことを示し、および／またはＭ個の送信時間内に情報を送信するようにユーザ端末をトリガするために使用される。
【０１９１】
一実装形態では、ネットワークデバイスは、ユーザ端末によって情報を受信するための送信時間の数および／またはユーザ端末によって情報を送信するための送信時間の数（Ｍ）を決定することがあり、Ｍは、第１の制御情報もしくは他の制御情報に基づいてネットワークデバイスによって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得るか、またはネットワークデバイスによってそれ自体によって決定され得る。ネットワークデバイスは、送信時間の数と、第１の情報フィールドのビットの量と、第１の情報フィールドのビットのステータスと、少なくとも１つの送信時間内に受信および／または送信される情報に対応する冗長バージョン情報との間の対応を事前に記憶し得る。ネットワークデバイスは、この対応、Ｍ、第１の情報フィールドのビットの量、ならびにＭ個の送信時間内に受信および／または送信される情報に対応する冗長バージョン情報に基づいて、第１の情報フィールドの少なくとも１つのビットのステータスを決定し得る。Ｍ個の送信時間は連続または不連続であり得る。これは、この実施形態では限定されない。
【０１９２】
対応は特に以下の通りであり得る。第１の情報フィールドのビットの量がＸであり、Ｘの値が、上位層シグナリングに基づいて構成されるか、固定であるか、または事前に定義され得るとき、ネットワークデバイスは、Ｘの値とＭの値との間の関係に基づいて、冗長バージョンを示すビットの量を決定し、Ｍ個の送信時間内に受信および／または送信される情報に対応する冗長バージョンに基づいて第１の情報フィールドの少なくとも１つのビットのステータスをさらに決定し得る。３つの場合が、以下のように含まれる。
【０１９３】
（１）ＭがＸよりも大きいとき、Ｘにおける１つのビットは、冗長バージョンに関する情報を示すために使用され、少なくとも１つのビットの１つの状態は、少なくとも２つの送信時間内の１つの冗長バージョンに対応する。ビットの状態０は冗長バージョン０に対応し、ビットの状態１は冗長バージョン２に対応するか、またはその逆である。ここで、ビットのステータスおよび冗長バージョンの値は特に限定されない。
【０１９４】
たとえば、Ｍが５に等しく、Ｘが４に等しい場合、Ｘにおける少なくとも１つのビットは、２つの送信時間内に同じ冗長バージョン情報が使用されることを示し、冗長バージョン情報は（０，２）である。Ｍは、｛第１の送信時間，…，第５の送信時間｝を含めた、５つの送信時間がスケジュールされることを意味する。第１の情報フィールドは、４ビット、｛ａ，ｂ，ｃ，ｄ｝を含む。たとえば、ビットａは第１の送信時間および第２の送信時間内の冗長バージョンに対応し得、ビットｂは第３の送信時間内の冗長バージョンに対応し得、ビットｃは第４の送信時間内の冗長バージョンに対応し得、ビットｄは第５の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間および第５の送信時間内の冗長バージョンに対応し得る。
【０１９５】
たとえば、Ｍが６に等しく、Ｘが４に等しい場合、Ｘにおける１つのビットは、２つまたは３つの送信時間内に同じ冗長バージョン情報が使用されることを示し、冗長バージョン情報は（０，２）である。特に、２つまたは３つの送信時間は事前に定義され得る。Ｍは、｛第１の送信時間，…，第６の送信時間｝を含めた、６つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間、第５の送信時間、および第６の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間および第４の送信時間内の冗長バージョンに対応し得、ビットｄは第５の送信時間および第６の送信時間内の冗長バージョンに対応し得る。
【０１９６】
（２）ＭがＸよりも小さく、Ｍが第１のプリセットしきい値よりも大きいとき、Ｘにおける各ビットの１つの状態は、最大１つのＴＴＩ内の冗長バージョンに対応する。第１のプリセットしきい値は正の整数であり、Ｘ／２またはＸ／３を切り捨てることによって取得され得る。これは、この実施形態では限定されない。
【０１９７】
たとえば、Ｍが３に等しく、Ｘが４に等しく、第１のプリセットしきい値が２である場合、少なくとも１つのビットの１つの状態は、１つの送信時間内の冗長バージョン情報に対応することがあり、冗長バージョン情報は（０，２）である。たとえば、Ｍは、｛第１の送信時間，…，第３の送信時間｝を含めた、３つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得るか、またはビットｂは第１の送信時間内の冗長バージョンに対応し得、ビットｃは第２の送信時間内の冗長バージョンに対応し得、ビットｄは第３の送信時間内の冗長バージョンに対応し得る。
【０１９８】
（３）Ｍが第１のプリセットしきい値以下であるとき、ｉビットごとの１つの状態は、最大１つのＴＴＩ内の冗長バージョンに対応する。第１のプリセットしきい値は正の整数であり、Ｘ／ｉを切り捨てることによって取得され得、ｉは１以上の正の整数である。
【０１９９】
たとえば、Ｍが２に等しく、Ｘが４に等しく、ｉが２に等しいかまたは第１のプリセットしきい値が２である場合、少なくとも２つのビットの１つの状態は、１つのＴＴＩ内の冗長バージョンに対応し、冗長バージョンは（０，１，２，３）である。たとえば、Ｍは、｛第１の送信時間，第２の送信時間｝を含めた、２つの送信時間がスケジュールされることを意味する。第１の情報フィールドは、４ビット、｛ａ，ｂ，ｃ，ｄ｝を含む。たとえば、ビットａおよびビットｂは第１の送信時間内の冗長バージョンに対応し得、ビットｃおよびビットｄは第２の送信時間内の冗長バージョンに対応し得るか、またはビットａおよびビットｂは第２の送信時間内の冗長バージョンに対応し得、ビットｃおよびビットｄは第１の送信時間内の冗長バージョンに対応し得る。
【０２００】
この解決策では、ＭはＮと同じであり得るか、またはＮとは異なり得ることに留意されたい。
【０２０１】
この解決策の有益な効果は以下の通りである。従来技術では、各ＴＴＩは、１つまたは２つのビット内の冗長バージョンに対応する。Ｎ個のｓＴＴＩがスケジュールされた場合、各制御情報は、Ｎビットから２Ｎビット内の冗長バージョン情報を含む。しかしながら、この解決策に基づいて、冗長バージョンを示すために固定ビットが使用され得る。これは、情報フィールド内の情報のビットの量を低減し、制御情報によって占有される時間−周波数ドメインリソースを低減し、システムリソース利用を改善することができる。
【０２０２】
任意選択で、この実施形態の別の実装シナリオでは、少なくとも１つの情報フィールドは第２の情報フィールドを含み、第２の情報フィールドにおいて伝達される情報はＮを含み、ユーザ端末に第１の制御情報を送信する前に、ネットワークデバイスは以下の処理をさらに実行し得る。ネットワークデバイスが、Ｎおよび第１の対応に基づいて第２の情報フィールドの少なくとも１つのビットのステータスを決定し、第１の対応は、少なくとも１つのビットのステータスとＮとの対応であり、第１の対応は、ネットワークデバイスによって構成されるかまたは事前に定義される。
【０２０３】
Ｎは、Ｎ個の送信時間を示し、第１の制御情報は、ユーザ端末にＮ個の送信時間内に情報を受信するように指示するために使用され、および／またはＮ個の送信時間内に情報を送信するようにユーザ端末をトリガするために使用され、Ｎは１以上の正の整数である。
【０２０４】
一実装形態では、第２の情報フィールドのビットの量は、固定であるかもしくは事前に定義され得るか、または送信時間の期間に基づいて決定され得る。
【０２０５】
場合１：第２の情報フィールドのビットの量は固定であるかもしくは事前に定義される。
【０２０６】
場合１は、０．５ｍｓ以下である複数の送信時間のスケジューリングに適用可能であり得るか、または１ｍｓの複数の送信時間のスケジューリングに適用可能であり得る。対応して、第２の情報フィールドによって示され得る送信時間の量セット内の要素の数が、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成され得るかまたは事前に定義され得る。
【０２０７】
たとえば、第２の情報フィールドのビットの量が２である場合、第２の情報フィールドによって示される送信時間の量セットは（１，ａｌｔ１，ａｌｔ２，ａｌｔ３）として定義され得、ａｌｔ１からａｌｔ３は、連続的にスケジュールされたｓＴＴＩの数に対応し、ａｌｔ１からａｌｔ３は、上位層シグナリングに基づいてユーザ端末によって構成され、上位層シグナリングはＲＲＣ構成情報であり得る。ａｌｔ１からａｌｔ３は、代替として、事前に定義された値であり得る。以下では、第２の情報フィールドのビットの量が２である例を使用する。本明細書における対応は限定されない。具体的には、別の対応では、００は、代替として、ａｌｔ３に対応するかまたは数３に対応し得る。
【０２０８】
【表１】
2019525641.tif 000021
【０２０９】
【表２】
2019525641.tif 000022
【０２１０】
場合２：第２の情報フィールドのビットの量は可変である。
【０２１１】
場合２は、０．５ｍｓ以下である複数の送信時間のスケジューリングに適用可能であり得る。ネットワークデバイスは、スケジュールされた送信時間の期間に基づいて第２の情報フィールドのビットの量を決定し、次いで、Ｎおよび第１の対応に基づいて第２の情報フィールドの少なくとも１つのビットのステータスを決定し得る。
【０２１２】
たとえば、送信時間の期間が７つのシンボルである場合、第２の情報フィールドのビットの量は１であるか、送信時間の期間が４つのシンボルである場合、第２の情報フィールドのビットの量は２であるか、または送信時間の期間が２つのシンボルである場合、第２の情報フィールドのビットの量は３である。以下では、送信時間の期間が２つのシンボルである例を使用し、第２の情報フィールドのビットの量は３である。本明細書における対応は限定されない。具体的には、別の対応では、０００は、代替として４に対応し得る。
【０２１３】
【表３】
2019525641.tif 000023
【０２１４】
場合１における第１の対応のコンテンツは、場合２における第１の対応のコンテンツとは異なり得ることに留意されたい。
【０２１５】
この解決策の有益な効果は以下の通りである。従来技術では、制御情報は、スケジュールされたＴＴＩの最大数を満たし得る固定のビットの量、たとえば、３ビットを含む。この解決策では、情報フィールド内の情報のビットの量が低減され得、連続的にスケジュールされたＴＴＩの最大数を示すビットの量は含まれる必要がない。これは、制御情報によって占有される時間−周波数ドメインリソースを低減し、システムリソース利用を改善することができる。
【０２１６】
任意選択で、この実施形態の別の実装シナリオでは、少なくとも１つの情報フィールドは第３の情報フィールドを含み、第３の情報フィールドにおいて伝達される情報は、アップリンクデータが少なくとも１つの送信時間内にアップリンクチャネル上で送信されるべきであるかどうかを示す情報を含み、ユーザ端末に第１の制御情報を送信する前に、ネットワークデバイスは以下の処理をさらに実行し得る。ネットワークデバイスがＰを決定し、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である。
【０２１７】
ネットワークデバイスはＰを１と比較し得る。
【０２１８】
一実装形態では、Ｐが１よりも大きいとき、ネットワークデバイスは、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定し得、Ｋは、１以上でＰ以下である正の整数である。具体的には、第３の情報フィールドは、アップリンクデータがＫ個の送信時間の一部分内にアップリンクチャネル上で送信されるべきであることと、アップリンクデータがＫ個の送信時間の他の部分内にアップリンクチャネル上で送信されるべきでないこととを示すために使用され得る。たとえば、スケジュールされた送信時間の数が１よりも大きいとき、Ｋビットのうちの１つのステータスは、アップリンクデータが、１ビットに対応する送信時間内にアップリンクチャネル上で送信されるべきであること、またはアップリンクデータが、１ビットに対応する送信時間内にアップリンクチャネル上で送信されるべきでないことを示すために使用され得る。別の例では、スケジュールされた送信時間の数が１よりも大きいとき、１ビットのデータは、アップリンクデータが、事前に定義されたｓＴＴＩ内に送信されるべきであることを示すために使用され得るか、または１ビットのデータは、アップリンクデータが、事前に定義されたｓＴＴＩ内に送信されるべきでないことを示すために使用され得る。
【０２１９】
Ｐが１に等しいとき、ネットワークデバイスは、第３の情報フィールドが変調および符号化方式ＭＣＳ情報フィールドであることを決定し、かつ第３の情報フィールドが、アップリンクデータが１つの送信時間内にアップリンクチャネル上で送信されるべきであるかどうかを示すために使用されることを決定し、ＭＣＳ情報フィールド内のビットの状態２９は、アップリンクデータが送信時間内にアップリンクチャネル上で送信されるべきでないことを示すために使用され得る。
【０２２０】
この解決策では、ＰはＮと同じであり得るか、またはＮとは異なり得ることに留意されたい。ＰおよびＫは、第１の制御情報もしくは他の制御情報に基づいてネットワークデバイスによって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得るか、またはネットワークデバイスによってそれ自体によって決定され得る。詳細について、ここで再び説明されない。
【０２２１】
第３の情報フィールドを決定した後に、ネットワークデバイスは、アップリンクデータがＫ個の送信時間内にアップリンクチャネル上で送信されるべきであるかどうかに従って第３の時間ドメイン情報フィールドのビットのステータスを決定するか、またはアップリンクデータが１つの送信時間内にアップリンクチャネル上で送信されるべきであるかどうかに従って第３の時間ドメイン情報フィールドのビットのステータスを決定する。
【０２２２】
この解決策の有益な効果は以下の通りである。従来技術では、複数のＴＴＩがスケジュールされたとき、オーバーヘッドを低減するために、制御情報はただ１つのＭＣＳ情報フィールドを含み、すなわち、複数のＴＴＩ内の情報は、同じＭＣＳを使用することによって送信される。ＭＣＳ情報フィールド内のビットの状態２９が、アップリンクデータがＴＴＩ内に送信されるべきであるかどうかに関する指示情報を示すために依然として使用される場合、それは、アップリンクデータがすべてのＴＴＩ内に送信されるべきであること、またはアップリンクデータがどんなＴＴＩ内でも送信されるべきでないことのみを示すことができる。しかしながら、実際には、アップリンクデータを送信するためにただ１つのＴＴＩが使用されず、結果的にリソースが浪費される。この解決策では、指示情報は、アップリンクデータがＴＴＩ内に送信されるべきであるかどうかを示すために１つの制御メッセージ内で送信され得、したがってシステムリソース利用が改善される。
【０２２３】
加えて、この実施形態は、アップリンクデータが、少なくとも１つの送信時間内にアップリンクチャネル上で送信されるべきであるかどうかを示すための方法をさらに提供する。本方法の処理手順は以下の通りであり得る。ネットワークデバイスが第１の制御情報を送信し、第１の制御情報は、第１の期間を有する少なくとも１つの送信時間内のユーザ端末のスケジューリング情報の指示を含み、スケジューリング情報は、送信時間内に情報を受信するようにユーザ端末をトリガしおよび／またはユーザ端末がＰ個の送信時間内に情報を送信すべきことを示すために使用され、第１の期間は０．５ｍｓ以下の期間であり、ネットワークデバイスは第２の制御情報を送信し、第２の制御情報は、アップリンクデータが、少なくとも１つの送信時間のうちの１つ内にアップリンクチャネル上で送信されるべきであるかどうかを示すために使用される。
【０２２４】
本方法では、第１の制御情報を送信した後に、ネットワークデバイスは、ユーザ端末が少なくとも１つの送信時間のうちの１つ内にアップリンクチャネル上でアップリンクデータを送信すべきであるかどうかを示すために、１つの制御情報（すなわち、第２の制御情報）を別々に送信し得る。
【０２２５】
一実施形態は、制御情報を検出するための方法を提供する。本方法はユーザ端末によって実行され得る。図６に示されているように、本方法の処理手順は以下の通りであり得る。
【０２２６】
ステップ６０１：ユーザ端末が、第１の制御情報を検出するための第１の時間−周波数ドメインリソースに基づいて、第１の制御情報に含められる少なくとも１つの情報フィールドを決定する。
【０２２７】
第１の時間−周波数ドメインリソースは、第１の制御情報を送信するための時間−周波数ドメインリソースであり、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。第１の時間−周波数ドメインリソースは、第１の制御領域または第１のダウンリンク制御チャネル領域と呼ばれることもある。たとえば、第１の時間−周波数ドメインリソースが、ダウンリンクサブフレーム内の最初の３つのシンボルが属する時間領域内の時間−周波数ドメインリソースであり、ダウンリンクサブフレームが、ＮＣＰをもつサブフレームであるとき、第１の時間−周波数ドメインリソースは、シーケンス番号がダウンリンクサブフレームの第１のスロット内で＃０、＃１、および＃２であるシンボルを含む。
【０２２８】
一実装形態では、ユーザ端末は、１つまたは複数の時間−周波数ドメインリソース（第１の時間−周波数ドメインリソース）内に制御情報を検出することがある。第１の制御情報を検出した後に、ユーザ端末は、第１の制御情報を送信するための第１の時間−周波数ドメインリソースを決定し、第１の時間−周波数ドメインリソースに基づいて、第１の制御情報に含められる少なくとも１つの情報フィールドをさらに決定し得る。
【０２２９】
この実施形態では、第１の制御情報を送信するための時間−周波数ドメインリソースが異なるとき、第１の制御情報に含められる情報フィールドは、異なることもあるかまたは同じであることもある。一実装方法では、第１の制御情報を送信するための第１の時間−周波数ドメインリソースが時間ドメインリソースＢであるとき、第１の制御情報は第１の情報フィールドを含むか、または第１の制御情報を送信するための第１の時間−周波数ドメインリソースが時間ドメインリソースＣであるとき、第１の制御情報は第１の情報フィールドを含まない。別の実装方法では、第１の制御情報を送信するための第１の時間−周波数ドメインリソースが時間ドメインリソースＢであるとき、第１の制御情報は第１の情報フィールドを含み、第１の情報フィールドは第１のサブ情報を示すために使用されるか、または第１の制御情報を送信するための第１の時間−周波数ドメインリソースが時間ドメインリソースＣであるとき、第１の制御情報は第１の情報フィールドを含むが、第１の情報フィールドは、第１のサブ情報を示すために使用されないかもしくは予約済みで使用されない。
【０２３０】
この実施形態では、１つまたは複数の第１の制御情報があり得る。複数の第１の制御情報がある場合、対応して、本発明に従って制御情報を送信するための方法は、各制御情報について実行され得る。
【０２３１】
ステップ６０２：ユーザ端末が、少なくとも１つの情報フィールドに基づいて第１の制御情報のビットの量を決定する。
【０２３２】
一実装形態では、第１の制御情報に含められる情報フィールドを決定した後に、ユーザ端末は、各情報フィールドのビットの量を決定し、すべての情報フィールドのビットの量の和をさらに決定して第１の制御情報のビットの量を取得し得る。
【０２３３】
ステップ６０３：ユーザ端末が、第１の制御情報のビットの量に基づいて第１の時間−周波数ドメインリソース上で第１の制御情報を検出する。
【０２３４】
一実装形態では、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。ユーザ端末は、第１の制御情報のビットの量に基づいてビットの総量を決定し、次いで、ビットの総量に基づいて第１の時間−周波数ドメインリソース上で第１の制御情報を検出し得る。
【０２３５】
ステップ６０４：ユーザ端末が、第１の制御情報を検出した後に第１の制御情報を受信する。
【０２３６】
任意選択で、この実施形態の実装シナリオでは、ユーザ端末は、第１の制御情報が、第１の情報フィールドにおいて伝達される情報を含むかどうかを決定し得る。対応する処理手順は以下の通りであり得る。第１の時間−周波数ドメインリソースが第１の時間領域内の時間−周波数ドメインリソースであるとき、少なくとも１つの情報フィールドは第１の情報フィールドを含む。
【０２３７】
第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。物理ダウンリンク制御チャネルＰＤＣＣＨ領域はサブフレームのいくつかの開始シンボル内にあり、基地局は、ＰＣＦＩＣＨチャネルを使用することによってＰＤＣＣＨ領域について、セルによってサービスされるすべてのユーザ端末に通知し、ＰＤＣＣＨ領域はサブフレーム内で異なり得ることに留意されたい。しかしながら、ダウンリンクサブフレーム内の最初の１つ、２つ、３つ、または４つのシンボルは、ダウンリンクサブフレームのＰＤＣＣＨ領域よりも大きいか、それよりも小さいか、またはそれに等しくなり得る。
【０２３８】
一実装形態では、少なくとも２つの制御情報フォーマットは、ＤＣＩフォーマット０、ＤＣＩフォーマット１、ＤＣＩフォーマット２、もしくはＤＣＩフォーマット４など、１ｍｓのＴＴＩを示す制御情報フォーマット、およびＤＣＩフォーマット７ＡもしくはＤＣＩフォーマット７Ｂなど、１ｍｓよりも短いＴＴＩのフォーマットを含み得るか、または少なくとも２つの制御情報フォーマットは、ＤＣＩフォーマット０およびＤＣＩフォーマット７Ａなど、第１の制御情報フォーマットおよび第２の制御情報フォーマットを含み得る。上記の特定のフォーマットの数は限定されない。少なくとも２つの時間長は、１ｍｓの期間および１ｍｓよりも短い期間を含み得る。ここで、期間は、ユーザ端末がその期間内に情報を受信するかまたは情報を送信すべきことを示し得る。
【０２３９】
第１の情報フィールドにおいて伝達される情報は、フォーマット識別指示情報またはＴＴＩ期間指示情報を含む。
【０２４０】
ユーザ端末は、第１の時間−周波数ドメインリソースが第１の時間領域内にあるかどうかを決定し得る。第１の時間−周波数ドメインリソースが第１の時間領域内にある場合、ユーザ端末は、第１の制御情報の情報フィールドが、第１の情報フィールドにおいて伝達される情報を含み得ることを決定し得る。第１の時間−周波数ドメインリソースが第１の時間領域内にない場合、たとえば、第１の時間−周波数ドメインリソースが、０．５ｍｓ以下である送信時間内の時間−周波数ドメインリソースである場合、ユーザ端末は、第１の制御情報が、第１の情報フィールドにおいて伝達される情報を含まないことを決定し得る。特に、第１の制御情報の情報フィールドは第１の情報フィールドを含まないことがあるか、または第１の制御情報の情報フィールドは第１の情報フィールドを含むが第１の情報フィールドは、少なくとも２つの制御情報フォーマットのうちの一方を示すために使用されるかもしくは少なくとも２つの時間長のうちの一方を示すために使用される情報を伝達しないか、または第１の制御情報の情報フィールドは第１の情報フィールドを含むがユーザ端末は、第１の情報フィールドにおいて伝達され、少なくとも２つの制御情報フォーマットのうちの一方を示すために使用されるかもしくは少なくとも２つの時間長のうちの一方を示すために使用される情報を受信しない。第１の情報フィールドのビットの量は、ユーザ端末によって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内の時間−周波数ドメインリソースの一部であり得ることに留意されたい。
【０２４１】
たとえば、第１の制御情報を検出するための時間−周波数ドメインリソースがＰＤＣＣＨ領域内にある場合、第１の制御情報の情報フィールドは、第１の情報フィールドを含むか、または第１の制御情報を検出するための時間−周波数ドメインリソースがｓＰＤＣＣＨ領域内にある場合、第１の制御情報の情報フィールドは、第１の情報フィールドを含まず、ｓＰＤＣＣＨ領域は、０．５ｍｓ以下である送信時間内のダウンリンク制御情報の時間領域であり得るか、または０．５ｍｓ以下である送信時間であり得る。たとえば、送信時間は２シンボルＴＴＩであり、ｓＰＤＣＣＨ領域は、２シンボルＴＴＩの１つのシンボルであり得るかまたは２シンボルＴＴＩであり得る。別の例では、第１の制御情報を検出するための時間−周波数ドメインリソースが、ダウンリンクサブフレーム内の最初の１つ、２つ、３つ、もしくは４つのシンボルが属する時間領域内にある場合、第１の制御情報の情報フィールドは、第１の情報フィールドを含むか、または第１の制御情報を検出するための時間−周波数ドメインリソースが、ダウンリンクサブフレーム内の最初の１つ、２つ、３つ、もしくは４つのシンボルが属する時間領域内にない場合、第１の制御情報は、第１の情報フィールドにおいて伝達される情報を含まない。特に、第１の制御情報の情報フィールドは第１の情報フィールドを含まないか、または第１の制御情報の情報フィールドは第１の情報フィールドを含むが第１の情報フィールドは、少なくとも２つの制御情報フォーマットのうちの一方を示すために使用されるかもしくは少なくとも２つの時間長のうちの一方を示すために使用される情報を伝達しないか、または第１の制御情報の情報フィールドは第１の情報フィールドを含むがユーザ端末は、第１の情報フィールドにおいて伝達され、少なくとも２つの制御情報フォーマットのうちの一方を示すために使用されるかもしくは少なくとも２つの時間長のうちの一方を示すために使用される情報を受信しない。
【０２４２】
第１の制御情報を検出した後に、ユーザ端末は、第１の制御情報を受信し、第１の情報フィールドのビットのステータスに基づいて、制御情報フォーマットまたは期間など、第１の制御情報に含められる第１の情報フィールドにおいて伝達される情報を決定し得る。
【０２４３】
この解決策の有益な効果は以下の通りである。基地局によってユーザ端末に送信される制御情報は、１ｍｓのＴＴＩを示すために使用される制御情報であり得るか、または、１ｍｓよりも短い、短いＴＴＩを示すために使用される制御情報であり得る。したがって、ユーザ端末によって制御情報をブラインド検出する回数を低減するために、基地局は、２つのタイプの制御情報におけるビットの量が同じになるように設定し、この時に使用されるべき特定の制御情報を示すために第１の制御情報の第１の情報フィールドを使用し得る。しかしながら、第１の時間−周波数ドメインリソースがダウンリンクサブフレーム内の時間領域以外の時間領域内にあるとき、基地局によってユーザ端末に送信される制御情報は、１ｍｓよりも短い、短いＴＴＩを示すために使用される制御情報のみであり得る。これに基づいて、この解決策では、ユーザ端末は、第１の時間−周波数ドメインリソースが第１の時間領域内にあるときのみ、第１の情報フィールドにおいて伝達される情報を含めた第１の制御情報を検出し、他の場合には、ユーザ端末は、第１の情報フィールドにおいて伝達される情報を除いた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２４４】
任意選択で、この実施形態の別の実装シナリオでは、ユーザ端末は、第１の制御情報が、第２の情報フィールドにおいて伝達される情報を含むかどうかを決定し得る。対応する処理手順は以下の通りであり得る。第１の時間−周波数ドメインリソースが第１の時間領域を超える時間−周波数ドメインリソースであるとき、少なくとも１つの情報フィールドは第２の情報フィールドを含む。
【０２４５】
第２の情報フィールドにおいて伝達される情報は、ダウンリンク制御チャネルによって占有されない時間−周波数ドメインリソースを示すために使用されるか、またはダウンリンク制御チャネルによって占有される時間−周波数ドメインリソースを示すために使用されるか、またはダウンリンクデータチャネルによって占有される時間−周波数ドメインリソースを示すために使用される。ダウンリンク制御チャネルはＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）であり得る。第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０２４６】
第２の情報フィールドにおいて伝達される情報は、ダウンリンクデータチャネルのリソース使用を示す情報である。
【０２４７】
一実装形態では、第２の情報フィールドにおいて伝達される情報は、ダウンリンク制御チャネルによって占有されない時間−周波数ドメインリソースを含み得るか、またはダウンリンク制御チャネルによって占有される時間−周波数ドメインリソースを示すために使用されるか、またはダウンリンクデータチャネルによって占有される時間−周波数ドメインリソースを示すために使用される。ダウンリンク制御チャネルによって占有される時間−周波数ドメインリソースは、送信時間内にＤＣＩを伝達するためにダウンリンク制御チャネルによって占有されるＣＣＥ、または送信時間内にダウンリンク制御チャネルによって占有されるリソースブロックＲＢ、または送信時間内にダウンリンク制御チャネルによって占有されるリソース要素ＲＥを含み得る。ダウンリンク制御チャネルによって占有されない時間−周波数ドメインリソースは、送信時間内にＤＣＩを伝達するためにダウンリンク制御チャネルによって占有されないＣＣＥ、または送信時間内にダウンリンク制御チャネルによって占有されないリソースブロックＲＢ、または送信時間内にダウンリンク制御チャネルによって占有されないリソース要素ＲＥを含み得る。ダウンリンクデータチャネルによって占有される時間−周波数ドメインリソースは、送信時間内にダウンリンクデータチャネルによって占有されるリソースブロックＲＢ、または送信時間内にダウンリンクデータチャネルによって占有されるリソース要素ＲＥを含み得る。この実施形態では、送信時間は、２シンボル送信時間、０．５ｍｓ以下である送信時間、または１ｍｓである送信時間であり得ることに留意されたい。
【０２４８】
ユーザ端末は、第１の時間−周波数ドメインリソースが第１の時間領域内の時間−周波数ドメインリソースであるかどうかを決定し得る。第１の時間−周波数ドメインリソースが第１の時間領域を超える時間−周波数ドメインリソースである場合、たとえば、第１の時間−周波数ドメインリソースが、０．５ｍｓ以下である送信時間内の時間−周波数ドメインリソースである場合、ユーザ端末は、第１の制御情報の情報フィールドが、第２の情報フィールドにおいて伝達される情報を含み得ることを決定し得る。第１の時間−周波数ドメインリソースが第１の時間領域内にある場合、ユーザ端末は、第１の制御情報が、第２の情報フィールドにおいて伝達される情報を含まないことを決定し得る。特に、第１の制御情報の情報フィールドは第２の情報フィールドを含まないことがあるか、または第１の制御情報の情報フィールドは第２の情報フィールドを含むが第２の情報フィールドは、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を伝達しないか、または第１の制御情報の情報フィールドは第２の情報フィールドを含むがユーザ端末は、第２の情報フィールドにおいて伝達され、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を受信しない。第２の情報フィールドのビットの量は、ユーザ端末によって決定されるかまたは事前に定義され得る。第１の時間−周波数ドメインリソースは、０．５ｍｓ以下である送信時間内に存在しないことがあるか、または第１の時間−周波数ドメインリソースは、０．５ｍｓ以下である送信時間内のすべての時間−周波数ドメインリソースではないことに留意されたい。
【０２４９】
たとえば、第１の制御情報を検出するための時間−周波数ドメインリソースがｓＰＤＣＣＨ領域内にある場合、第１の制御情報の情報フィールドは、第２の情報フィールドにおいて伝達される情報を含むか、または第１の制御情報を検出するための時間−周波数ドメインリソースが、ＰＤＣＣＨ領域、もしくはダウンリンクサブフレーム内の最初の１つ、２つ、３つ、もしくは４つのシンボルが属する時間領域内にある場合、第１の制御情報は、第２の情報フィールドにおいて伝達される情報を含まない。特に、第１の制御情報の情報フィールドは第２の情報フィールドを含まないか、または第１の制御情報の情報フィールドは第２の情報フィールドを含むが第２の情報フィールドは、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を伝達しないか、または第１の制御情報の情報フィールドは第２の情報フィールドを含むがユーザ端末は、第２の情報フィールドにおいて伝達され、ダウンリンク制御チャネルによって占有されない時間−周波数ドメインリソースを示すために使用されるかもしくはダウンリンク制御チャネルによって占有される時間−周波数ドメインリソースを示すために使用されるかもしくはダウンリンクデータチャネルによって占有される時間−周波数ドメインリソースを示すために使用される情報を受信しない。
【０２５０】
第１の制御情報を検出した後に、ユーザ端末は、第１の制御情報を受信し、第２の情報フィールドのビットのステータスに基づいて、含められた第２の情報フィールドにおいて伝達される情報、またはダウンリンク制御チャネルによって占有されない時間−周波数ドメインリソース、もしくはダウンリンク制御チャネルによって占有される時間−周波数ドメインリソース、もしくはダウンリンクデータチャネルによって占有される時間−周波数ドメインリソースを決定し得る。
【０２５１】
この解決策におけるダウンリンク制御チャネルは、時間内のアップリンクデータチャネルおよびダウンリンクデータチャネルであり得ることに留意されたい。
【０２５２】
この解決策の有益な効果は以下の通りである。レガシーユーザ端末のＰＤＣＣＨがＰＤＣＣＨ領域内に存在するので、ＰＤＣＣＨ領域が第１の時間領域内に存在するとき、「第２の情報フィールドにおいて伝達される情報によって示される、ダウンリンク制御チャネルによって占有されない時間−周波数ドメインリソースまたはダウンリンク制御チャネルによって占有される時間−周波数ドメインリソースまたはダウンリンクデータチャネルによって占有される時間−周波数ドメインリソース」内の時間ドメインリソースが、ＰＤＣＣＨ領域内の使用のためにアイドルである場合でも、時間ドメインリソースは、データ情報を送信するために使用され得ない。したがって、第１の制御情報は、第１の時間領域内の「ダウンリンク制御チャネルによって占有されない時間−周波数ドメインリソースまたはダウンリンクデータチャネルによって占有される時間−周波数ドメインリソース」を示す必要がない。しかしながら、第１の制御領域を超えて、データを送信するためにアイドルリソースが使用され得ない上記の場合は存在しない。この場合、第１の時間−周波数ドメインリソースが第１の時間領域を超える時間−周波数ドメインリソースであるとき、第２の情報フィールドにおいて伝達される情報を含めた第１の制御情報が検出され、リソースのこの部分は、リソース利用を改善するためにデータ送信のために使用される。第１の時間−周波数ドメインリソースが第１の時間領域内の時間−周波数ドメインリソースであるとき、ユーザ端末は、第２の情報フィールドにおいて伝達される情報を含めた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２５３】
任意選択で、この実施形態の別の実装シナリオでは、ユーザ端末は、第１の制御情報が、第３の情報フィールドにおいて伝達される情報を含むかどうかを決定し得る。対応する処理手順は以下の通りであり得る。第１の時間−周波数ドメインリソースが第２の時間領域内の時間−周波数ドメインリソースであるとき、少なくとも１つの情報フィールドは第３の情報フィールドを含む。
【０２５４】
第３の情報フィールドにおいて伝達される情報は、サウンディング参照信号ＳＲＳを送信するようにユーザ端末をトリガするために使用され、第２の時間領域は、受信される上位層シグナリングに基づいてユーザ端末によって決定されるかまたは事前に定義される。
【０２５５】
一実装形態では、ユーザ端末は、第１の時間−周波数ドメインリソースが第２の時間領域内にあるかどうかを決定し得る。第１の時間−周波数ドメインリソースが第２の時間領域内にある場合、ユーザ端末は、第１の制御情報の情報フィールドが、第３の情報フィールドにおいて伝達される情報を含み得ることを決定し得、したがって、第３の情報フィールドのビットのステータスに基づいて、サウンディング参照信号ＳＲＳを送信するべきかどうかを決定し得る。第１の時間−周波数ドメインリソースが第２の時間領域内にない場合、ユーザ端末は、第１の制御情報が、第３の情報フィールドにおいて伝達される情報を含まないことを決定し得る。特に、第１の制御情報の情報フィールドは第３の情報フィールドを含まないことがあるか、または第１の制御情報の情報フィールドは第３の情報フィールドを含むが第３の情報フィールドは、サウンディング参照信号ＳＲＳを送信するようにユーザ端末をトリガするために使用される情報を伝達しないか、または第１の制御情報の情報フィールドは第３の情報フィールドを含むがユーザ端末は、第３の情報フィールドにおいて伝達され、サウンディング参照信号ＳＲＳを送信するようにユーザ端末をトリガするために使用される情報を受信しない。第３の情報フィールドのビットの量は、ユーザ端末によって決定されるかまたは事前に定義され得る。
【０２５６】
第３の情報フィールドにおいて伝達される情報はＳＲＳ要求情報を含む。
【０２５７】
たとえば、第２の時間領域は、事前に定義されたｓＰＤＣＣＨ領域であり得る。第１の制御情報を検出するための時間−周波数ドメインリソースがｓＰＤＣＣＨ領域内にある場合、第１の制御情報の情報フィールドは第３の情報フィールドを含むか、または第１の制御情報を検出するための時間−周波数ドメインリソースがｓＰＤＣＣＨ領域内にない（たとえば、ＰＤＣＣＨ領域または別のｓＰＤＣＣＨ領域内にある）場合、第１の制御情報は、第３の情報フィールドにおいて伝達される情報を含まない。特に、第１の制御情報の情報フィールドは第３の情報フィールドを含まないか、または第１の制御情報の情報フィールドは第３の情報フィールドを含むが第３の情報フィールドは、サウンディング参照信号ＳＲＳを送信するようにユーザ端末をトリガするために使用される情報を伝達しないか、または第１の制御情報の情報フィールドは第３の情報フィールドを含むがユーザ端末は、第３の情報フィールドにおいて伝達され、サウンディング参照信号ＳＲＳを送信するようにユーザ端末をトリガするために使用される情報を受信しない。
【０２５８】
この解決策の有益な効果は以下の通りである。ＳＲＳを送信するためのリソースはセルレベルで構成され、最も集約的なＳＲＳリソースに現在関して、制御情報が頻繁に送信されるとき、ＳＲＳは２ｍｓごとに１回送信されるので、複数の制御情報内のＳＲＳ要求情報は、同じＳＲＳを送信するようにユーザ端末に指示し得る。この解決策における処理に基づいて、第１の時間−周波数ドメインリソースが、事前に定義された時間領域内にあるとき、ユーザ端末は、第２の情報フィールドにおいて伝達される情報を含めた第１の制御情報、たとえば、ＳＲＳ要求情報を含めた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２５９】
任意選択で、この実施形態の別の実装シナリオでは、ユーザ端末は、第１の制御情報が、第４の情報フィールドにおいて伝達される情報を含むかどうかを決定し得る。対応する処理手順は以下の通りであり得る。第１の時間−周波数ドメインリソースが第３の時間領域内の時間−周波数ドメインリソースであるとき、少なくとも１つの情報フィールドは第４の情報フィールドを含む。
【０２６０】
第４の情報フィールドにおいて伝達される情報は、チャネル品質情報ＣＳＩを送信するようにユーザ端末をトリガするために使用され、第３の時間領域は、受信された上位層シグナリングに基づいてユーザ端末によって決定されているかまたは事前に定義される。異なる構成または事前定義に基づいて、第３の時間領域は、第２の時間領域と同じであり得るか、または第２の時間領域とは異なり得る。
【０２６１】
任意選択で、第４の情報フィールドにおいて伝達される情報は周期的チャネル状態情報ＣＳＩ指示情報を含む。
【０２６２】
一実装形態では、ユーザ端末は、第１の時間−周波数ドメインリソースが第３の時間領域内にあるかどうかを決定し得る。第１の時間−周波数ドメインリソースが第３の時間領域内にある場合、ユーザ端末は、第１の制御情報の情報フィールドが、第４の情報フィールドにおいて伝達される情報を含み得ることを決定し得、したがって、第４の情報フィールドのビットのステータスに基づいて、チャネル品質情報ＣＳＩを送信するべきかどうかを決定し得る。第１の時間−周波数ドメインリソースが第３の時間領域内にない場合、ユーザ端末は、第１の制御情報が、第４の情報フィールドにおいて伝達される情報を含まないことを決定し得る。特に、第１の制御情報の情報フィールドは第４の情報フィールドを含まないことがあるか、または第１の制御情報の情報フィールドは第４の情報フィールドを含むが第４の情報フィールドは、チャネル品質情報ＣＳＩを送信するようにユーザ端末をトリガするために使用される情報を伝達しないか、または第１の制御情報の情報フィールドは第４の情報フィールドを含むがユーザ端末は、第４の情報フィールドにおいて伝達され、チャネル品質情報ＣＳＩを送信するようにユーザ端末をトリガするために使用される情報を受信しない。第４の情報フィールドのビットの量は、ユーザ端末によって決定されるかまたは事前に定義され得る。
【０２６３】
この解決策では、第３の時間領域は、様々な方法を使用することによって定義され得る。この実施形態は２つの実現可能な様式を提供する。
【０２６４】
様式１：第３の時間領域は、ＰＤＣＣＨ領域など、固定のまたは事前に定義された時間領域である。これは、この実施形態では限定されない。
【０２６５】
様式２：第３の時間領域は、ネットワークデバイスによってユーザ端末のＣＳＩ指示情報を受信する、以前の時間に基づいて決定される。
【０２６６】
一実装形態では、ネットワークデバイスは、ユーザ端末にＣＳＩ指示情報を含めた制御情報を送信することがあり、ＣＳＩ指示情報を正常に受信した後に、ユーザ端末は、ネットワークデバイスに受信成功応答メッセージを送信し得、次いで、ユーザ端末はタイマーをトリガし得、タイマーにおいてプリセット期間が満了した後に、第３の時間領域が到来する。ユーザ端末は、ＣＳＩ指示情報を含めた制御情報を検出し始め得る。しかしながら、タイマーにおいてプリセット期間が満了する前に、ユーザ端末は、第４の情報フィールドにおいて伝達される情報を含めた制御情報を検出しない。具体的には、第１の制御情報の情報フィールドは第４の情報フィールドを含まないことがあるか、または第１の制御情報の情報フィールドは第４の情報フィールドを含むが第４の情報フィールドは、チャネル品質情報ＣＳＩを送信するようにユーザ端末をトリガするために使用される情報を伝達しないか、または第１の制御情報の情報フィールドは第４の情報フィールドを含むがユーザ端末は、第４の情報フィールドにおいて伝達され、チャネル品質情報ＣＳＩを送信するようにユーザ端末をトリガするために使用される情報を受信しない。除外の特定の様式は上記の様式と同じであり、ここで再び説明されない。
【０２６７】
この解決策の有益な効果は以下の通りである。ユーザ端末の処理速度は限定されており、たとえば、測定時間からＣＳＩフィードバックの時間まで少なくともいくつかのミリ秒が必要とされるので、制御情報を送信するための間隔が測定時間よりもはるかに短いとき、複数の制御情報におけるＣＳＩ指示情報によってトリガされるようにユーザ端末によって送信されることになるＣＳＩは、同じ測定時間に対応することがあり、すなわち、ユーザ端末によってフィードバックされるＣＳＩコンテンツは同じである。第１の時間−周波数ドメインリソースが、事前に定義された時間領域内にあるとき、ユーザ端末は、第４の情報フィールドにおいて伝達される情報を含めた第１の制御情報、たとえば、ＣＳＩ指示情報を含めた第１の制御情報を検出する。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２６８】
一実施形態は、制御情報を検出するための方法をさらに提供する。本方法はユーザ端末によって実行され得る。図７に示されているように、本方法の処理手順は以下の通りであり得る。
【０２６９】
ステップ７０１：ユーザ端末が第１の制御情報を受信し、第１の制御情報は少なくとも１つの情報フィールドを含む。
【０２７０】
少なくとも１つの情報フィールドにおいて伝達される情報は、
（１）少なくとも１つの送信時間内に受信および／または送信される情報に対応する冗長バージョン情報、
（２）Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
（３）少なくとも１つの送信時間内にアップリンクチャネル上でアップリンクデータが送信されるべきであるかどうかを示す情報
のうちの少なくとも１つまたはそれらの任意の組合せを含む。
【０２７１】
一実装形態では、少なくとも１つの送信時間のうちの１つまたは複数は、０．５ｍｓ以下の期間であり得る。ユーザ端末は、第１の制御情報に含められる情報フィールドを決定するために従来技術における解決策を使用し得るか、または第１の制御情報に含められる情報フィールドを決定するためにステップ６０１から６０３における解決策を使用し得る。この実施形態では、１つまたは複数の第１の制御情報があり得る。複数の第１の制御情報がある場合、対応して、本発明に従って制御情報を送信するための方法は、各制御情報について実行され得る。このステップにおける少なくとも１つの送信時間は、ステップ６０１から６０３における少なくとも１つの送信時間と同じであるかまたはそれとは異なり得ることに留意されたい。これは、この実施形態では限定されない。
【０２７２】
加えて、ネットワークデバイスによってユーザ端末に送信されるビットの総量は、第１の制御情報のビットの量以上であり得る。たとえば、受信エラー確率を低減するためにサイクリックプレフィックスチェックコードＣＲＣが第１の制御情報に追加されるか、またはユーザ端末によるブラインド検出の回数を低減するために、ビットの総量が別のフォーマットにおける制御情報のビットの総量と同じになるように設定される（たとえば、ビットの総量が別のフォーマットにおける制御情報のビットの総量と同じになるまで、０が追加される）。
【０２７３】
ステップ７０２：ユーザ端末が、少なくとも１つの情報フィールドにおいて伝達される情報を取得する。
【０２７４】
一実装形態では、ユーザ端末は、少なくとも１つの情報フィールドにおいて伝達される情報を取得するために少なくとも１つの情報フィールドを検出し得る。
【０２７５】
任意選択で、この実施形態の実装シナリオでは、少なくとも１つの情報フィールド内の第１の情報フィールドにおいて伝達される情報は、少なくとも１つの送信時間内に受信および／または送信される情報に対応する冗長バージョン情報を含むことがあり、対応して、ステップ７０２の処理手順は以下の通りであり得る。ユーザ端末が、第１の情報フィールドの少なくとも１つのビットのステータスを決定し、ユーザ端末がＭを決定し、少なくとも１つの送信時間はＭ個の送信時間であり、Ｍは１以上の正の整数であり、ユーザ端末は、第１の情報フィールドのビットの量、第１の情報フィールドの少なくとも１つのビットのステータス、およびＭに基づいて、Ｍ個の送信時間内に受信および／または送信される情報に対応する冗長バージョン情報を決定する。
【０２７６】
任意選択で、ユーザ端末は、第１の情報フィールドのビットの量を決定する。特に、第１の情報フィールドのビットの量は、固定であるかもしくは事前に定義され得るか、またはビットの量は、ステップ６０１から６０３を実行することによってもしくは別の様式で決定される。これは、この実施形態では限定されない。第１の情報フィールドのビットの量は、第１の情報フィールドに含められた情報のビットの量または第１の情報フィールドに含められたビットの量である。
【０２７７】
Ｍは、ユーザ端末がＭ個の送信時間内に情報を受信すべきことを示し、および／またはＭ個の送信時間内に情報を送信するようにユーザ端末をトリガするために使用される。
【０２７８】
一実装形態では、ユーザ端末は、第１の制御情報を受信し、少なくとも１つの情報フィールド、ユーザ端末によって情報を受信するための送信時間の数、および／またはユーザ端末によって情報を送信するための送信時間の数（Ｍ）、第１の情報フィールドのビットの量、ならびに少なくとも１つのビットのステータスを決定し得る。Ｍは、第１の制御情報もしくは他の制御情報に基づいてユーザ端末によって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得る。
【０２７９】
ユーザ端末は、送信時間の数と、第１の情報フィールドのビットの量と、第１の情報フィールドのビットのステータスと、少なくとも１つの送信時間内に受信および／または送信される情報に対応する冗長バージョン情報との間の対応を事前に記憶し得る。ユーザ端末は、この対応、Ｍ、第１の情報フィールドのビットの量、および少なくともビットのステータスに基づいて、Ｍ個の送信時間内に受信および／または送信される情報に対応する冗長バージョン情報を決定し得る。Ｍ個の送信時間は連続または不連続であり得る。これは、この実施形態では限定されない。
【０２８０】
対応は特に以下の通りであり得る。第１の情報フィールドのビットの量がＸであり、Ｘの値が、上位層シグナリングに基づいて構成されるか、固定であるか、または事前に定義され得るとき、ユーザ端末は、Ｘの値とＭの値との間の関係に基づいて、冗長バージョンを示すビットの量を決定し、Ｍ個の送信時間内に受信および／または送信される情報に対応する冗長バージョンに基づいて第１の情報フィールドの少なくとも１つのビットのステータスをさらに決定し得る。３つの場合が、以下のように含まれる。
【０２８１】
（１）ＭがＸよりも大きいとき、Ｘにおける１つのビットは、冗長バージョンに関する情報を示すために使用され、少なくとも１つのビットの１つの状態は、少なくとも２つの送信時間内の１つの冗長バージョンに対応する。ビットの状態０は冗長バージョン０に対応し、ビットの状態１は冗長バージョン２に対応するか、またはその逆である。ここで、ビットのステータスおよび冗長バージョンの値は特に限定されない。
【０２８２】
たとえば、Ｍが５に等しく、Ｘが４に等しい場合、Ｘにおける少なくとも１つのビットは、２つの送信時間内に同じ冗長バージョン情報が使用されることを示し、冗長バージョン情報は（０，２）である。Ｍは、｛第１の送信時間，…，第５の送信時間｝を含めた、５つの送信時間がスケジュールされることを意味する。第１の情報フィールドは、４ビット、｛ａ，ｂ，ｃ，ｄ｝を含む。たとえば、ビットａは第１の送信時間および第２の送信時間内の冗長バージョンに対応し得、ビットｂは第３の送信時間内の冗長バージョンに対応し得、ビットｃは第４の送信時間内の冗長バージョンに対応し得、ビットｄは第５の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間および第５の送信時間内の冗長バージョンに対応し得る。
【０２８３】
たとえば、Ｍが６に等しく、Ｘが４に等しい場合、Ｘにおける１つのビットは、２つまたは３つの送信時間内に同じ冗長バージョン情報が使用されることを示し、冗長バージョン情報は（０，２）である。特に、２つまたは３つの送信時間は事前に定義され得る。Ｍは、｛第１の送信時間，…，第６の送信時間｝を含めた、６つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得、ビットｄは第４の送信時間、第５の送信時間、および第６の送信時間内の冗長バージョンに対応し得るか、またはビットａは第１の送信時間内の冗長バージョンに対応し得、ビットｂは第２の送信時間内の冗長バージョンに対応し得、ビットｃは第３の送信時間および第４の送信時間内の冗長バージョンに対応し得、ビットｄは第５の送信時間および第６の送信時間内の冗長バージョンに対応し得る。
【０２８４】
（２）ＭがＸよりも小さく、Ｍが第１のプリセットしきい値よりも大きいとき、Ｘにおける各ビットの１つの状態は、最大１つのＴＴＩ内の冗長バージョンに対応する。第１のプリセットしきい値は正の整数であり、Ｘ／２またはＸ／３を切り捨てることによって取得され得る。これは、この実施形態では限定されない。
【０２８５】
たとえば、Ｍが３に等しく、Ｘが４に等しく、第１のプリセットしきい値が２である場合、少なくとも１つのビットの１つの状態は、１つの送信時間内の冗長バージョン情報に対応することがあり、冗長バージョン情報は（０，２）である。たとえば、Ｍは、｛第１の送信時間，…，第３の送信時間｝を含めた、３つの送信時間がスケジュールされることを意味する。第１の情報フィールドは、４ビット、｛ａ，ｂ，ｃ，ｄ｝を含む。たとえば、ビットａは第１の送信時間内の冗長バージョンに対応し得、ビットｂは第２の送信時間内の冗長バージョンに対応し得、ビットｃは第３の送信時間内の冗長バージョンに対応し得るか、またはビットｂは第１の送信時間内の冗長バージョンに対応し得、ビットｃは第２の送信時間内の冗長バージョンに対応し得、ビットｄは第３の送信時間内の冗長バージョンに対応し得る。
【０２８６】
（３）Ｍが第１のプリセットしきい値以下であるとき、ｉビットごとの１つの状態は、最大１つのＴＴＩ内の冗長バージョンに対応する。第１のプリセットしきい値は正の整数であり、Ｘ／ｉを切り捨てることによって取得され得、ｉは１以上の正の整数である。
【０２８７】
たとえば、Ｍが２に等しく、Ｘが４に等しく、ｉが２に等しいかまたは第１のプリセットしきい値が２である場合、少なくとも２つのビットの１つの状態は、１つのＴＴＩ内の冗長バージョンに対応し、冗長バージョンは（０，１，２，３）である。たとえば、Ｍは、｛第１の送信時間，第２の送信時間｝を含めた、２つの送信時間がスケジュールされることを意味する。第１の情報フィールドは、４ビット、｛ａ，ｂ，ｃ，ｄ｝を含む。たとえば、ビットａおよびビットｂは第１の送信時間内の冗長バージョンに対応し得、ビットｃおよびビットｄは第２の送信時間内の冗長バージョンに対応し得るか、またはビットａおよびビットｂは第２の送信時間内の冗長バージョンに対応し得、ビットｃおよびビットｄは第１の送信時間内の冗長バージョンに対応し得る。
【０２８８】
この解決策では、ＭはＮと同じであり得るか、またはＮとは異なり得ることに留意されたい。
【０２８９】
この解決策の有益な効果は以下の通りである。従来技術では、各ＴＴＩは、１つまたは２つのビット内の冗長バージョンに対応する。Ｎ個のｓＴＴＩがスケジュールされた場合、各制御情報は、Ｎビットから２Ｎビット内の冗長バージョン情報を含む。しかしながら、この解決策に基づいて、冗長バージョンを示すために固定ビットが使用され得る。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０２９０】
任意選択で、この実施形態の別の実装シナリオでは、少なくとも１つの情報フィールド内の第２の情報フィールドにおいて伝達される情報はＮを含み、対応して、ステップ７０２の処理手順は以下の通りであり得る。ユーザ端末が、第２の情報フィールドの少なくとも１つのビットのステータスを決定し、ユーザ端末が、第１の対応および第２の情報フィールドの少なくとも１つのビットのステータスに基づいて、Ｎを決定し、第１の対応が、少なくとも１つのビットのステータスとＮとの間の対応であり、第１の対応が、ユーザ端末によって、受信される上位層シグナリングに基づいて決定されるかまたは事前に定義される。
【０２９１】
Ｎは、Ｎ個の送信時間を示し、第１の制御情報は、ユーザ端末にＮ個の送信時間内に情報を受信するように指示するために使用され、および／またはＮ個の送信時間内に情報を送信するようにユーザ端末をトリガするために使用され、Ｎは１以上の正の整数である。
【０２９２】
一実装形態では、ユーザ端末は、第１の制御情報を受信し、第２の情報フィールドを決定し、第２の情報フィールドの少なくとも１つのビットのステータスを取得する。第２の情報フィールドのビットの量は、固定であるかもしくは事前に定義され得るか、または送信時間の期間に基づいてユーザ機器によって決定され得るか、または上位層シグナリングに基づいてユーザ機器によって決定され得る。
【０２９３】
場合１：第２の情報フィールドのビットの量は固定であるかもしくは事前に定義され得る。
【０２９４】
場合１は、０．５ｍｓ以下である複数の送信時間のスケジューリングに適用可能であり得るか、または１ｍｓの複数の送信時間のスケジューリングに適用可能であり得る。対応して、第２の情報フィールドによって示され得る送信時間の量セット内の要素の数が、第２の情報フィールドのビットの量によって決定される。たとえば、ビットの量がｎである場合、量セット内の要素の最大数は２nである。量セット内の各要素によって表される値は、上位層シグナリングに基づいてユーザ端末によって構成され得るかまたは事前に定義され得る。
【０２９５】
たとえば、第２の情報フィールドのビットの量が２である場合、第２の情報フィールドによって示される送信時間の量セットは（１，ａｌｔ１，ａｌｔ２，ａｌｔ３）として定義され得、ａｌｔ１からａｌｔ３は、スケジュールされたｓＴＴＩの数に対応し、ａｌｔ１からａｌｔ３は、上位層シグナリングに基づいてユーザ端末によって構成され、上位層シグナリングはＲＲＣ構成情報であり得る。ａｌｔ１からａｌｔ３は、代替として、事前に定義された値であり得る。以下では、第２の情報フィールドのビットの量が２である例を使用する。本明細書における対応は限定されない。具体的には、別の対応では、００は、代替として、ａｌｔ３に対応するかまたは数３に対応し得る。
【０２９６】
【表４】
2019525641.tif 000024
【０２９７】
【表５】
2019525641.tif 000025
【０２９８】
ユーザ端末は、第２の情報フィールドのビットの量を事前に記憶し、第２の情報フィールドの少なくとも１つのビットのステータスおよび上記のポリシーに基づいてＮをさらに決定し得る。
【０２９９】
場合２：第２の情報フィールドのビットの量は可変である。
【０３００】
場合２は、０．５ｍｓ以下である複数の送信時間のスケジューリングに適用可能であり得る。ユーザ端末は、スケジュールされた送信時間の期間に基づいて第２の情報フィールドのビットの量を決定し、次いで、Ｎおよび第１の対応に基づいて第２の情報フィールドの少なくとも１つのビットのステータスを決定し得る。
【０３０１】
たとえば、送信時間の期間が７つのシンボルである場合、第２の情報フィールドのビットの量は１であるか、送信時間の期間が４つのシンボルである場合、第２の情報フィールドのビットの量は２であるか、または送信時間の期間が２つのシンボルである場合、第２の情報フィールドのビットの量は３である。以下では、送信時間の期間が２つのシンボルである例を使用し、第２の情報フィールドのビットの量は３である。本明細書における対応は限定されない。具体的には、別の対応では、０００は、代替として４に対応し得る。
【０３０２】
【表６】
2019525641.tif 000026
【０３０３】
ユーザ端末は、上位層シグナリングの構成または送信時間の事前定義もしくは期間に基づいて第２の情報フィールドのビットの量を取得し、次いで、第２の情報フィールドの少なくとも１つのビットのステータスおよび上記のポリシーに基づいてＮを決定し得る。
【０３０４】
場合１における第１の対応のコンテンツは、場合２における第１の対応のコンテンツとは異なり得ることに留意されたい。
【０３０５】
この解決策の有益な効果は以下の通りである。従来技術では、制御情報は、スケジュールされたＴＴＩの最大数を満たし得る固定のビットの量、たとえば、３ビットを含む。この解決策では、情報フィールド内の情報のビットの量が低減され得、スケジュールされたＴＴＩの最大数を示すビットの量は含まれる必要がない。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０３０６】
任意選択で、この実施形態の別の実装シナリオでは、少なくとも１つの情報フィールド内の第３の情報フィールドにおいて伝達される情報は、アップリンクデータが、少なくとも１つの送信時間内にアップリンクチャネル上で送信されるべきかどうかを示す情報を含み、対応して、ステップ７０２の処理手順は以下の通りであり得る。ユーザ端末がＰを決定し、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である。
【０３０７】
ユーザ端末はＰを１と比較する。
【０３０８】
一実装形態では、Ｐが１よりも大きいとき、ユーザ端末は、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定し得、Ｋは、１以上でＰ以下である正の整数である。具体的には、第３の情報フィールドは、アップリンクデータがＫ個の送信時間の一部分内にアップリンクチャネル上で送信されるべきであることと、アップリンクデータがＫ個の送信時間の他の部分内にアップリンクチャネル上で送信されるべきでないこととを示すために使用され得る。たとえば、スケジュールされた送信時間の数が１よりも大きいとき、Ｋビットのうちの１つのステータスは、アップリンクデータが、１ビットに対応する送信時間内にアップリンクチャネル上で送信されるべきであること、またはアップリンクデータが、１ビットに対応する送信時間内にアップリンクチャネル上で送信されるべきでないことを示すために使用され得る。別の例では、スケジュールされた送信時間の数が１よりも大きいとき、１ビットのデータは、アップリンクデータが、事前に定義されたｓＴＴＩ内に送信されるべきであることを示すために使用され得るか、または１ビットのデータは、アップリンクデータが、事前に定義されたｓＴＴＩ内に送信されるべきでないことを示すために使用され得る。
【０３０９】
Ｐが１に等しいとき、ユーザ端末が、第３の情報フィールドが変調および符号化方式ＭＣＳ情報フィールドであることを決定し、かつ第３の情報フィールドにおいて伝達される情報が、アップリンクデータがＰ個の送信時間内にアップリンクチャネル上で送信されるべきであるかどうかを示すことを決定し、ＭＣＳ情報フィールド内のビットの状態２９は、アップリンクデータが送信時間内にアップリンクチャネル上で送信されるべきでないことを示すために使用され得る。
【０３１０】
この解決策では、ＰはＮと同じであり得るか、またはＮとは異なり得ることに留意されたい。ＰおよびＫは、第１の制御情報もしくは他の制御情報に基づいてネットワークデバイスによって決定され得るか、またはネットワークデバイスによってユーザ端末に送信される上位層シグナリングに基づいて決定され得るか、またはユーザ端末のトラフィックボリュームに基づいてネットワークデバイスによってユーザ端末に割り振られ得るか、またはネットワークデバイスによってそれ自体によって決定され得る。詳細について、ここで再び説明されない。
【０３１１】
第３の情報フィールドを決定した後に、ユーザ端末は、第３の情報フィールドにおいて伝達される情報を取得し、アップリンクデータがＫ個の送信時間内にアップリンクチャネル上で送信されるべきであるかどうかを決定するか、またはアップリンクデータが１つの送信時間内にアップリンクチャネル上で送信されるべきであるかどうかを決定する。
【０３１２】
この解決策の有益な効果は以下の通りである。従来技術では、複数のＴＴＩがスケジュールされたとき、オーバーヘッドを低減するために、制御情報はただ１つのＭＣＳ情報フィールドを含み、すなわち、複数のＴＴＩ内の情報は、同じＭＣＳを使用することによって送信される。ＭＣＳ情報フィールド内のビットの状態２９が、アップリンクデータがＴＴＩ内に送信されるべきであるかどうかに関する指示情報を示すために依然として使用される場合、それは、アップリンクデータがすべてのＴＴＩ内に送信されるべきであること、またはアップリンクデータがどんなＴＴＩ内でも送信されるべきでないことのみを示すことができる。しかしながら、実際には、アップリンクデータを送信するためにただ１つのＴＴＩが使用されず、結果的にリソースが浪費される。この解決策では、指示情報は、アップリンクデータがＴＴＩ内に送信されるべきであるかどうかを示すために１つの制御メッセージ内で送信され得る。これは、ユーザ端末と基地局とのアクションが整合することと、制御情報が正しく受信され得ることとを保証しながら、情報フィールドにおける情報のビットの量をさらに低減し、すなわち、制御情報によって占有されるリソースを低減し、リソース利用を改善する。
【０３１３】
加えて、一実施形態は、制御情報を検出するための方法をさらに提供する。本方法はユーザ端末によって実行され得る。図８に示されているように、本方法の処理手順は以下の通りであり得る。
【０３１４】
ステップ８０１：ユーザ端末が、第１の制御情報を受信し、第１の制御情報は、少なくとも１つの送信時間内にアップリンクチャネルによって占有される時間−周波数リソースを示すために使用される。
【０３１５】
少なくとも１つの送信時間のうちの１つまたは複数は、０．５ｍｓ以下の期間である。
【０３１６】
ステップ８０２：ユーザ端末が、アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定する。
【０３１７】
一実装形態では、アップリンク制御情報によって占有される必要がある時間−周波数リソースは、アップリンク制御情報のビットの量、またはアップリンク制御情報に対応する期間であり得る。少なくとも１つの送信時間内に送信されるためにアップリンクデータによって占有される必要がある時間−周波数リソースは、アップリンクデータのビットの量、またはアップリンクデータに対応する期間であり得る。アップリンク制御情報によって占有される必要がある時間−周波数リソースは、代替として、アップリンク制御情報のビットの量ならびにアップリンク制御情報の変調およびコーディング方式に基づいて決定され得る。アップリンクデータによって占有される必要がある時間−周波数リソースは、代替として、アップリンクデータのビットの量ならびにアップリンクデータの変調およびコーディング方式に基づいて決定され得る。
【０３１８】
ステップ８０３：ユーザ端末が比情報を決定し、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比である。
【０３１９】
ステップ８０４：ユーザ端末が、比情報に基づいて、アップリンクチャネル上でアップリンクデータを送信すべきかどうかを決定する。
【０３２０】
一実装形態では、ユーザ端末は、比情報を第２のプリセットしきい値と比較することがあり、比が、アップリンクチャネルによって占有される時間−周波数リソースに対する、アップリンクチャネル上でアップリンク制御情報によって占有される必要がある時間−周波数リソースの比であるか、または少なくとも１つの送信時間内に送信されるためにアップリンクデータによって占有される必要がある時間−周波数リソースに対する、アップリンクチャネル上でアップリンク制御情報によって占有される必要がある時間−周波数リソースの比であるとき、比情報が第２のプリセットしきい値よりも大きい場合、アップリンクデータがアップリンクチャネル上で送信されるべきでないことを決定され得るか、または比情報が第２のプリセットしきい値以下である場合、アップリンクデータがアップリンクチャネル上で送信されるべきであることを決定され得る。比が、アップリンクチャネルによって占有される時間−周波数リソースに対する、少なくとも１つの送信時間内に送信されるためにアップリンクデータによって占有される必要がある時間−周波数リソースの比であるとき、比情報が第２のプリセットしきい値よりも小さい場合、アップリンクデータがアップリンクチャネル上で送信されるべきでないことを決定され得るか、または比情報が第２のプリセットしきい値以上である場合、アップリンクデータがアップリンクチャネル上で送信されるべきであることを決定され得る。第２のプリセットしきい値は、シグナリングを使用することによってネットワークデバイスによって通知されるかまたは事前に定義され得る。
【０３２１】
この解決策の有益な効果は以下の通りである。従来技術では、ＴＴＩがスケジュールされたとき、各ＴＴＩの制御情報は、アップリンクデータが送信されるかどうかに関する指示情報を含む。しかしながら、この解決策では、指示情報は送信される必要がない。これは、ユーザ端末と基地局とのアクションが整合することと、制御情報が正しく受信され得ることとを保証しながら、制御情報によって占有される時間−周波数ドメインリソースを低減し、情報フィールドにおける情報のビットの量をさらに低減し、すなわち、制御情報によって占有されるリソースを低減し、リソース利用を改善することができる。
【０３２２】
同じ技術概念に基づいて、本発明の一実施形態は、ネットワークデバイスをさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
プロセッサ２１０は、第１の制御情報を送信するための第１の時間−周波数ドメインリソースに基づいて、第１の制御情報に含められる少なくとも１つの情報フィールドを決定するように構成され、
プロセッサ２１０は、少なくとも１つの情報フィールドに基づいて第１の制御情報のビットの量を決定するようにさらに構成され、
トランシーバ２２０は、第１の制御情報のビットの量に基づいて第１の時間−周波数ドメインリソース上で第１の制御情報をユーザ端末に送信するように構成される。
【０３２３】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３２４】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３２５】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【０３２６】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、事前に定義されるかまたは構成される。
【０３２７】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３２８】
同じ技術概念に基づいて、本発明の一実施形態は、ネットワークデバイスをさらに提供する。図２に示されているように、ネットワークデバイスは、プロセッサ２１０、トランシーバ２２０、およびメモリ２３０を含み、トランシーバ２２０およびメモリ２３０はプロセッサ２１０に接続され、
プロセッサ２１０は、第１の制御情報に含まれる少なくとも１つの情報フィールドを決定するように構成され、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つまたはそれらの任意の組合せを含み、
トランシーバ２２０は、第１の制御情報をユーザ端末に送信するように構成される。
【０３２９】
任意選択で、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
プロセッサ２１０は、
Ｍを決定することであって、少なくとも１つの送信時間がＭ個の送信時間であり、Ｍが１以上の正の整数である、決定することと、
Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定することと
を行うようにさらに構成される。
【０３３０】
任意選択で、少なくとも１つの情報フィールドは、第２の情報フィールドを含み、第２の情報フィールドにおいて伝達される情報はＮを含み、
プロセッサ２１０は、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定すること
を行うようにさらに構成される。
【０３３１】
任意選択で、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
プロセッサ２１０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、決定すること、ならびに／または
Ｐが１に等しいとき、第３の情報フィールドが変調および符号化方式ＭＣＳ情報フィールドであることを決定し、かつ第３の情報フィールドが、アップリンクデータが１つの送信時間内にアップリンクチャネル上で送信されるべきであるかどうかを示すために使用されることを決定すること
を行うようにさらに構成される。
【０３３２】
任意選択で、少なくとも１つの送信時間のうちの１つまたは複数は、０．５ｍｓ以下の期間である。
【０３３３】
同じ技術概念に基づいて、本発明の一実施形態は、ユーザ端末をさらに提供する。図２に示されているように、ユーザ端末は、プロセッサ２１０、トランシーバ２２０、およびメモリ２３０を含み、トランシーバ２２０およびメモリ２３０はプロセッサ２１０に接続され、
プロセッサ２１０は、第１の制御情報を検出するための第１の時間−周波数ドメインリソースに基づいて、第１の制御情報に含められる少なくとも１つの情報フィールドを決定するように構成され、
プロセッサ２１０は、少なくとも１つの情報フィールドに基づいて第１の制御情報のビットの量を決定するようにさらに構成され、
プロセッサ２１０は、第１の制御情報のビットの量に基づいて第１の時間−周波数ドメインリソース上で第１の制御情報を検出するようにさらに構成され、
トランシーバ２２０は、プロセッサ２１０が第１の制御情報を検出した後に第１の制御情報を受信するように構成される。
【０３３４】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３３５】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３３６】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信された上位層シグナリングに基づいてユーザ端末によって決定されるかまたは事前に定義される。
【０３３７】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、受信される上位層シグナリングに基づいてユーザ端末によって決定されるかまたは事前に定義される。
【０３３８】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３３９】
同じ技術概念に基づいて、本発明の一実施形態は、ユーザ端末をさらに提供する。図２に示されているように、ユーザ端末は、プロセッサ２１０、トランシーバ２２０、およびメモリ２３０を含み、トランシーバ２２０およびメモリ２３０はプロセッサ２１０に接続され、
プロセッサ２１０は、第１の制御情報を受信するように構成され、第１の制御情報は少なくとも１つの情報フィールドを含み、少なくとも１つの情報フィールドにおいて伝達される情報は、
少なくとも１つの送信時間内に受信および／または送信される情報に対応する冗長バージョン情報、
Ｎ個の送信時間を示し、第１の制御情報が、Ｎ個の送信時間内に情報を受信するようにユーザ端末に指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つまたはそれらの任意の組合せを含み、
プロセッサ２１０は、少なくとも１つの情報フィールドにおいて伝達される情報を取得するようにさらに構成される。
【０３４０】
任意選択で、少なくとも１つの情報フィールド内の第１の情報フィールドにおいて伝達される情報は、少なくとも１つの送信時間内に受信および／または送信される情報に対応する冗長バージョン情報を含み、プロセッサ２１０は、
第１の情報フィールドの少なくとも１つのビットのステータスを決定することと、
Ｍを決定することであって、少なくとも１つの送信時間がＭ個の送信時間であり、Ｍが１以上の正の整数である、決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することと
を行うようにさらに構成される。
【０３４１】
任意選択で、少なくとも１つの情報フィールド内の第２の情報フィールドにおいて伝達される情報はＮを含み、プロセッサ２１０は、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいてユーザ端末により決定されるかまたは事前に定義される、決定することと
を行うようにさらに構成される。
【０３４２】
任意選択で、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、プロセッサ２１０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定すること、ならびに／または
Ｐが１に等しいとき、第３の情報フィールドが変調および符号化方式ＭＣＳ情報フィールドであることを決定し、かつ第３の情報フィールドにおいて伝達される情報が、アップリンクデータがＰ個の送信時間内にアップリンクチャネル上で送信されるべきであるかどうかを示すことを決定すること
を行うようにさらに構成される。
【０３４３】
任意選択で、少なくとも１つの送信時間のうちの１つまたは複数は、０．５ｍｓ以下の期間である。
【０３４４】
同じ技術概念に基づいて、本発明の一実施形態は、ユーザ端末をさらに提供する。図２に示されているように、ユーザ端末は、プロセッサ２１０、トランシーバ２２０、およびメモリ２３０を含み、トランシーバ２２０およびメモリ２３０はプロセッサ２１０に接続され、
トランシーバ２２０は、第１の制御情報を受信するように構成され、第１の制御情報は、少なくとも１つの送信時間内にアップリンクチャネルによって占有される時間−周波数リソースを示すために使用され、
プロセッサ２１０は、アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成され、
プロセッサ２１０は、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
プロセッサ２１０は、比情報に基づいて、アップリンクチャネル上でアップリンクデータを送信すべきかどうかを決定するようにさらに構成される。
【０３４５】
同じ技術概念に基づいて、本発明の一実施形態は、ネットワークデバイスをさらに提供する。図９に示されているように、ネットワークデバイスは、
第１の制御情報を送信するための第１の時間−周波数ドメインリソースに基づいて、第１の制御情報に含められる少なくとも１つの情報フィールドを決定するように構成された決定モジュール９１０であって、
決定モジュール９１０は、  少なくとも１つの情報フィールドに基づいて第１の制御情報のビットの量を決定するようにさらに構成された、決定モジュール９１０と、
第１の制御情報のビットの量に基づいて第１の時間−周波数ドメインリソース上で第１の制御情報をユーザ端末に送信するように構成された送信モジュール９２０と
を含む。
【０３４６】
決定モジュール９１０はプロセッサによって実装され得、送信モジュール９２０はトランシーバによって実装され得る。加えて、決定モジュール９１０は特に処理モジュールであり得、送信モジュール９２０は特にトランシーバモジュールであり得る。
【０３４７】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３４８】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３４９】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、事前に定義されるかまたは構成される。
【０３５０】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、事前に定義されるかまたは構成される。
【０３５１】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３５２】
同じ技術概念に基づいて、本発明の一実施形態は、ネットワークデバイスをさらに提供する。図９に示されているように、ネットワークデバイスは、
第１の制御情報に含まれる少なくとも１つの情報フィールドを決定するように構成された決定モジュール９１０であって、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、ユーザ端末にＮ個の送信時間内に情報を受信するように指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つまたはそれらの任意の組合せを含む、決定モジュール９１０と、
第１の制御情報をユーザ端末に送信するように構成された送信モジュール９２０と
を含む。
【０３５３】
決定モジュール９１０はプロセッサによって実装され得、送信モジュール９２０はトランシーバによって実装され得る。加えて、決定モジュール９１０は特に処理モジュールであり得、送信モジュール９２０は特にトランシーバモジュールであり得る。
【０３５４】
任意選択で、少なくとも１つの情報フィールドは第１の情報フィールドを含み、第１の情報フィールドにおいて伝達される情報は、少なくとも１つの送信時間内に受信および／または送信される情報に対応する冗長バージョン情報を含み、
決定モジュール９１０は、
Ｍを決定することであって、少なくとも１つの送信時間がＭ個の送信時間であり、Ｍが１以上の正の整数である、決定することと、
Ｍ、第１の情報フィールドのビットの量、ならびにＭ個の送信時間内に受信および／または送信される情報に対応する冗長バージョン情報に基づいて第１の情報フィールドの少なくとも１つのビットのステータスを決定することと
を行うようにさらに構成される。
【０３５５】
任意選択で、少なくとも１つの情報フィールドは、第２の情報フィールドを含み、第２の情報フィールドにおいて伝達される情報はＮを含み、
決定モジュール９１０は、
Ｎおよび第１の対応に基づいて第２の情報フィールドの少なくとも１つのビットのステータスを決定することであって、第１の対応が、少なくとも１つのビットのステータスとＮとの対応であり、第１の対応が、ネットワークデバイスによって構成されるかまたは事前に定義される、決定すること
を行うようにさらに構成される。
【０３５６】
任意選択で、少なくとも１つの情報フィールドは第３の情報フィールドを含み、第３の情報フィールドにおいて伝達される情報は、アップリンクデータが少なくとも１つの送信時間内にアップリンクチャネル上で送信されるべきかどうかを示す情報を含み、
決定モジュール９１０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドが、アップリンクデータがＰ個の送信時間内のＫ個の送信時間内にアップリンクチャネル上で送信されるべきであるかどうかを示すために使用されることを決定することであって、Ｋが、１以上でＰ以下の正の整数である、決定すること、ならびに／または
Ｐが１に等しいとき、第３の情報フィールドが変調および符号化方式ＭＣＳ情報フィールドであることを決定し、かつ第３の情報フィールドが、アップリンクデータが１つの送信時間内にアップリンクチャネル上で送信されるべきであるかどうかを示すために使用されることを決定すること
を行うようにさらに構成される。
【０３５７】
任意選択で、少なくとも１つの送信時間のうちの１つまたは複数は、０．５ｍｓ以下の期間である。
【０３５８】
同じ技術概念に基づいて、本発明の一実施形態は、ユーザ端末をさらに提供する。図１０に示されているように、ユーザ端末は、
第１の制御情報を検出するための第１の時間−周波数ドメインリソースに基づいて、第１の制御情報に含められる少なくとも１つの情報フィールドを決定するように構成された決定モジュール１０１０であって、
決定モジュール１０１０は、少なくとも１つの情報フィールドに基づいて第１の制御情報のビットの量を決定するようにさらに構成された、決定モジュール１０１０と、
第１の制御情報のビットの量に基づいて第１の時間−周波数ドメインリソース上で第１の制御情報を検出するように構成された検出モジュール１０２０と、
検出モジュールが第１の制御情報を検出した後に第１の制御情報を受信するように構成された受信モジュール１０３０と
を含む。
【０３５９】
決定モジュール１０１０および検出モジュール１０２０はプロセッサによって実装され得、受信モジュール１０３０はトランシーバによって実装され得る。加えて、決定モジュール１０１０および検出モジュール１０２０は特に処理モジュールであり得、受信モジュール１０３０は特にトランシーバモジュールであり得る。
【０３６０】
任意選択で、第１の時間−周波数ドメインリソースが第１の時間領域内の時間−周波数ドメインリソースであるとき、少なくとも１つの情報フィールドは、第１の情報フィールドを含み、第１の情報フィールドにおいて伝達される情報は、少なくとも２つの制御情報フォーマットのうちの一方を示すために使用されるかまたは少なくとも２つの時間長のうちの一方を示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３６１】
任意選択で、第１の時間−周波数ドメインリソースが第１の時間領域を超える時間−周波数ドメインリソースであるとき、少なくとも１つの情報フィールドは第２の情報フィールドを含み、第２の情報フィールドにおいて伝達される情報は、ダウンリンク制御チャネルによって占有されない時間−周波数ドメインリソースを示すために使用されるかまたはダウンリンクデータチャネルによって占有される時間−周波数ドメインリソースを示すために使用され、第１の時間領域は、ダウンリンクサブフレーム内の最初の１つ、２つ、３つ、もしくは４つのシンボルが属する時間領域であるか、または物理ダウンリンク制御チャネルＰＤＣＣＨ領域である。
【０３６２】
任意選択で、第１の時間−周波数ドメインリソースは、第２の時間領域内の時間−周波数ドメインリソースであり、少なくとも１つの情報フィールドは第３の情報フィールドを含み、第３の情報フィールドにおいて伝達される情報は、サウンディング参照信号ＳＲＳを送信するようにユーザ端末をトリガするために使用され、第２の時間領域は、受信された上位層シグナリングに基づいてユーザ端末によって決定されるかまたは事前に定義される。
【０３６３】
任意選択で、第１の時間−周波数ドメインリソースは、第３の時間領域内の時間−周波数ドメインリソースであり、少なくとも１つの情報フィールドは第４の情報フィールドを含み、第４の情報フィールドにおいて伝達される情報は、チャネル品質情報ＣＳＩを送信するようにユーザ端末をトリガするために使用され、第３の時間領域は、受信される上位層シグナリングに基づいてユーザ端末により決定されるかまたは事前に定義される。
【０３６４】
任意選択で、第１の時間−周波数ドメインリソースは、ＰＤＣＣＨ領域内の時間−周波数ドメインリソース、ダウンリンクサブフレーム内の最初の１つ、２つ、３つ、または４つのシンボルが属する時間領域内の時間−周波数ドメインリソース、および０．５ｍｓ以下の送信時間内の時間−周波数ドメインリソースの３つのうちの少なくとも１つを含む。
【０３６５】
同じ技術概念に基づいて、本発明の一実施形態は、ユーザ端末をさらに提供する。図１１に示されているように、ユーザ端末は、
第１の制御情報を受信するように構成された受信モジュール１１１０であって、第１の制御情報が少なくとも１つの情報フィールドを含み、少なくとも１つの情報フィールドにおいて伝達される情報が、
少なくとも１つの送信時間内に受信および／または送信される情報に対応する冗長バージョン情報、
Ｎ個の送信時間を示し、第１の制御情報が、Ｎ個の送信時間内に情報を受信するようにユーザ端末に指示するために使用され、および／またはＮ個の送信時間内に情報を送信するようにユーザ端末をトリガするために使用される、１以上の正の整数であるＮ、ならびに
少なくとも１つの送信時間内にアップリンクチャネル上でアップリンクデータが送信されるべきであるかどうかを示す情報
のうちの少なくとも１つのまたはそれらの任意の組合せを含む、受信モジュール１１１０と、
少なくとも１つの情報フィールドにおいて伝達される情報を取得するように構成された取得モジュール１１２０と
を含む。
【０３６６】
取得モジュール１１２０はプロセッサによって実装され得、受信モジュール１１１０はトランシーバによって実装され得る。加えて、受信モジュール１１１０は特にトランシーバモジュールであり得、取得モジュール１１２０は特に処理モジュールであり得る。
【０３６７】
任意選択で、少なくとも１つの情報フィールド内の第１の情報フィールドにおいて伝達される情報は、少なくとも１つの送信時間内に受信および／または送信される情報に対応する冗長バージョン情報を含み、取得モジュール１１２０は、
第１の情報フィールドの少なくとも１つのビットのステータスを決定することと、
Ｍを決定することであって、少なくとも１つの送信時間がＭ個の送信時間であり、Ｍが１以上の正の整数である、決定することと、
第１の情報フィールドのビットの量、第１の情報フィールドの少なくとも１つのビットのステータス、およびＭに基づいて、Ｍ個の送信時間内に受信および／または送信される情報に対応する冗長バージョン情報を決定することと
を行うようにさらに構成される。
【０３６８】
任意選択で、少なくとも１つの情報フィールド内の第２の情報フィールドにおいて伝達される情報はＮを含み、取得モジュール１１２０は、
第２の情報フィールドの少なくとも１つのビットのステータスを決定することと、
第１の対応および第２の情報フィールドの少なくとも１つのビットのステータスに基づいて、Ｎを決定することであって、第１の対応が、少なくとも１つのビットのステータスとＮとの間の対応であり、第１の対応が、受信される上位層シグナリングに基づいてユーザ端末により決定されるかまたは事前に定義される、決定することと
を行うようにさらに構成される。
【０３６９】
任意選択で、少なくとも１つの情報フィールド内の第３の情報フィールドにおいて伝達される情報は、アップリンクデータが少なくとも１つの送信時間内にアップリンクチャネル上で送信されるべきであるかどうかを示す情報を含み、取得モジュール１１２０は、
Ｐを決定することであって、Ｐが、ユーザ端末がＰ個の送信時間内に情報を受信すべきであることを示し、および／もしくはユーザ端末が、Ｐ個の送信時間内に情報を送信すべきであることを示し、Ｐが１以上の正の整数である、決定すること、
Ｐが１よりも大きいときに、第３の情報フィールドがＫビットの情報フィールドであることを決定し、かつ第３の情報フィールドにおいて伝達される情報が、アップリンクデータがＰ個の送信時間内のＫ個の送信時間内にアップリンクチャネル上で送信されるべきであるかどうかを示すことを決定すること、ならびに／または
Ｐが１に等しいとき、第３の情報フィールドが変調および符号化方式ＭＣＳ情報フィールドであることを決定し、かつ第３の情報フィールドにおいて伝達される情報が、アップリンクデータがＰ個の送信時間内にアップリンクチャネル上で送信されるべきであるかどうかを示すことを決定すること
を行うようにさらに構成される。
【０３７０】
任意選択で、少なくとも１つの送信時間のうちの１つまたは複数は、０．５ｍｓ以下の期間である。
【０３７１】
同じ技術概念に基づいて、本発明の一実施形態は、ユーザ端末をさらに提供する。図１２に示されているように、ユーザ端末は、
第１の制御情報を受信するように構成された受信モジュール１２１０であって、第１の制御情報が、少なくとも１つの送信時間内にアップリンクチャネルによって占有される時間−周波数リソースを示すために使用される、受信モジュール１２１０と、
アップリンクチャネル上でアップリンク制御情報によって占有される必要がある時間−周波数リソースを決定し、および／または少なくとも１つの送信時間内に送信されるべきアップリンクデータによって占有される必要がある時間−周波数リソースを決定するように構成された決定モジュール１２２０と
を含み、
決定モジュール１２２０は、比情報を決定するようにさらに構成され、比情報は、アップリンクチャネルによって占有される時間−周波数リソースに対する、アップリンクチャネル上でアップリンク制御情報によって占有される必要がある時間−周波数リソースの比、またはアップリンクチャネルによって占有される時間−周波数リソースに対する、少なくとも１つの送信時間内に送信されるべきアップリンクデータによって占有される必要がある時間−周波数リソースの比、または少なくとも１つの送信時間内に送信されるべきアップリンクデータによって占有される必要がある時間−周波数リソースに対する、アップリンクチャネル上でアップリンク制御情報によって占有される必要がある時間−周波数リソースの比であり、
決定モジュール１２２０は、比情報に基づいて、アップリンクチャネル上でアップリンクデータを送信すべきかどうかを決定するようにさらに構成される。
【０３７２】
決定モジュール１２２０はプロセッサによって実装され得、受信モジュール１２１０はトランシーバによって実装され得る。加えて、決定モジュール１２２０は特に処理モジュールであり得、受信モジュール１２１０は特にトランシーバモジュールであり得る。
【０３７３】
当業者は、本実施形態のステップの全部または一部が、ハードウェアまたは関係するハードウェアに指示するプログラムによって実装され得ることを理解されよう。プログラムはコンピュータ可読記憶媒体に記憶され得る。記憶媒体は、読取り専用メモリ、磁気ディスク、または光ディスクを含み得る。
【０３７４】
上記の説明は本発明の例示的な実施形態にすぎず、本発明を限定するものではない。本発明の趣旨および原理から逸脱することなく行われるどんな変更、均等な置換、および改善も、本発明の保護範囲内に入るものである。
【国際調査報告】
2019525641.tif 000027
2019525641.tif 000028
2019525641.tif 000029
2019525641.tif 000030